(57)【要約】      （修正有）【課題】非侵襲性陽圧換気法（ＮＰＰＶ）および持続性気道陽圧療法（ＣＰＡＰ）に用いられる、呼吸治療装置のためのマスクアセンブリ用ベント装置を提供する。【解決手段】システムのガス洗い流しベントアセンブリ（６０）は、アセンブリの開口の重ね合わせによって画定される可変排気面積または可変ガス流路を有する導管によって画定される可変排気面積を備え、入れ子になった構造体の各々は、重なり合う開口からなる開通路を有しており、患者インターフェイスの実質的に近傍に取り付けられてもよいし、または患者インターフェイスに付随的に設けられてもよい。アセンブリのアクチュエータ、例えば、ソレノイドまたはボイスコイルが、ベントアセンブリの開口を操作するようになっている。アクチュエータは、制御装置によって、ベントアセンブリの排気面積を変化させるように制御するように構成されている。【選択図】図２Ａ．２Ｂ．２Ｃ
2020142098.tif 000002
【特許請求の範囲】
【請求項１】
呼吸治療装置の患者インタ−フェイスのガス洗い流しを自動的に制御するための装置に
おいて、
可変排気面積を有するベントアセンブリであって、前記可変排気面積は、前記ベントア
センブリの１つまたは複数の開口によって画定されており、前記ベントアセンブリは、呼
気ガスを換気するために、患者インターフェイスに付随的に設けられている、ベントアセ
ンブリと、
前記ベントアセンブリの前記１つまたは複数の開口を操作するアクチュエータと、
を備えている装置。
【請求項２】
プロセッサを備える制御装置をさらに備えており、前記制御装置は、前記アクチュエー
タに連結されており、前記制御装置は、前記ベントアセンブリの前記排気面積を変化させ
るように前記アクチュエータを作動させるように、構成されている請求項１に記載の装置
。
【請求項３】
前記制御装置は、前記可変排気面積の治療のための設定値と前記可変排気面積の快適さ
のための設定値との間で切り換えられるように、構成されている請求項２に記載の装置。
【請求項４】
前記制御装置は、前記可変排気面積の設定値を含む快適さのための設定値を入力するた
めのユーザーインターフェイスを有するように構成されている請求項２に記載の装置。
【請求項５】
前記快適さのための設定値は、湿度設定値、圧力設定値、および温度設定値の１つまた
は複数をさらに含んでいる請求項３に記載の装置。
【請求項６】
前記制御装置は、患者換気の程度を測定し、前記患者換気の程度の関数として、前記可
変排気面積を調整するように、構成されている請求項２に記載の装置。
【請求項７】
前記可変排気面積は、もし前記患者換気の程度が閾値を満たすかまたはそれを超える場
合、減少するようになっている請求項６に記載の装置。
【請求項８】
前記患者換気の程度は、不安定性指数を含んでいる請求項６に記載の装置。
【請求項９】
前記不安定性指数は、換気の移動窓標準偏差、中枢性無呼吸指数、中枢性低呼吸指数、
中枢性無呼吸―低呼吸指数、持続性無呼吸−低呼吸指数、および呼吸障害指数の少なくと
も１つを含んでいる請求項８に記載の装置。
【請求項１０】
前記制御装置は、患者流れ信号および前記可変排気面積の位相ロック調整からチェーン
・ストークス呼吸サイクルを検出し、前記位相ロックによる再呼吸サイクルを制御するよ
うに、構成されている請求項２に記載の装置。
【請求項１１】
前記制御装置は、流れ発生器の作動を制御するようにさらに構成されている請求項２に
記載の装置。
【請求項１２】
前記制御装置は、意図しない漏れの有無を検出し、前記意図しない漏れの有無の検出に
基づいて、前記排気面積を変化させるように制御するように、構成されている請求項２に
記載の装置。
【請求項１３】
前記制御装置は、前記意図しない漏れの存在の検出に応じて、前記排気面積を閉じるよ
うになっている請求項１２に記載の装置。
【請求項１４】
前記制御装置は、前記意図しない漏れの存在の検出に応じて、前記排気面積を開き、マ
スク圧力を大気圧まで低下させるようになっている請求項１２に記載の装置。
【請求項１５】
前記制御装置は、前記意図しない漏れの存在の連続した検出に応じて、前記排気面積を
開閉するようになっている請求項１２に記載の装置。
【請求項１６】
前記制御装置は、前記意図しない漏れの定量化の関数として、前記排気面積を変化させ
るようになっている請求項１２に記載の装置。
【請求項１７】
前記制御装置は、前記定量化の値と閾値との比較に基づいて、前記排気面積を減少させ
るようになっている請求項１６に記載の装置。
【請求項１８】
前記制御装置は、睡眠状態を検出し、前記睡眠状態の検出に基づいて、前記排気面積を
変化させるように制御するように、構成されている請求項２に記載の装置。
【請求項１９】
前記制御装置は、前記睡眠状態の検出に応じて、前記排気面積の周期的な変動を開始す
るようになっている請求項１８に記載の装置。
【請求項２０】
前記制御装置は、睡眠の不在の検出に応じて、略一定の排気面積を保持するようになっ
ている請求項１８に記載の装置。
【請求項２１】
前記制御装置は、呼吸疾患を検出し、前記呼吸疾患の検出に基づいて、前記排気面積を
変化させるように制御するように、構成されている請求項２に記載の装置。
【請求項２２】
前記検出した呼吸疾患は、中枢性無呼吸または中枢性低呼吸を含んでおり、前記制御装
置は、前記中枢性無呼吸または中枢性低呼吸の検出に基づいて、前記排気面積を減少させ
るように制御するように、構成されている請求項２１に記載の装置。
【請求項２３】
前記制御装置は、中枢性無呼吸または中枢性低呼吸の不在のさらなる検出に基づいて、
前記排気面積を増大させるように制御するように、構成されている請求項２１に記載の装
置。
【請求項２４】
前記制御装置は、検出した患者呼吸に同期して、前記排気面積を変化させるように制御
するようになっている請求項２に記載の装置。
【請求項２５】
前記制御装置は、圧力の大きさの関数として、前記排気面積を変化させるように制御す
るようになっている請求項２に記載の装置。
【請求項２６】
前記制御装置は、前記排気面積を通る流れの大きさの関数として、前記排気面積を変化
させるように制御するようになっている請求項２に記載の装置。
【請求項２７】
前記制御装置は、前記排気面積のベント流れが患者流れを反映することを可能にするよ
うに、前記排気面積を変化させるように制御するようになっている請求項２に記載の装置
。
【請求項２８】
前記制御装置は、患者流れの程度の関数として、前記排気面積を変化させるように制御
するようになっている請求項２に記載の装置。
【請求項２９】
前記制御装置は、再呼吸される量の計算値の関数として、前記排気面積を変化させるよ
うに制御するようになっている請求項２に記載の装置。
【請求項３０】
前記排気面積は、重なり合う開口によって画定されるようになっている請求項１に記載
の装置。
【請求項３１】
前記ベントアセンブリは、入れ子になった第１および第２の円錐構造体を備えており、
前記円錐構造体の各々は、前記重なり合う開口からなる開通路を有している請求項３０に
記載の装置。
【請求項３２】
前記ベントアセンブリは、入れ子になった第１および第２の円筒構造体を備えており、
前記円筒構造体の各々は、前記重なり合う開口からなる開通路を有している請求項３０に
記載の装置。
【請求項３３】
前記第１の円筒構造体は、前記円筒構造体の長さに沿って延在するコイル溝を備えてお
り、前記コイル溝は、コイルを備えている請求項３２に記載の装置。
【請求項３４】
前記第２の円筒構造体は、磁化されている請求項３３に記載の装置。
【請求項３５】
前記第１の円筒構造体は、その長さに沿って長手方向に分割された２分割体から形成さ
れており、各２分割体は、コイル溝を備えている請求項３４に記載の装置。
【請求項３６】
前記第１の円筒構造体は、その長さに沿って長手方向に分割された３分割体から形成さ
れており、各３分割体は、コイル溝を備えている請求項３４に記載の装置。
【請求項３７】
前記開口からなる開通路は、一組の溝を備えている請求項１に記載の装置。
【請求項３８】
前記ベントアセンブリは、入れ子になった第１および第２の構造体を備えており、前記
構造体の各々は、前記重なり合う開口からなる開通路を有しており、前記アクチュエータ
は、モーターと前記第１の構造体に連結された誘導コイルとを備えており、前記構造体は
、前記第１の構造体の回転によって、前記重なり合う開口の大きさを調整するように、構
成されている請求項３０に記載の装置。
【請求項３９】
前記アクチュエータは、ボイスコイルおよび磁石の１つまたは複数を含んでいる請求項
１に記載の装置。
【請求項４０】
前記アクチュエータは、空圧ピストンを含んでいる請求項１に記載の装置。
【請求項４１】
前記アクチュエータは、モーターを含んでいる請求項１に記載の装置。
【請求項４２】
前記アクチュエータは、圧電モーターである請求項４１に記載の装置。
【請求項４３】
前記ベントアセンブリの前記可変排気面積を常開位置に戻すように構成されたバネ機構
をさらに備えている請求項３２に記載の装置。
【請求項４４】
前記バネ機構は、トーションバネを含んでいる請求項４３に記載の装置。
【請求項４５】
前記ベントアセンブリは、浮動開口部分を備えている請求項１に記載の装置。
【請求項４６】
前記浮動開口部分は、柔軟材料から構成されている請求項４５に記載の装置。
【請求項４７】
前記ベントアセンブリは、発泡体ベント部分を備えている請求項１に記載の装置。
【請求項４８】
前記発泡体は、その長さに沿って可変有効多孔率を有している請求項４７に記載の装置
。
【請求項４９】
前記ベントアセンブリは、複数のスリットを有する柔軟円筒を備えており、前記複数の
スリットは、前記柔軟円筒の拡張および収縮によって拡張および収縮するように構成され
ている請求項１に記載の装置。
【請求項５０】
前記ベントアセンブリは、第１および第２のプレートを備えている請求項１に記載の装
置。
【請求項５１】
前記ベントアセンブリは、複数の調整可能なフラップを備えている請求項１に記載の装
置。
【請求項５２】
前記複数のフラップの部分集合の選択的な移動が、前記ベントの前記排気面積を変化さ
せるようになっている請求項５１に記載の装置。
【請求項５３】
前記フラップを作動させる磁場を生成する複数のコイルをさらに備えている請求項５２
に記載の装置。
【請求項５４】
前記フラップは、柔軟である請求項５３に記載の装置。
【請求項５５】
各フラップは、磁化された縁部分を備えている請求項５４に記載の装置。
【請求項５６】
前記ベントアセンブリは、複数の柔軟糸を備える布地を備えている請求項１に記載の装
置。
【請求項５７】
前記糸の部分集合の選択的な移動が、前記ベントの排気面積を変化させるようになって
いる請求項５６に記載の装置。
【請求項５８】
前記糸を作動させる磁場を生成する複数のコイルをさらに備えている請求項５７に記載
の装置。
【請求項５９】
前記ベントアセンブリは、複数の柔軟層を備える布地を備えている請求項１に記載の装
置。
【請求項６０】
前記層の部分集合の選択的な移動が、前記ベントの前記排気面積を変化させるようにな
っている請求項５９に記載の装置。
【請求項６１】
前記層を作動させる磁場を生成する複数のコイルをさらに備えている請求項６０に記載
の装置。
【請求項６２】
前記ベントアセンブリは、第１および第２のプレートを備えており、前記第１のプレー
トは、前記第２のプレートの対応する開口を選択的に塞ぐための複数の突起を備えている
請求項１に記載の装置。
【請求項６３】
前記第２のプレートは、前記第１のプレートの対応する開口を選択的に塞ぐための複数
の突起を備えている請求項６２に記載の装置。
【請求項６４】
前記突起は、円錐形状に形作られており、前記開口は、漏斗形状に形作られている請求
項６２に記載の装置。
【請求項６５】
前記第１および第２のプレートに連結された付勢部材をさらに備えている請求項６２に
記載の装置。
【請求項６６】
前記付勢部材は、前記第１および第２のプレートを開形状に付勢するようになっている
請求項６５に記載の装置。
【請求項６７】
前記ベントアセンブリは、キャップを備えており、前記キャップは、内側ベント部材の
複数の開口を選択的に覆いかつ露出させるように構成されており、前記装置は、前記キャ
ップを前記内側ベント部材に対して選択的に吸引または反発させる磁場を生成するコイル
をさらに備えている請求項１に記載の装置。
【請求項６８】
前記ベントアセンブリは、ベントファンを備えており、前記ベントファンは、前記ベン
トアセンブリの開口に組み合わされており、前記ベントファンは、前記開口を通る排気を
調整するように前記ファンを制御する制御装置を備えている請求項１に記載の装置。
【請求項６９】
前記アクチュエータは、調整可能なダイアフラムを備えており、前記調整可能なダイア
フラムは、前記ダイアフラムを通る呼気流れを選択的に増減するように構成されている請
求項１に記載の装置。
【請求項７０】
前記調整可能なダイアフラムは、圧電セラミックリングを含んでいる請求項６９に記載
の装置。
【請求項７１】
複数の調整可能なダイアフラムが、複数のベント開口を通る流れを調整するようになっ
ている請求項６９に記載の装置。
【請求項７２】
前記調整可能なダイアフラムは、柔軟な呼気導管の表面上に配置されるように適合され
ている請求項６９に記載の装置。
【請求項７３】
前記柔軟な呼気導管は、吸気導管を含んでいる請求項７２に記載の装置。
【請求項７４】
前記ベントアセンブリは、呼気チャンバおよびピストンを備えており、前記ピストンは
、前記呼気チャンバの表面の１つまたは複数の換気開口を選択的に塞ぐように、前記呼気
チャンバ内において移動するように配置されている請求項１に記載の装置。
【請求項７５】
前記アクチュエータは、前記ピストンを選択的に位置決めする磁場を生成するコイルを
備えている請求項７４に記載の装置。
【請求項７６】
前記ベントアセンブリは、前記ピストンの移動の範囲を制限する手動調整機構を備えて
いる請求項７４に記載の装置。
【請求項７７】
前記手動調整機構は、前記ピストンの移動の範囲に張力を加えるように構成されている
請求項７６に記載の装置。
【請求項７８】
前記調整機構は、ネジ付きポストおよびバネを備えている請求項７７に記載の装置。
【請求項７９】
患者インターフェイスのガス洗い流しを自動的に制御するためのシステムにおいて、
可変排気面積を有するベントアセンブリであって、前記可変排気面積は、前記ベントア
センブリの重なり合う開口によって画定されており、前記ベントアセンブリは、患者イン
ターフェイスに取付け可能になっている、ベントアセンブリと、
前記ベントアセンブリの開口を操作するアクチュエータであって、前記ベントアセンブ
リの前記排気面積を変化させるように制御装置によって制御されるように構成されている
、アクチュエータと、
を備えているシステム。
【請求項８０】
前記ベントアセンブリは、入れ子になった第１および第２の円錐構造体を備えており、
前記円錐構造体の各々は、前記重なり合う開口からなる開通路を有している請求項７９に
記載のシステム。
【請求項８１】
前記ベントアセンブリは、入れ子になった第１および第２の円筒構造体を備えており、
前記円筒構造体の各々は、前記重なり合う開口からなる開通路を有している請求項７９に
記載のシステム。
【請求項８２】
前記第１の円筒構造体は、前記円筒構造体の長さに沿って延在するコイル溝を備えてお
り、前記コイル溝は、コイルを備えている請求項８１に記載のシステム。
【請求項８３】
前記第２の円筒構造体は、磁化されている請求項８２に記載のシステム。
【請求項８４】
前記第１の円筒構造体は、その長さに沿って長手方向に分割された２分割体から形成さ
れており、各２分割体は、コイル溝を備えている請求項８３に記載のシステム。
【請求項８５】
前記第１の円筒構造体は、その長さに沿って長手方向に分割された３分割体から形成さ
れており、各３分割体は、コイル溝を備えている請求項８３に記載のシステム。
【請求項８６】
前記ベントアセンブリは、複数の調整可能なフラップを備えている請求項７９に記載の
システム。
【請求項８７】
前記複数のフラップの部分集合の選択的な移動が、前記ベントの前記排気面積を変化さ
せるようになっている請求項８６に記載のシステム。
【請求項８８】
前記フラップを作動させる磁場を生成する複数のコイルをさらに備えている請求項８７
に記載のシステム。
【請求項８９】
前記フラップは、柔軟である請求項８８に記載のシステム。
【請求項９０】
各フラップは、磁化された縁部分を備えている請求項８９に記載のシステム。
【請求項９１】
前記ベントアセンブリは、複数の柔軟糸を備える布地を備えている請求項７９に記載の
システム。
【請求項９２】
前記糸の部分集合の選択的な移動が、前記ベントの排気面積を変化させるようになって
いる請求項９１に記載のシステム。
【請求項９３】
前記糸を作動させる磁場を生成する複数のコイルをさらに備えている請求項９２に記載
のシステム。
【請求項９４】
前記ベントアセンブリは、複数の柔軟層を備える布地を備えている請求項７９に記載の
システム。
【請求項９５】
前記層の部分集合の選択的な移動が、前記ベントの前記排気面積を変化させるようにな
っている請求項９４に記載のシステム。
【請求項９６】
前記層を作動させる磁場を生成する複数のコイルをさらに備えている請求項９５に記載
のシステム。
【請求項９７】
前記ベントアセンブリは、第１および第２のプレートを備えており、前記第１のプレー
トは、前記第２のプレートの対応する開口を選択的に塞ぐための複数の突起を備えている
請求項７９に記載のシステム。
【請求項９８】
前記第２のプレートは、前記第１のプレートの対応する開口を選択的に塞ぐための複数
の突起を備えている請求項９７に記載のシステム。
【請求項９９】
前記突起は、円錐形状に形作られており、前記開口は、ファンネル形状に形作られてい
る請求項９７に記載のシステム。
【請求項１００】
前記第１および第２のプレートに連結された付勢部材をさらに備えている請求項９９に
記載のシステム。
【請求項１０１】
前記付勢部材は、前記第１および第２のプレートを開形状に付勢するようになっている
請求項１００に記載のシステム。
【請求項１０２】
前記ベントアセンブリは、キャップを備えており、前記キャップは、内側ベント部材の
複数の開口を選択的に覆いかつ露出させるように構成されており、前記システムは、前記
キャップを前記内側ベント部材に対して選択的に吸引または反発させる磁場を生成するコ
イルをさらに備えている請求項７９に記載のシステム。
【請求項１０３】
前記ベントアセンブリは、ベントファンを備えており、前記ベントファンは、前記ベン
トアセンブリの開口に組み合わされており、前記ベントファンは、前記開口を通る排気を
調整するように前記ファンを制御する制御装置を備えている請求項７９に記載のシステム
。
【請求項１０４】
前記アクチュエータは、調整可能なダイアフラムを備えており、前記調整可能なダイア
フラムは、前記ダイアフラムを通る呼気流れを選択的に増減するように構成されている請
求項７９に記載のシステム。
【請求項１０５】
前記調整可能なダイアフラムは、圧電セラミックリングを含んでいる請求項１０４に記
載のシステム。
【請求項１０６】
複数の調整可能なダイアフラムが、複数のベント開口を通る流れを調整するようになっ
ている請求項１０４に記載のシステム。
【請求項１０７】
前記調整可能なダイアフラムは、柔軟な呼気導管の表面上に配置されるように適合され
ている請求項１０４に記載のシステム。
【請求項１０８】
前記柔軟な呼気導管は、吸気導管を含んでいる請求項１０７に記載のシステム。
【請求項１０９】
前記ベントアセンブリは、呼気チャンバおよびピストンを備えており、前記ピストンは
、前記呼気チャンバの表面の１つまたは複数の換気開口を選択的に塞ぐように、前記呼気
チャンバ内において移動するように配置されている請求項７９に記載のシステム。
【請求項１１０】
前記アクチュエータは、前記ピストンを選択的に位置決めする磁場を生成するコイルを
備えている請求項１０９に記載のシステム。
【請求項１１１】
前記ベントアセンブリは、前記ピストンの移動の範囲を制限する手動調整機構を備えて
いる請求項１０９に記載のシステム。
【請求項１１２】
前記手動調整機構は、前記ピストンの移動の範囲に張力を加えるように構成されている
、
ことを特徴とする請求項１１１に記載のシステム。
【請求項１１３】
前記調整機構は、ネジ付きポストおよびバネを備えている請求項１１２に記載のシステ
ム。
【請求項１１４】
前記重なり合う開口からなる開通路は、一組の溝を備えている請求項７９に記載のシス
テム。
【請求項１１５】
前記ベントアセンブリは、入れ子になった第１および第２の構造体を備えており、前記
構造体の各々は、前記重なり合う開口からなる開通路を有しており、前記アクチュエータ
は、モーターと前記第１の構造体に連結された誘導コイルとを備えており、前記構造体は
、前記第１の構造体の回転によって、前記重なり合う開口の大きさを変化させるように、
構成されている請求項７９に記載のシステム。
【請求項１１６】
前記アクチュエータは、ボイスコイルを含んでいる請求項７９記載のシステム。
【請求項１１７】
前記アクチュエータは、空圧ピストンを含んでいる請求項７９に記載のシステム。
【請求項１１８】
前記アクチュエータは、誘導コイルを含んでいる請求項７９に記載のシステム。
【請求項１１９】
前記アクチュエータは、圧電モーターを含んでいる請求項７９に記載のシステム。
【請求項１２０】
前記ベントアセンブリの前記可変排気面積を常開位置に戻すように構成されたバネ機構
をさらに備えている請求項７９に記載のシステム。
【請求項１２１】
前記バネ機構は、トーションバネを含んでいる請求項１２０に記載のシステム。
【請求項１２２】
前記ベントアセンブリは、入れ子になった第１および第２の構造体を備えており、前記
構造体の各々は、前記重なり合う開口からなる開通路を有しており、前記システムは、前
記アクチュエータを作動させるように構成された制御装置をさらに備えている請求項７９
に記載のシステム。
【請求項１２３】
前記制御装置は、意図しない漏れの有無を検出し、前記意図しない漏れの有無の検出に
基づいて、前記排気面積を変化させるように制御するように、構成されている請求項１２
２に記載のシステム。
【請求項１２４】
前記制御装置は、前記意図しない漏れの存在の検出に応じて、前記排気面積を閉じるよ
うになっている請求項１２３に記載の装置。
【請求項１２５】
前記制御装置は、前記意図しない漏れの存在の検出に応じて、前記排気面積を開き、マ
スク圧力を大気圧まで低下させるようになっている請求項１２３に記載のシステム。
【請求項１２６】
前記制御装置は、前記意図しない漏れの存在の連続した検出に応じて、前記排気面積を
開閉するようになっている請求項１２３に記載のシステム。
【請求項１２７】
前記制御装置は、前記意図しない漏れの定量化の関数として、前記排気面積を変化させ
るようになっている請求項１２３に記載のシステム。
【請求項１２８】
前記制御装置は、前記定量化の値と閾値との比較に基づいて、前記排気面積を減少させ
るようになっている請求項１２７に記載のシステム。
【請求項１２９】
前記制御装置は、睡眠状態を検出し、前記睡眠状態の検出に基づいて、前記排気面積を
変化させるように制御するように、構成されている請求項１２２に記載のシステム。
【請求項１３０】
前記制御装置は、検出した睡眠状態の関数として、前記排気面積の周期的な変動を開始
するようになっている請求項１２９に記載のシステム。
【請求項１３１】
前記制御装置は、睡眠の不在の検出に応じて、略一定の排気面積を保持するようになっ
ている請求項１２９に記載のシステム。
【請求項１３２】
前記制御装置は、呼吸疾患を検出し、前記呼吸疾患の検出に基づいて、前記排気面積を
変化させるように制御するように、構成されている請求項１２２に記載のシステム。
【請求項１３３】
前記検出した呼吸疾患は、中枢性無呼吸または中枢性低呼吸を含んでおり、前記制御装
置は、前記中枢性無呼吸または中枢性低呼吸の検出に基づいて、前記排気面積を減少させ
るように制御するように、構成されている請求項１３２に記載のシステム。
【請求項１３４】
前記制御装置は、中枢性無呼吸または中枢性低呼吸の不在のさらなる検出に基づいて、
前記排気面積を増大させるように制御するように、構成されている請求項１３２に記載の
システム。
【請求項１３５】
前記制御装置は、患者流れの程度の関数として、前記排気面積を変化させるように制御
するようになっている請求項１２２に記載の装置。
【請求項１３６】
前記制御装置は、再呼吸される量の計算値の関数として、前記排気面積を変化させるよ
うに制御するようになっている請求項１２２に記載のシステム。
【請求項１３７】
前記制御装置は、前記排気面積のベント流れが患者流れを反映することを可能にするよ
うに、検出した患者呼吸と同期して、前記排気面積を変化させるように制御するようにな
っている請求項１２２に記載のシステム。
【請求項１３８】
プロセッサを備える制御装置をさらに備えており、前記制御装置は、前記アクチュエー
タに連結されており、前記制御装置は、前記ベントアセンブリの前記排気面積を変化させ
るように前記アクチュエータを作動させるように、構成されている請求項７９に記載のシ
ステム。
【請求項１３９】
前記制御装置は、前記可変排気面積の治療のための設定値と前記可変排気面積の快適さ
のための設定値との間で切り換えられるように、構成されている請求項１３８に記載のシ
ステム。
【請求項１４０】
前記制御装置は、前記可変排気面積の設定値を含む快適さのための設定値を入力するた
めのユーザーインターフェイスを有するように構成されている請求項１３８に記載のシス
テム。
【請求項１４１】
前記快適さのための設定値は、湿度設定値、圧力設定値、および温度設定値の１つまた
は複数をさらに含んでいる請求項１３９または１４０に記載のシステム。
【請求項１４２】
前記制御装置は、患者換気の程度を測定し、前記患者換気の程度の関数として、前記可
変排気面積を調整するように、構成されている請求項１３８に記載のシステム。
【請求項１４３】
前記可変排気面積は、もし前記患者換気の程度が閾値を満たすかまたはそれを超える場
合、減少するようになっている請求項１４２に記載のシステム。
【請求項１４４】
前記患者換気の程度は、不安定性指数を含んでいる請求項１４２または１４３に記載の
システム。
【請求項１４５】
前記不安定性指数は、換気の移動窓標準偏差、中枢性無呼吸指数、中枢性低呼吸指数、
中枢性無呼吸―低呼吸指数、持続性無呼吸−低呼吸指数、および呼吸障害指数の少なくと
も１つを含んでいる請求項１４４に記載のシステム。
【請求項１４６】
前記制御装置は、患者流れ信号および前記可変排気面積の位相ロック調整からチェーン
・ストークス呼吸サイクルを検出し、前記位相ロックによる再呼吸サイクルを制御するよ
うに、構成されている請求項１３８に記載のシステム。
【請求項１４７】
前記制御装置は、流れ発生器の作動を制御するようにさらに構成されている請求項１３
８に記載のシステム。
【請求項１４８】
呼吸治療装置の患者インターフェイスの洗い流しのためにガス流量を自動的に制御する
ための装置において、
ガス流路を有する導管と、
前記導管の前記ガス流路のガスが通過する大きさを変化させるために前記導管内におい
て移動するように構成されたスラグと、
を備えている装置。
【請求項１４９】
前記ガス流路は、前記スラグのための複数の段を備えている請求項１４８に記載の装置
。
【請求項１５０】
前記ガス流路には、テーパが付されている請求項１４９に記載の装置。
【請求項１５１】
前記複数の段は、対称的な段を含んでいる請求項１４９に記載の装置。
【請求項１５２】
前記スラグは、磁性を有している請求項１４９に記載の装置。
【請求項１５３】
前記スラグのためのアクチュエータをさらに備えており、前記アクチュエータは、前記
スラグを作動させるように構成された複数の電磁石を備えている請求項１５２に記載の装
置。
【請求項１５４】
前記導管は、一組の導管ネジ山を備えており、前記スラグは、一組のスラグネジ山を備
えている請求項１４８に記載の装置。
【請求項１５５】
前記一組の導管ネジ山は、破断部分溝を備えている請求項１５４に記載の装置。
【請求項１５６】
前記破断部分溝は、テーパ付き溝である請求項１５５に記載の装置。
【請求項１５７】
前記一組の導管ネジ山は、複数のネジ山サイズを備えている請求項１５４に記載の装置
。
【請求項１５８】
前記一組の導管ネジ山は、破断部分溝をさらに備えている請求項１５７に記載の装置。
【請求項１５９】
前記スラグのためのアクチュエータをさらに備えており、前記アクチュエータは、前記
スラグを作動させるように構成されており、前記アクチュエータは、前記ガス流路の外に
配置された複数のコイルを備えている請求項１５４に記載の装置。
【請求項１６０】
プロセッサを備える制御装置をさらに備えており、前記制御装置は、前記アクチュエー
タに連結されており、前記制御装置は、より大きいまたはより少ないガス流れが前記ガス
流路を通ることを可能にするために、前記ガス流路の大きさを変化させるように前記アク
チュエータを作動させるように、構成されている請求項１５９に記載の装置。
【請求項１６１】
前記導管は、呼吸マスクのガス洗い流しベントに連結されている請求項１６０に記載の
装置。
【請求項１６２】
呼吸治療装置の患者インターフェイスのガス洗い流しを制御するための装置において、
可変排気面積を有するベントアセンブリであって、前記可変排気面積は、前記アセンブ
リの複数の重なり合うブレードによって画定されている、ベントアセンブリと、
前記ベントアセンブリの開口を操作するアクチュエータであって、前記ブレードに連結
されている、アクチュエータと、
を備えている装置。
【請求項１６３】
前記ベントアセンブリは、第１および第２のブレードマウントを備えている請求項１６
２に記載の装置。
【請求項１６４】
前記アクチュエータは、前記複数のブレードに連結された駆動レバーを備えている請求
項１６２または１６３に記載の装置。
【請求項１６５】
前記アクチュエータは、前記駆動レバー用の長孔を備えている請求項１６４に記載の装
置。
【請求項１６６】
前記アクチュエータは、前記駆動レバーに連結されたヨークをさらに備えている請求項
１６４または１６５に記載の装置。
【請求項１６７】
前記アクチュエータは、磁気区域を有するリングを備えている請求項１６２−１６６の
いずれか１つに記載の装置。
【請求項１６８】
前記アクチュエータは、一組の磁場コイルを備えている請求項１６２−１６７のいずれ
か１つに記載の装置。
【請求項１６９】
前記アクチュエータは、駆動レバーに連結されたヨークをさらに備えており、前記ヨー
クは、磁気区域を有するリングから構成されており、前記アクチュエータは、前記リング
の回転を制御するように構成された一組の磁場コイルを備えている請求項１６２に記載の
装置。
【請求項１７０】
前記磁場コイルを作動させるように構成された制御装置をさらに備えている請求項１６
８または１６９に記載の装置。
【請求項１７１】
付勢部材をさらに備えており、前記付勢部材は、前記アクチュエータの移動を予め設定
された位置に向かって付勢するように構成されている請求項１６２−１７０のいずれか１
つに記載の装置。
【請求項１７２】
前記予め設定された位置は、前記複数の重なり合うブレードによって画定された開排気
面積である請求項１７１に記載の装置。
【請求項１７３】
ハウジングをさらに備えており、前記ハウジングは、前記アセンブリおよびアクチュエ
ータに連結されている請求項１６２〜１７２のいずれか１つに記載の装置。
【請求項１７４】
前記ハウジングは、呼吸治療装置のガス送達導管用の導管アダプターを構成するように
なっている請求項１７３に記載の装置。
【請求項１７５】
前記ハウジングは、呼吸治療装置用のマスクの換気ポートを構成するようになっている
請求項１７３に記載の装置。
【請求項１７６】
前記調整可能なダイアフラムは、電気的活性ポリマーリングを備えている請求項６９に
記載の装置。
【請求項１７７】
前記調整可能なダイアフラムは、電気的活性ポリマーリングを備えている請求項１０４
に記載のシステム。
【発明の詳細な説明】
【技術分野】
【０００１】
［関連出願の相互参照］
本願は、２０１１年９月１３日に出願された米国仮特許出願第６１／５３４，０４４号
および２０１１年１１月１０日に出願された米国仮特許出願第６１／５５８，１５８号の
出願日の利得を主張するものであり、これらの開示内容は、参照することによって、ここ
に含まれるものとする。
【０００２】
［発明の分野］
本技術は、呼吸圧力治療、例えば、閉塞型睡眠時無呼吸（ＯＳＡ）のような睡眠呼吸障
害（ＳＤＢ）疾患のための非侵襲性陽圧換気法（ＮＰＰＶ）および持続性気道陽圧療法（
ＣＰＡＰ）に用いられる、呼吸治療装置のための導管、例えば、マスクアセンブリ用ベン
ト装置に関する。
【背景技術】
【０００３】
持続性気道陽圧（ＣＰＡＰ）式流れ発生器システムのような呼吸治療装置による睡眠呼
吸障害（ＳＤＢ）、例えば、閉塞型睡眠時無呼吸（ＯＳＡ）の治療では、導管および／ま
たはマスクを介して、大気圧を超える圧力の空気（または他の呼吸可能なガス）をヒトま
たは他の哺乳類の患者の気道に送達するようになっている。典型的には、マスクは、患者
の口および／または鼻に被せられるようになっているが、鼻ピロー式または鼻クッション
式マスクのような鼻下式マスクであってもよい。加圧空気が、マスク、次いで、鼻および
／または口を介して患者の気道に流れることになる。患者が息を吐くと、二酸化炭素ガス
がマスクおよび呼吸回路内に滞留する。回路内に保持された陽圧によって回路内のガスを
入れ替えるために、洗い流しベントがマスクまたは導管に設けられるとよい。回路の患者
端において十分なガスの入れ替えをもたらすことによって、患者の呼気ガスをマスクから
大気に排出することができる。
【０００４】
洗い流しベントは、通常、マスクに配置されるか、またはマスクに連結されたガス送達
導管のマスクのかなり近くに配置されるようになっている。ベントを通って大気に向かう
ガスの洗い流しによって、呼気ガスが除去され、これによって、二酸化炭素の滞留が防が
れることになる。吐出された二酸化炭素の「再呼吸」は、マスク着用者の健康を害するお
それがある。ベントの患者側の回路空間（回路の「デッドスペース」）の滞留分の再呼吸
が生じる可能性がある。これは、一回換気量がこの「デッドスペース」よりもそれほど大
きくない患者にとって、極めて大きな問題になる。また、ベントを超えて患者から回路に
逆流する呼気量の再呼吸が生じる可能性もある。次の吸気の開始時に残っているこの呼気
ガスは、再呼吸の量と比例する。このように残っている呼気量が存在するかどうかは、換
気の程度、患者の一回換気量、および呼吸パターンに依存する。再呼吸を助長し易い呼吸
パターンは、一回換気量が大きく、呼気終末休止が極めて小さい呼吸パターン（例えば、
慢性閉塞性肺疾患（ＣＯＰＤ）におけるような閉塞性肺機能がもたらす呼吸パターン）で
ある。十分なガス洗い流しは、低圧操作ＣＰＡＰの圧力、典型的には、成人の場合に４ｃ
ｍＨ２Ｏ、子供の場合に２ｃｍＨ２Ｏの圧力で最小安全洗い流しを可能にする、ベントの
大きさおよび形態を選択することによって、達成することができる。
【０００５】
特許文献１は、空気送達導管および空気流れ発生器内における空気流れを実質的に一定
に維持するように制御されるベント弁を有する空気送達システムを記載している。
【０００６】
特許文献２は、マスクアセンブリと共に用いるベントアセンブリを記載している。この
ベントアセンブリは、第１のベント、第２のベント、および第１のベントと第２のベント
との間で患者の呼気ガスの流れを切り換えるセレクターを備えている。
【先行技術文献】
【特許文献】
【０００７】
【特許文献１】国際特許出願公開第２００６／１０２７０８号公報
【特許文献２】国際特許出願公開第２００５／０５１４６８号公報
【発明の概要】
【発明が解決しようとする課題】
【０００８】
患者への十分な空気送達を可能にしながら、二酸化炭素の十分な換気を可能にするガス
洗い流しベント装置が必要とされている。
【課題を解決するための手段】
【０００９】
本技術の一態様は、可変有効換気面積または可変有効開口が組み込まれた、呼吸マスク
装置のための洗い流しベント装置に関する。
【００１０】
本技術のさらに他の態様は、ガスベント装置が組み込まれた空気送達装置、およびガス
の可変換気を制御するための装置、システムおよび方法に関する。
【００１１】
一形態では、本技術は、呼吸治療装置からのガスを換気するためのベント装置であって
、ベント部分を有するベント部材と前記ベント部分の可変面積を制御可能に覆うためのベ
ントカバー部材とを備えている、ベント装置を提供している。
【００１２】
本技術のいくつかの態様は、呼吸治療装置の患者インタ−フェイスのガス洗い流しを自
動的に制御するための装置を含んでいる。本装置は、可変排気面積を有するベントアセン
ブリであって、可変排気面積は、ベントアセンブリの開口によって画定されており、ベン
トアセンブリは、呼気ガスを換気するために、患者インターフェイスに付随的に設けられ
ている、ベントアセンブリと、ベントアセンブリの開口を操作するアクチュエータと、を
備えているとよい。任意選択的に、本装置は、プロセッサを備える制御装置をさらに備え
ていてもよく、制御装置は、アクチュエータに連結されていてもよく、制御装置は、ベン
トアセンブリの排気面積を変化させるようにアクチュエータを作動させるように、構成さ
れていてもよい。任意選択的に、排気面積は、重なり合う開口によって画定されるように
なっていてもよい。
【００１３】
いくつかのこのような場合、プロセッサは、可変排気面積の治療のための設定値と可変
排気面積の快適さのための設定値との間で切り換えられるように、構成されていてもよい
。プロセッサは、可変排気面積の設定値を含む快適さのための設定値を入力するためのユ
ーザーインターフェイスを有するように、構成されていてもよい。任意選択的に、快適さ
のための設定値は、湿度設定値、圧力設定値、および温度設定値の１つまたは複数をさら
に含んでいてもよい。
【００１４】
いくつかのこのような場合、プロセッサは、患者換気の程度を測定し、患者換気の程度
の関数として、可変排気面積を調整するように、構成されていてもよい。例えば、可変排
気面積は、もし患者換気の程度が閾値を満たすかまたはそれを超える場合、減少するよう
になっていてもよい。任意選択的に、患者換気の程度は、不安定性指数を含んでいてもよ
い。不安定性指数は、換気の移動窓標準偏差、中枢性無呼吸指数、中枢性低呼吸指数、中
枢性無呼吸―低呼吸指数、持続性無呼吸−低呼吸指数、および呼吸障害指数の少なくとも
１つを含んでいてもよい。
【００１５】
いくつかのこのような場合、制御装置は、患者流れ信号および可変排気面積の位相ロッ
ク調整からチェーン・ストークス呼吸サイクルを検出し、位相ロックによる再呼吸サイク
ルを制御するように、構成されていてもよい。
【００１６】
制御装置は、任意選択的に、流れ発生器の作動を制御するように構成されていてもよい
。また、プロセッサは、意図しない漏れの有無を検出し、意図しない漏れの有無の検出に
基づいて、排気面積を変化させるように制御するように、構成されていてもよい。任意選
択的に、プロセッサは、漏れの存在の検出に応じて、排気面積を閉じるようになっていて
もよいし、または漏れの存在の検出に応じて、排気面積を開き、マスク圧力を大気圧まで
低下させるようになっていてもよい。一部の例では、プロセッサは、漏れの存在の連続し
た検出に応じて、排気面積を開閉するようになっていてもよい。
【００１７】
さらにまた、プロセッサは、意図しない漏れの定量化の関数として、排気面積を変化さ
せるようになっていてもよい。例えば、プロセッサは、定量化の値と閾値との比較に基づ
いて、排気面積を減少させるようになっていてもよい。また、プロセッサは、睡眠状態を
検出し、睡眠状態の検出に基づいて、排気面積を変化させるように制御するように、構成
されていてもよい。例えば、プロセッサは、睡眠状態の検出に応じて、排気面積の周期的
な変動を開始するようになっていてもよい。任意選択的に、プロセッサは、睡眠の不在の
検出に応じて、略一定の排気面積を保持するようになっていてもよい。
【００１８】
一部の例では、プロセッサは、呼吸疾患を検出し、呼吸疾患の検出に基づいて、排気面
積を変化させるように制御するように、構成されていてもよい。例えば、検出した呼吸疾
患は、中枢性無呼吸または中枢性低呼吸であってもよく、プロセッサは、中枢性無呼吸ま
たは中枢性低呼吸の検出に基づいて、排気面積を減少させるように制御するように、構成
されていてもよい。プロセッサは、中枢性無呼吸または中枢性低呼吸の不在のさらなる検
出に基づいて、排気面積を増大させるように制御するように、構成されていてもよい。
【００１９】
一部の例では、プロセッサは、検出した患者呼吸に同期して、排気面積を変化させるよ
うに制御するようになっていてもよい。プロセッサは、圧力の大きさの関数として、排気
面積を変化させるように制御するようになっていてもよい。プロセッサは、流れの大きさ
、例えば、排気面積を通る流れの大きさの関数として、排気面積を変化させるように制御
するようになっていてもよい。プロセッサは、排気面積のベント流れが患者流れを反映す
ることを可能にするように、排気面積を変化させるように制御するようになっていてもよ
い。プロセッサは、患者流れの程度の関数として、排気面積を変化させるように制御する
ようになっていてもよい。制御装置またはプロセッサは、再呼吸される量の計算値の関数
として、排気面積を変化させるように制御するようになっていてもよい。
【００２０】
一部の例では、ベントアセンブリは、入れ子になった第１および第２の円錐構造体を備
えていてもよく、円錐構造体の各々は、重なり合う開口(aperture)からなる開通路(openi
ng)を有していてもよい。ベントアセンブリは、入れ子になった第１および第２の円筒構
造体を備えていてもよく、円筒構造体の各々は、重なり合う開口からなる開通路を有して
いてもよい。任意選択的に、開口からなる開通路は、一組の溝を備えていてもよい。
【００２１】
一部の例では、ベントアセンブリは、入れ子になった第１および第２の構造体を備えて
いてもよく、構造体の各々は、重なり合う開口からなる開通路を有していてもよく、アク
チュエータは、モーターと第１の構造体に連結された誘導コイルとを備えていてもよく、
構造体は、第１の構造体の回転によって、重なり合う開口の大きさを調整するように、構
成されていてもよい。
【００２２】
一部の例では、アクチュエータは、ボイスコイルおよび磁石の１つまたは複数を含んで
いてもよい。アクチュエータは、空圧ピストンを含んでいてもよい。アクチュエータは、
圧電モーターのようなモーターを含んでいてもよい。任意選択的に、本装置は、ベントア
センブリの可変排気面積を常開位置に戻すように構成されたバネ機構、例えば、トーショ
ンバネをさらに備えていてもよい。
【００２３】
いくつかの態様では、ベントアセンブリは、浮動開口部分を備えていてもよく、浮動開
口部分は、柔軟材料から構成されていてもよい。ベントアセンブリは、発泡体ベント部分
、例えば、長さに沿って可変有効多孔率を有する発泡体を備えていてもよい。一部の例で
は、ベントアセンブリは、複数のスリットを有する柔軟円筒を備えていてもよく、複数の
スリットは、柔軟円筒の拡張および収縮によって拡張および収縮するように構成されてい
てもよい。任意選択的に、ベントアセンブリは、第１および第２のプレートを備えていて
もよい。
【００２４】
本技術のいくつかの態様は、患者インターフェイスのガス洗い流しを自動的に制御する
ためのシステムを含んでいる。システムは  可変排気面積を有するベントアセンブリであ
って、可変排気面積は、ベントアセンブリの重なり合う開口によって画定されており、ベ
ントアセンブリは、患者インターフェイスに取付け可能になっている、ベントアセンブリ
と、ベントアセンブリの開口を操作するアクチュエータであって、ベントアセンブリの排
気面積を変化させるようにプロセッサによって制御されるように構成されている、アクチ
ュエータと、を備えているとよい。また、ベントアセンブリは、入れ子になった第１およ
び第２の円錐構造体を備えていてもよく、円錐構造体の各々は、重なり合う開口からなる
開通路を有していてもよい。
【００２５】
ベントアセンブリは、入れ子になった第１および第２の円筒構造体を備えていてもよく
、円筒構造体の各々は、重なり合う開口からなる開通路を有していてもよい。重なり合う
開口からなる開通路は、一組の溝を備えていてもよい。ベントアセンブリは、入れ子にな
った第１および第２の構造体を備えていてもよく、構造体の各々は、重なり合う開口から
なる開通路を有していてもよく、アクチュエータは、モーターと第１の構造体に連結され
た誘導コイルとを備えていてもよく、構造体は、第１の構造体の回転によって、重なり合
う開口の大きさを調整するように構成されていてもよい。アクチュエータは、ボイスコイ
ルを含んでいてもよい。アクチュエータは、空圧ピストンを含んでいてもよい。アクチュ
エータは、誘導コイルおよび／または圧電モーターを含んでいてもよい。また、システム
は、ベントアセンブリの可変排気面積を常開位置に戻すように構成された、バネ機構、例
えば、トーションバネを備えていてもよい。
【００２６】
システムのいくつかの態様では、第１の円筒構造体は、円筒構造体の長さに沿って延在
するコイル溝を備えていてもよく、コイル溝は、コイルを備えていてもよい。任意選択的
に、第２の円筒構造体は、磁化されていてもよい。一部の例では、第１の円筒構造体は、
長手方向に分割された２分割体から形成されていてもよく、各２分割体は、コイル溝を備
えていてもよい。一部の例では、第１の円筒構造体は、長手方向に分割された３分割体か
ら形成されていてもよく、各３分割体は、コイル溝を備えていてもよい。
【００２７】
システムのいくつかの態様では、ベントアセンブリは、複数の調整可能なフラップを備
えていてもよい。複数のフラップの部分集合の選択的な移動が、ベントの排気面積を変化
させるようになっていてもよい。複数のコイルが、フラップを作動させる磁場を生成する
ようになっていてもよい。フラップは、柔軟であってもよい。一部の例では、各フラップ
は、磁化された縁部分を備えていてもよい。
【００２８】
システムのいくつかの態様では、ベントアセンブリは、複数の柔軟糸および／または複
数の柔軟層を備える布地を備えていてもよい。糸の１つまたは複数の部分集合および／ま
たは層の１つまたは複数の部分集合の選択的な移動が、ベントの排気面積を変化させるよ
うになっていてもよい。複数のコイルが、糸のいくつかまたは全ておよび／または層のい
くつかまたは全てを作動させる磁場を生成するようになっていてもよい。
【００２９】
システムのいくつかの態様では、ベントアセンブリは、第１および第２のプレートを備
えていてもよい。第１のプレートは、第２のプレートの対応する開口を選択的に塞ぐため
の複数の突起を備えていてもよい。いくつかのこのような場合、第２のプレートは、第１
のプレートの対応する開口を選択的に塞ぐための複数の突起を備えていてもよい。任意選
択的に、突起は、円錐状に形作られていてもよく、開口は、ファンネル状に形作られてい
てもよい。付勢部材が、第１および第２のプレートに連結されていてもよい。付勢部材は
、第１および第２のプレートを開形態に付勢するようになっていてもよい。
【００３０】
システムのいくつかの態様では、ベントアセンブリは、１つまたは複数のキャップを備
えていてもよい。各キャップは、内側ベント部材の複数の開口を選択的に覆いかつ露出さ
せるように構成されていてもよい。任意選択的に、コイルが、キャップを内側ベント部材
に対して選択的に吸引または反発する磁場を生成するようになっていてもよい。
【００３１】
システムのいくつかの態様では、ベントアセンブリは、ベントファンを備えていてもよ
い。ベントファンは、ベントアセンブリの開口に組み合わされていてもよい。ベントファ
ンは、開口を通る排気を調整するようにファンを制御する制御装置を有していてもよい。
【００３２】
システムのいくつかの態様では、アクチュエータは、調整可能なダイアフラムを備えて
いてもよい。調整可能なダイアフラムは、例えば、その直径を調整することによって、ダ
イアフラムを通る呼気流れを選択的に増減するように構成されていてもよい。任意選択的
に、調整可能なダイアフラムは、圧電セラミックリングまたは電気的活性ポリマーリング
を含んでいてもよい。いくつかのこのような場合、複数の調整可能なダイアフラムは、複
数のベント開口を通る流れを調整するようになっていてもよい。また、調整可能なダイア
フラムは、柔軟な呼気導管の表面に配置されるように適合されていてもよい。いくつかの
このような場合、柔軟な呼気導管は、吸気導管を含んでいてもよい。
【００３３】
システムのいくつかの態様では、ベントアセンブリは、呼気チャンバおよびピストンを
備えていてもよい。ピストンは、呼気チャンバの表面の１つまたは複数の開口を選択的に
塞ぐように、呼気チャンバ内において移動するように配置されていてもよい。いくつかの
このような場合、アクチュエータは、ピストンを選択的に位置決めする磁場を生成するコ
イルを備えていてもよい。このようなベントアセンブリは、ピストンの運動の範囲を制限
する手動調整機構を備えていてもよい。手動調整機構は、ピストンの運動の範囲に張力を
加えるように構成されていてもよい。一部の例では、調整機構は、ネジ付きポストおよび
バネを備えていてもよい。
【００３４】
いくつかのこのようなシステムでは、ベントアセンブリは、入れ子になった第１および
第２の構造体を備えていてもよく、構造体の各々は、重なり合う開口の開通路を有してい
てもよく、装置は、アクチュエータを作動させるように構成されたプロセッサをさらに備
えていてもよい。プロセッサは、意図しない漏れの有無を検出し、意図しない漏れの有無
の検出に基づいて、排気面積を変化させるように制御するように、構成されていてもよい
。プロセッサは、漏れの存在の検出に応じて、排気面積を閉じるようになっていてもよい
。プロセッサは、漏れの存在の検出に応じて、排気面積を開き、マスク圧を大気圧まで低
下させるようになっていてもよい。プロセッサは、漏れの存在の連続した検出に応じて、
排気面積を閉じおよび／または開くようになっていてもよい。システムのプロセッサは、
意図しない漏れの定量化の関数として、排気面積を変化させるようになっていてもよい。
例えば、プロセッサは、定量化の値と閾値との比較に基づいて、排気面積を減少させるよ
うになっていてもよい。
【００３５】
また、システムのプロセッサは、睡眠状態を検出し、睡眠状態の検出に基づいて、排気
面積を変化させるように制御するように、構成されていてもよい。プロセッサは、検出し
た睡眠状態の関数として、排気面積の周期的な変動を開始するようになっていてもよい。
プロセッサは、任意選択的に、睡眠の不在の検出に応じて、略一定の排気面積を保持する
ようになっていてもよい。また、プロセッサは、呼吸疾患を検出し、呼吸疾患の検出に基
づいて、排気面積を変化させるように制御するように、構成されていてもよい。検出した
呼吸状態は、中枢無呼吸または中枢低呼吸を含んでいてもよく、プロセッサは、中枢無呼
吸または中枢低呼吸の検出に基づいて、排気面積を減少させるように制御するように、構
成されていてもよい。また、このようなプロセッサは、中枢無呼吸または中枢低呼吸の不
在のさらなる検出に基づいて、排気面積を増大させるように制御するように、構成されて
いてもよい。
【００３６】
一部の例では、システムのプロセッサは、測定された患者流れの関数として、排気面積
を変化させるように制御するようになっていてもよい。プロセッサは、排気面積のベント
流れが患者流れを反映することを可能にするように、検出した患者呼吸に同期して、排気
面積を変化させるように制御するようになっていてもよい。
【００３７】
任意選択的に、システムは、プロセッサを有する制御装置を備えていてもよく、制御装
置は、アクチュエータに連結されていてもよく、制御装置は、ベントアセンブリの排気面
積を変化させるようにアクチュエータを作動させるように、構成されていてもよい。プロ
セッサは、可変排気面積の治療のための設定値と可変排気面積の快適さのための設定値と
の間で切り換えられるように構成されていてもよい。プロセッサは、可変排気面積の設定
値を含む快適さのための設定値を入力するためのユーザーインターフェイスを有するよう
に構成されていてもよい。快適さのための設定値は、加湿器設定値、圧力設定値、および
温度設定値の１つまたは複数をさらに含んでいてもよい。
【００３８】
システムのプロセッサは、患者換気の程度を測定し、患者換気の程度の関数として、可
変排気面積を調整するように、構成されていてもよい。このような場合、可変排気面積は
、もし患者換気の程度が閾値を満たすかまたはそれを超える場合、減少するようになって
いてもよい。このような患者換気の程度は、不安定正指数を含んでいてもよい。不安定指
数は、換気の移動窓標準偏差、中枢性無呼吸指数、中枢性低呼吸指数、中枢性無呼吸−低
呼吸指数、持続性無呼吸−低呼吸指数、および呼吸障害指数の少なくとも１つを含んでい
てもよい。
【００３９】
任意選択的に、システムの制御装置は、患者流れ信号および可変排気面積の位相ロック
調整からチェーン・ストークス呼吸サイクルを検出し、位相ロックによる再呼吸サイクル
を制御するように、構成されていてもよい。また、制御装置は、流れ発生器の作動を制御
するように、構成されていてもよい。
【００４０】
本技術のいくつかの態様は、呼吸治療装置の患者インターフェイスの洗い流しのために
ガス流量を自動的に制御するための装置を含んでいる。このような装置は、ガス流路を有
する導管を備えているとよい。また、本装置は、導管のガス流路のガスが通過する大きさ
を変化させるために導管内において移動するように構成されたスラグを備えているとよい
。任意選択的に、ガス流路は、スラグのための複数の段を備えていてもよい。ガス流路に
は、テーパが付されていてもよい。任意選択的に、複数の段は、対称的な段を含んでいて
もよい。スラグは、磁性を有していてもよい。一部の例では、本装置は、スラグのための
アクチュエータをさらに備えていてもよく、アクチュエータは、スラグを作動させるよう
に構成された複数の電磁石を備えていてもよい。
【００４１】
一部の例では、導管は、一組のネジ山、すなわち、導管ネジ山を備えていてもよく、ス
ラグは、一組のネジ山、すなわち、スラグネジ山を備えていてもよい。一組の導管ネジ山
は、１つまたは複数の破断部分溝を備えていてもよい。このような破断部分溝は、テーパ
付き溝であってもよい。任意選択的に、一組の導管ネジ山は、複数のネジ山サイズを備え
ていてもよい。このような一組の導管ネジ山は、１つまたは複数の破断部分溝をさらに備
えていてもよい。
【００４２】
一部の例では、スラグのためのアクチュエータは、スラグを作動させるように構成され
ていてもよい。このようなアクチュエータは、ガス流路の外に配置された複数のコイルを
備えていてもよい。いくつかの実施形態では、本装置は、プロセッサを備える制御装置を
さらに備えていてもよい。制御装置は、前記アクチュエータに連結されていてもよく、よ
り大きいまたはより少ないガス流れがガス流路を通ることを可能にするために、ガス流路
の大きさを変化させるようにアクチュエータを作動させるように、構成されていてもよい
。任意選択的に、いくつかの実施形態では、導管は、呼吸マスクのガス洗い流しベントに
連結されていてもよい。
【００４３】
本技術のいくつかの態様は、呼吸治療装置の患者インターフェイスのガス洗い流しを制
御するための装置を含んでいる。本装置は、可変排気面積を有するベントアセンブリであ
って、可変排気面積は、アセンブリの複数の重なり合うブレードによって画定されている
、ベントアセンブリと、ベントアセンブリの開口を操作するアクチュエータであって、ブ
レードに連結されている、アクチュエータと、を備えているとよい。ベントアセンブリは
、第１および第２のブレードマウントを備えていてもよい。アクチュエータは、複数のブ
レードに連結された駆動レバーを備えていてもよい。アクチュエータは、駆動レバー用の
長孔を備えていてもよい。一部の例では、アクチュエータは、駆動レバーに連結されたヨ
ークを備えていてもよい。アクチュエータは、磁気区域を有するリングを備えていてもよ
い。アクチュエータは、一組の磁場コイルを備えていてもよい。任意選択的に、一部の例
では、アクチュエータは、駆動レバーに連結されたヨークを備えていてもよい。このよう
なヨークは、磁気区域を有するリングから構成されていてもよく、アクチュエータは、リ
ングの回転を制御するように構成された一組の磁場コイルを備えていてもよい。いくつか
のこのような例では、本装置は、磁場コイルを作動させるように構成されたプロセッサ、
例えば、呼吸治療装置の制御装置をさらに備えていてもよい。
【００４４】
一部の例では、本装置は、付勢部材を有していてもよい。付勢部材は、アクチュエータ
の移動を予め設定された位置に向かって付勢するように構成されていてもよい。予め設定
された位置は、複数の重なり合うブレードによって画定された開排気面積であってもよい
。一部の例では、本装置は、アセンブリおよびアクチュエータに連結されたハウジングを
備えていてもよい。ハウジングは、呼吸治療装置のガス送達導管用の導管アダプターであ
ってもよい。ハウジングは、呼吸治療装置用のマスクの換気ポートであってもよい。
【００４５】
本技術の他の態様、特徴および利点は、本開示の一部であって本技術の原理を例示的に
示す添付の図面と併せて以下の詳細な説明を読むことによって、明らかになるだろう。本
技術のさらに他の態様は、添付の請求項から明らかになるだろう。
【００４６】
以下、添付の図面を参照して、本技術のさらなる例示的な実施形態について、説明する
。
【図面の簡単な説明】
【００４７】
【図１】呼吸治療装置の概略図である。
【図２Ａ．２Ｂ．２Ｃ】可変面積式ベントアセンブリの例示的な一実施形態の構成部品を示す図である。
【図３】呼吸マスクおよびガス導管装置への可変面積式ベントアセンブリの組込みを示す図である。
【図４】鼻下式、具体的には、鼻ピロー式呼吸マスク内への可変面積式ベントアセンブリの組込みを示す図である。
【図５Ａ．５Ｂ．５Ｃ】可変面積式ベントアセンブリの円錐形態の構成部品を示す図である。
【図６Ａ】いくつかの実施形態における制御されたベント流れ対患者呼吸流れの種々の関数を示すグラフである。
【図６Ｂ】いくつかの実施形態における制御されたベント流れ対患者呼吸流れの種々の関数を示すグラフである。
【図７】本技術のいくつかの実施形態における実施に適する制御装置の例示的な構成部品を示す概略図である。
【図８Ａ．８Ｂ】可変面積式ベントアセンブリの構成部品のさらなる円錐例を示す図である。
【図９Ａ．９Ｂ．９Ｃ】回転可能なディスクを備える可変面積式ベントアセンブリを示す図である。
【図１０．１０Ａ．１０Ｂ．１０Ｃ】ベント流れの回転可能な調整および／または軸方向調整を可能とする可変面積式ベントアセンブリの種々の実施形態を示す図である。
【図１１】ベント流れの回転可能な調整および／または軸方向調整を可能とする可変面積式ベントアセンブリの種々の実施形態を示す図である。
【図１２Ａ．１２Ｂ】ベント流れの回転可能な調整および／または軸方向調整を可能とする可変面積式ベントアセンブリの種々の実施形態を示す図である。
【図１３Ａ．１３Ｂ．１３Ｃ．１３Ｄ】換気流れを変化させるための例示的な圧縮可能／拡張可能なベントアセンブリを示す図である。
【図１４】可変式ベントなどのための導管を通る流れの調整を制御するための可動スラグを有するネジ付き導管の断面を示す図である。
【図１５Ａ．１５Ｂ．１５Ｃ．１５Ｄ．１５Ｅ．１５Ｆ．１５Ｇ】図１５Ａ〜図１５Ｃは、導管を通る流れの調整を制御するための可動スラグを有する段付き導管の図１５Ｅの線ＡＢＣに沿って切断された断面図である。図１５Ｄは、図１５Ａ〜図１５Ｃの導管の図１５Ｅの線ＤＤに沿って切断された断面図である。図１５Ｅは、図１５Ａ〜図１５Ｄの導管の上面図である。図１５Ｆは、本技術のいくつかの実施形態に適する例示的な可動スラグの上面図である。図１５Ｇは、図１５Ｆのスラグと共に用いるのに適する導管の上面図である。
【図１６】チェーン・ストークス呼吸パターンを示す図である。
【図１７Ａ．１７Ｂ】図１７Ａは、シミュレートされたチェーン・ストークス呼吸流れパターンを示すグラフである。図１７Ｂは、図１７Ａのシミュレートされた患者流れから採取した換気測定値および換気測定値の標準偏差ＳＤを示すグラフである。
【図１７Ｃ】本技術のベントアセンブリの操作を制御するのに適する計算によって得られた例示的な再呼吸量信号を示す信号図である。
【図１８Ａ．１８Ｂ．１８Ｃ．１８Ｄ】図１８Ａは、可変式ベントアセンブリのための例示的な電磁カバー部材の等角図である。図１８Ｂは、図１８Ａのカバー部材と共に用いるのに適する内側ベント部材の等角図である。図１８Ｃは、図１８Ａの実施形態のカバー部材の端面図である。図１８Ｄは、図１８Ａの実施形態と同様のカバー部材のさらなる例示的実施形態の端面図である。
【図１９Ａ．１９Ｂ】それぞれ、閉状態および開状態にある複数の磁気的に制御されるフラップを備える可変式ベントアセンブリの操作を示す図である。
【図２０Ａ．２０Ｂ】本技術のいくつかのベントアセンブリにおける流れを選択的に変化させるための層を有する多孔性材料を示す図である。
【図２１Ａ．２１Ｂ】本技術のいくつかのベントアセンブリにおける流れを選択的に変化させるための繊維または糸を有する多孔性材料を示す図である。
【図２２Ａ．２２Ｂ】本技術のいくつかのベントアセンブリにおける流れを選択的に変化させるための多孔性かつ伸張可能な材料を示す図である。
【図２３Ａ．２３Ｂ】本技術のいくつかのベントアセンブリにおける流れを選択的に変化させるための嵌合突起を有する換気組立体を示す図である。
【図２４Ａ．２４Ｂ】それぞれ、閉位置および開位置にあるベントアセンブリの他の例示的実施形態の断面図である。
【図２５】マスクファンベントを備える患者インターフェイスを有する呼吸治療装置を示す図である。
【図２６Ａ．２６Ｂ】それぞれ、開位置および部分的な閉位置にある調整可能なダイアフラムを備える可変面積式ベントのための導管の操作を示す図である。
【図２７Ａ．２７Ｂ】それぞれ、開位置および部分的な閉位置にある可変面積式ベントを備えるマスクアセンブリの断面図である。
【図２８Ａ．２８Ｂ】それぞれ、開位置および部分的な閉位置にある可変面積式ベントを備えるマスクアセンブリのさらなる実施形態の断面図である。
【図２９Ａ．２９Ｂ．２９Ｃ．２９Ｄ】図２９Ａは、調整可能なアイリスおよび制御可能な機構を備える可変面積式ベントの実施形態の側面図である。図２９Ｂは、図２９Ａの実施形態の正面図である。図２９Ｃは、図２９Ａの実施形態の上面図である。図２９Ｄは、ハウジングを有しない図２９Ａの可変面積式ベントの実施形態の側断面図である。
【図３０】図２９Ａの機構を有するアダプターハウジングの断面斜視図である。
【図３１】アイリスアセンブリの構成部品の等角斜視図である。
【図３２】アイリスアセンブリの構成部品の等角斜視図である。
【図３３】図２９Ａの機構のための磁気ヨークアセンブリの等角斜視図である。
【図３４】図２９Ａの機構のための制御コイルアセンブリの等角斜視図である。
【図３５】導管ハウジング内の図２９Ａの機構の断面斜視図である。
【発明を実施するための形態】
【００４８】
［例示的な呼吸治療装置］
図１は、本技術の例示的な一実施形態による、例えば、睡眠呼吸障害（ＳＤＢ）のため
のＣＰＡＰ治療に用いられる、呼吸可能なガスを圧力下で患者に送達するための呼吸治療
装置の空気送達システムを概略的に示している。
【００４９】
図１のシステムの基本的な構成部品は、流れ発生器１０、流れ発生器と一体であっても
よいしまたは分離していてもよい任意選択的な加湿器１５、および空気送達導管２０であ
る。空気送達導管２０は、流れ発生器または（もし装着されているなら）加湿器から（患
者の気道に連通している）患者インターフェイス３０に繋がっている。
【００５０】
空気流れ発生器は、当技術分野において一般的に知られている形式のもの、例えば、Re
sMed Ｓ９ＴＭシリーズの流れ発生器であるとよい。流れ発生器は、空気入口を有するハ
ウジングと、例えば、２−３０ｃｍＨ２Ｏまたは４−２５ｃｍＨ２Ｏの圧力下で空気を患
者に送達することができる送風機と、空気送達導管２０または加湿器１５に接続するよう
に適合された空気出口と、を含んでいるとよい。
【００５１】
流れ発生器は、センサ４５、たとえば、圧力センサおよび流量センサと、マイクロプロ
セッサ制御装置（例えば、プロセッサ４０）とをさらに備えているとよい。マイクロプロ
セッサ制御装置は、センサ４５および任意の遠隔センサ５０から信号を受信することがで
き、これらのセンサからの情報を流れ発生器１０および／または加湿器１５の制御に用い
るようになっている。
【００５２】
空気送達導管２０は、加圧された（可能であれば、さらに加湿された）空気を患者イン
ターフェイス３０に送達するための、例えば、８−２２ｍｍ、好ましくは、１５ｍｍまた
は１９ｍｍの内径を有する柔軟チューブであるとよい。導管２０は、導管を通るガスの温
度を調整し、チューブ内の凝縮（レインアウト「rainout」）を防ぐために、１つまたは
複数の加熱要素（図示せず）を含んでいてもよい。
【００５３】
空気送達導管２０は、１つまたは複数のワイヤ５５も備えている。ワイヤ５５は、プロ
セッサ４０から患者インターフェイス３０またはその近傍に位置する構成部品（例えば、
遠隔センサ５０）に信号を送信し、および／または該構成部品（例えば、遠隔センサ５０
）からプロセッサ４０に信号を送信するためのものである。代替的に、信号は、多重送信
によって、空気導管の加熱ワイヤを介して送信されてもよい。加熱チューブの例は、２０
０７年１１月８日に出願された国際特許出願公開第２００８／０５５３０８号パンフレッ
トに開示されている。さらに、センサからベント装置の制御部品への信号の送信および／
または該制御部品からセンサへの信号の送信は、無線によって行われてもよい。
【００５４】
患者インターフェイス３０は、例えば、患者の鼻孔、鼻、および／または口に密封して
被せられる鼻マスク、ピローマスク、プロングマスク、クレードルマスク、フルフェイス
マスク、または口腔鼻マスクであるとよい。これらの種類のマスクのいくつかの例として
、Resmed Mirage ActivaＴＭマスク、Mirage SwiftＴＭIIマスク、およびUltra MirageＴ
Ｍマスクが挙げられる。
【００５５】
図１に示されている実施形態では、患者インターフェイスは、（概略的に、参照符号６
０によって示されている）ガス洗い流しベント部品も備えている。ガス洗い流しベント部
品の例については、以下、さらに詳細に説明する。空気送達導管２０は、該導管の患者イ
ンターフェイス端におけるガス洗い流しベントおよび／または他の能動部品を制御するた
めの信号を供給するために、制御ワイヤ６５を有しているとよい。任意選択的に、制御ワ
イヤは、ベント装置の作動に関連するセンサまたは患者インターフェイスのセンサによる
測定値を表す多重化信号を送信するようになっていてもよい。
【００５６】
代替的に、ガス洗い流しのためのベントアセンブリ６０は、患者インターフェイス３０
の近位側の空気送達経路内に配置されていてもよい。例えば、ベントアセンブリ６０は、
導管２０の患者インターフェイス端と患者インターフェイス３０との間に配置されていて
もよい。
【００５７】
代替的に、ガス洗い流しのためのベントアセンブリ６０は、患者インターフェイス３０
から遠くに離れて配置されていてもよい。例えば、ベントアセンブリ６０は、流れ発生器
１０に配置されていてもよい。
【００５８】
［可変面積式ガス洗い流しベント］
本技術のいくつかの実施形態では、ガス洗い流しベント部品は、可変面積式ガス洗い流
しベントであるとよい。可変面積式ガス洗い流しベントは、以下の利点の１つまたは複数
を有することができる。固定式ベントは、典型的には、ＣＯ２洗い流しを増大させるため
には、流れ発生器の流れ（および電力）を増大させる必要があり、ＣＯ２洗い流しを減少
させるためには、流れ発生器の流れを減少させる必要がある。しかし、可変式ベントは、
このような電力を増減させることなく、ベントを単純に開閉することによって、ＣＯ２洗
い流しを増減させることができる。また、固定式ベントの場合、ＣＯ２洗い流しの切換を
行うために流れ発生器が圧力および流れを切り換えるのを待つことになるが、それと比較
して、可変式ベントの場合、ＣＯ２洗い流しの切換をより迅速におよび／またはより正確
に行うことができる。さらに、流れ発生器の切換を可変式ベントの調整と組み合わせるこ
とによって、さらに一層迅速なおよび／またはさらに一層正確な洗い流しの調整が達成さ
れることになる。さらに、可変式マスクベントを用いることによって、患者は、不快に閉
じ込められていると感じなくても済むことになる。何故なら、ベントをより大きく開いて
より大きいベント流れをもたらすことによって、マスクがより開いているように感じさせ
ることができるからである。
【００５９】
さらに、このようなベントは、患者への空気の流れを低減させることができる。これに
よって、空気の乱流が低減し、その結果、騒音が減少する。また、これによって、マスク
内の乱流を低減させ、正常な呼吸をいっそう十分にシミュレートすることができる。代替
的に、ベントの制御は、マスク内の乱流を増大させ、例えば、いっそう十分なＣＯ２洗い
流しをもたらすように換気を改良することもできる。このようなベントの制御は、流れ発
生器からわずかの電力しか必要としない。これによって、流れ発生器およびその関連する
部品（例えば、加湿器）をより小さくすることができる。治療システムのコストも、（例
えば、構成部品をより小さくすることによって）、低減させることができる。また、ベン
トの制御は、呼気圧を低減させるために用いられてもよく、これによって、快適さを高め
、ＣＯ２洗い流しを増大または改良することができる。
【００６０】
図２Ａ−２Ｃは、例示的な一実施形態による可変面積式ベント（例えば、ベントアセン
ブリ６０）を示している。図２Ａ，２Ｂは、それぞれ、内側ベント部材７０の部品（図２
Ａ）およびカバー部材７５の部品（図２Ｂ）を示している。図２Ｃは、カバー部材７５の
部品に対して入れ子にされた内側ベント部材７０の部品を示している。すなわち、内側ベ
ント部材がカバー部材内に挿入され、これによって、可変面積式ベントアセンブリが形成
されている。
【００６１】
図２Ａの内側ベント部材７０は、中心内側孔８０を有する略円筒状または管状の形態を
有している。中心内側孔８０は、一端が開いており、任意選択的に、他端が、例えば、エ
ンドキャップ８５によって閉じている。エンドキャップ８５は、内側ベント部材７０をカ
バー部材７５内に固定して配置させるように適合された拡大直径を有しているとよい。
【００６２】
内側ベント部材７０の表面の少なくともベント部分９０は、多孔性であり、内側孔８０
に連通しており、これによって、空気が内側孔からベント部分を通過することが可能にな
る。
【００６３】
内側ベント部材７０は、どのような適切な材料から形成されていてもよいが、有利には
、ポリカーボネートまたはナイロンのような成型プラスチック材料、またはポリプロピレ
ンのような多孔性成形プラスチック、などから形成されているとよい。代替的に、内側ベ
ント部材７０は、シリコーンのような柔軟ポリマー、熱可塑性エラストマー、などから形
成されていてもよい。さらに他の代替例では、内側ベント部材７０のベント部分９０は、
織物または発泡体のような代替的多孔性材料から形成されていてもよい。さらに他の代替
例では、内側ベント部材７０は、材料の組合せから構成されていてもよい。例えば、内側
ベント部材７０のエンドキャップ８５および本体は、ナイロンのようなポリマーから構成
され、ベント部分９０は、布地、織物、などから構成されていてもよい。
【００６４】
いくつかの実施形態では、内側ベント部材７０のベント部分９０のための発泡体は、可
変有効多孔率を有する材料から形成されているとよい。例えば、発泡体の多孔率は、発泡
体の幅および／または長さに沿って、より小さい値からより大きい値に変化しているとよ
い。従って、ベント部分９０の発泡体のどの部分がカバー部材７５の換気開口９５に露出
するかに依存して、ベントを通る流れの程度を変化させることができる。任意選択的に、
発泡体の可変有効多孔率は、カバー部材と内側ベント部材との間の相対運動に応じて換気
の変動を可能にするために、軸方向または長手方向に変化するようになっていてもよい。
これに関して、内側ベント部材７０は、その回転位置によって流れを変化させるために、
その円筒面に可変有効多孔率を有する発泡円筒体から形成されているとよい。さらにまた
、発泡円筒体の一部が、内側ベント部材のベント部分９０をなすようになっていてもよい
。
【００６５】
図２Ａから分かるように、ベント部分９０は、ベントアセンブリ６０の円筒面の湾曲し
た矩形部分から形成されているとよい。他の形状が用いられてもよい。例えば、いくつか
の実施形態では、以下にさらに詳細に説明するように、カバー部材の運動に応じてベント
の開面積または排気面積を変化させるように構成されたテーパ形状が用いられてもよい。
【００６６】
内側ベント部材７０のベント部分９０は、例えば、内側孔８０からベント部分９０の外
面に延在する孔を形成することによって、ベントアセンブリ６０に一体に形成されている
とよい。ベント部分９０は、均一または無作為に配置された一連のベント孔を備えている
とよい。ベント孔は、それらの長さ方向にテーパが付されているとよい。好ましくは、ベ
ント孔は、収束するようになっているとよい（すなわち、ベント孔は、内側ベント部材の
孔側の直径が内側ベント部材の大気側におけるベント孔の直径よりも大きくなっていると
よい）。例示的なベント装置は、２０００年５月１５日に出願された米国特許第６，５８
１，５９４号明細書に開示されている。
【００６７】
発泡プラスチック材料のような多孔性材料から形成された内側ベント部材７０の場合、
ベント部分は、ベント部分においてベント部材の材料を表面処理し、多孔性材料の外皮を
除去することによって、形成されるとよい。
【００６８】
代替的に、ベント部分９０は、内側ベント部材７０内へのインサートとして、例えば、
孔付き成型材料、発泡プラスチックのような多孔性材料、または布地、例えば、制限され
るものではないが、織布、不織物、スペーサ布地、成型布地上の３Ｄテキスタイルからな
るインサートとして、形成されてもよい。
【００６９】
図２Ｂは、図２Ｃに示されているように内側ベント部材７０の周りに密嵌合するように
適合された管状カバー部材７５を示している。
【００７０】
カバー部材７５は、外側スリーブとして形成されている。この外側スリーブは、例えば
、共通軸を中心として内側ベント部材７０に対して相対的に回転することによって、内側
ベント部材７０に対して移動可能になっている。代替的な形態では、カバー部材７５は、
内側ベント部材７０がカバー部材７５に対して（回転というよりもむしろ）直線的に摺動
するように、内側ベント部材７０と同一平面上にあってもよい。任意選択的に、カバー部
材および内側ベント部材は、回転および軸方向の直線運動を可能にするように構成されて
いてもよい。このような実施形態の例については、図１０，１１を参照して説明する。
【００７１】
カバー部材７５は、換気開口９５を有している。換気開口９５は、カバー部材７５およ
び内側ベント部材７０の相対位置に応じて、内側ベント部材７０のベント部分９０の領域
と真っ直ぐに並ぶように位置決めされている。従って、ベント排気面積は、ベント部分と
換気開口との重なりの大きさによって画定され、カバー部材および内側ベント部材のそれ
ぞれの開口の少なくとも１つまたは両方が異なる位置に作動されたとき、これらの開口の
整合性に依存して、増減されることになる。
【００７２】
ベントアセンブリは、適切なシール手段、例えば、内側ベント部材の各端に隣接するリ
ングシール（図示せず）を備えているとよく、これによって、ベント流れが互いに整合し
たベント部分９０および換気開口９５を迂回しないように防ぐことができる。
【００７３】
カバー部材７５は、どのような適切な材料、例えば、成型プラスチック材料、例えば、
制限されるものではないが、医学的使用が認可されたものから形成されているとよい。任
意選択的に、内側ベント部材およびカバー部材は、共成形によって、一緒に形成されても
よい。このような共成形の実施形態は、互いに接合されない材料の場合に実施されるとよ
い。例えば、内側部材が最初に成形され、次いで、カバー部材が、カバー部材および内側
部材の互いに隣接する接触面が適切に合致するように、内側部材を覆って成形されるとよ
い。
【００７４】
換気開口９５は、図示されているように、単純にカバー部材７５の切抜き部分であって
もよいし、または発泡プラスチックまたは布部分のような多孔性材料を有するようになっ
てもよい。
【００７５】
図５Ａ−５Ｃは、他の可変面積式ベントアセンブリ６０を示している。図５Ａ，５Ｂは
、それぞれ、略円錐形状の内側ベント部材５７０の部品（図５Ａ）およびカバー部材５７
５の部品（図５Ｂ）を示している。図５Ｃは、可変面積式ベントアセンブリを形成するた
めにカバー部材５７５内に挿入された内側ベント部材５７０を示している。
【００７６】
一般的に、このベントアセンブリは、図５Ｃに示されているように、第１の円錐が第２
の円錐内に入れ子になった２つの円錐構造体を用いている。円錐構造体を用いるこのよう
な設計の場合、前述した円筒の実施形態のような代替的装置よりも小形化することができ
る。また、円錐構造体は、より小形であり、円筒よりも耐摩耗性がすぐれている。すなわ
ち、使用に関して、これらの円錐は、互いに摩耗するが、使用中にそれらの接触を維持す
ることができる。これに反して、入れ子にされた円筒の表面は、摩耗すると、それらの表
面が互いに分離することになる。この摩耗は、もし表面間の意図しない漏れを妨げるため
の適切なシールをもたらすために表面間の接触が必要な場合、ベント性能を低下させるこ
とになる。
【００７７】
これらの円錐は、前述した方法と同じ方法によって形成された単一開口または多数の開
口を有しているとよい。図５Ｂに示されているように、カバー部材５７５は、カバー部材
５７５の孔５８５の空洞に開いた換気開口５９５を有している。同様に、図５Ａに示され
ているように、内側ベント部材５７０は、内側ベント部材５７０の孔５８０の空洞に開い
たベント部分５９０を有している。図示されている例では、ベント部分および換気開口に
は、テーパが付されている。しかし、これらの開通路に対して他の形状が用いられてもよ
く、これらの開通路の形状および大きさは、可変換気面積を有する任意のベントアセンブ
リ６０に対して互いに同じである必要がない。換気開口５９５およびベント部分５９０は
、図５Ｃに示されているように、カバー部材５７５および内側ベント部材５７０の相対位
置に応じて互いに真っ直ぐに並ぶように位置決めされることになる。第２の円錐開口に対
する第１の円錐開口のこの位置決めによって、内側円錐内から外側円錐の外側に流れるガ
スの量が決定されることになる。先の実施形態と同じように、カバー部材または内側ベン
ト部材のいずれかが、孔空洞からこれらの円錐のベント部分および換気開口を通る空気の
流れを増減するように、調整されるとよい。具体的には、ベント部分と換気開口の重なり
によって画定されるベント開通路の面積は、これらの開口の少なくとも１つまたは両方が
異なる位置に作動されたとき、これらの円錐の整合性に依存して、増減されることになる
。
【００７８】
また、図５Ａ−５Ｃに示されているように、これらの円錐の一方または両方が、任意選
択的に、これらの円錐のベント部分または換気開口のより長い側に繋がる溝５９６または
ノッチを有しているとよい。この実施形態に示されているように、カバー部材５７５は、
円錐構造体の内面に内側溝５９６−Ｉを備えており、内側ベント部材５７０は、円錐構造
体の外面に外側溝５９６−Ｏを備えている。このような構成は、騒音を低減させるために
より長い空気流路をもたらすように適合されているとよい。溝は、三角形状または多角形
状の断面を有しているとよい。溝は、半円状または湾曲した断面を有していてもよい。ま
た、溝は、それらの長さに沿って幅が変化していてもよい。例えば、ベント開通路のより
長い側の近くに位置する溝の端では、溝が比較的大きい幅を有し、ベント開通路のより長
い側から最も離れた溝の端では、溝が比較的小さい幅を有しているとよい。さらに、溝の
長さに沿って幅が徐々に変化するようになっていてもよいし、溝にテーパが付されていて
もよい。
【００７９】
図５Ａ，５Ｂに示されているように、両方の円錐の溝は、同一または同様の形状を有し
ている。任意選択的に、図５Ａ，５Ｂにそれぞれ示されているように、１つの円錐の溝が
第１の方向に配向され、第２の円錐の溝が第２の方向に配向されていてもよい。このよう
に溝を互いに反対方向に配向する構成によって、第２の円錐に対する第１の円錐の位置に
依存して、ベントから外に向かう流れの量をさまざまに変化させることができる。他の態
様（図示せず）では、円錐の１つの溝は、他の円錐の溝と略直交する方向に配向されてい
てもよい。また、このような溝は、それらの長さに沿って、ベント開通路に向かって大き
くなるテーパが付された幅を有していてもよい。円錐状ベント装置のさらに他の例示的実
施形態が、図８Ａ，８Ｂに示されている。
【００８０】
前述したように有効ベント開通路の大きさを変化させるために、いずれかの円錐が他の
円錐に対して回転可能になっているとよい。任意選択的に、両方の円錐が回転可能になっ
ていてもよい。従って、これらの円錐は、該円錐の互いに対する回転を案内するために、
ネジ機構および／または旋回軸を有しているとよい。円錐および／またはそれらのベント
開口および／または溝の形状に依存して、一方の円錐を他方の円錐に対してわずかに回転
させることによって、ベント流れを大きく変化させることができる。これは、円筒構造体
と比較してより効果的である。代替的実施形態では、これらの円錐は、互いに対して回転
せずに、それらの中心軸に沿って直線運動するように、（すなわち、それらの頂点を互い
に対して移動させるように）、構成されていてもよい。いくつかの実施形態では、このよ
うな直線運動は、前述したように、回転運動に組合されていてもよい。
【００８１】
内側ベント部材５７０および外側ベント部分（例えば、カバー部材５７５）は、同じ材
料から形成されていてもよいし、または前述したように、内側ベント部材７０およびカバ
ー部材７５は、それぞれ、材料の組合せから形成されていてもよい。
【００８２】
ベントアセンブリの代替的な物理的形態として、例えば、ベント部材およびカバー部材
を互いに平行のディスクとして含むものが用いられてもよい。この形態では、ベント部分
およびベント開口は、それぞれ、ディスクまたはプレートとして形成されており、これら
のディスクまたはカバーの相対的な回転によって、互いに真っ直ぐに並び、可変ベント面
積を露出させるようになっている。これらは、図９Ａ，９Ｂ，９Ｃに示されている。図示
されているように、第１のディスク９７０の表面は、例えば、導管９９０内に配置され、
第２のディスク９７５の表面に接触するように、位置決めされている。その結果、開口（
例えば、換気開口５９５およびベント部分５９０）が少なくとも部分的に重なるように回
転されたとき、可変ベント面積がディスクのこれらの開口によって形成され、これによっ
て、ベント流れが開口を通ることになる。図９Ｂに示されているように、三角形状の開口
が用いられるとよい。図９Ｃのディスクには、涙滴状の開口が示されている。一部の例で
は、ディスクのキー状の中心孔が、ディスクの回転のための対応するキー付きモーターシ
ャフトを受け入れるようになっている。このようなモーターは、ディスクを含むマスクま
たは導管内に配置されるように寸法決めされているとよい。
【００８３】
前述したように、いくつかの態様では、内側ベント部材およびカバー部材の組合せは、
直線的な移動（例えば、それらの長さに沿った軸方向移動）によっておよび／または回転
によって、ベント面積を調整するように適合されているとよい。例えば、カバー部材は、
雌ネジ山を有しており、内側ベント部材の外面のネジ山に沿って移動するようになってい
るとよい。また、任意選択的に、例えば、モーターのカムによって案内されることによっ
て、可変螺旋経路に沿って移動するようになっていてもよい。
【００８４】
例えば、図１０のベントアセンブリは、矢印ＲＭによって示される方向の回転または矢
印ＡＭによって示される構成部品の長さに沿った（例えば、円筒の中心軸に沿った）軸方
向移動によって作動されるように、構成されているとよい。このような装置では、ベント
面積の流れ調整は、粗調整および／または微調整をもたらすように、構成することができ
る。図１０に示されているように、例えば、開口孔が軸方向において線状に並んでいる場
合、１つの運動（例えば、回転）に付随して、ベント部分のより大きい開口またはより多
くの開口孔が開通することになり、その一方、例えば、開口孔が周方向において線状に並
んでいない場合、他の運動（例えば、直線運動）に付随して、ベント部分のより小さい開
口またはより少ない開口孔が開通することになる。具体的には、アセンブリが矢印ＲＭに
沿って回転するとき、線状に並んだいくつかの開口孔（例えば、７つの孔）が同時に開閉
され、ベント流れの粗調整をもたらすことになる。しかし、アセンブリが矢印ＡＭに沿っ
て直線運動するとき、わずかな数（例えば、２つ）の開口面積しか露出または閉鎖されず
、ベント流れの微調整をもたらすことになる。このような場合、ベント部分の開口孔の線
状または非線状の配置構成は、望まれる種々の流れ特性をもたらすように、選択されるこ
とになる。同様に、換気開口孔の形状は、線状に並んだ開口孔を非線状的にさまざまに露
出させるように選択されるとよい。ベント部分５９０，５９５は、それらのいずれかまた
は両方が、騒音を制御するために、多孔性材料、例えば、発泡体または他の多孔性材料に
よって充填されているとよい。この発泡体は、可変密度および／または可変多孔率を有し
ているとよい。また、このような可変性は、方向によって異なっているとよい。
【００８５】
図１０のベントアセンブリの構成部品が、図１０Ａ，１０Ｂ，１０Ｃに示されている。
このベントアセンブリは、図１０Ｃに示されている浮動ベント部分１０９０を用いている
。浮動ベント部分１０９０は、図１０Ｂに示されている内側ベント部材１０７０の開口の
棚１０８８上に置かれるように挿入されるとよい。浮動ベント部分１０９０は、図１０の
組立構造では、内側ベント部材１０７０がカバー部材１０７５内に挿入されたときに、カ
バー部材１０７５の内側保持面ＩＲＳによって、その定位置に保持されることになる。内
側保持面ＩＲＳは、カバー部材１０７５の開口の境界の内面をなしており、浮動ベント部
分１０９０の境界よりも小さくなっている。使用中、ベントから外に向かう流れをもたら
す任意の導管内圧が浮動ベント部分を押し、該浮動ベント部分をカバー部材１０７５の内
側保持面ＩＲＳの部分と接触した状態で保持することになる。これによって、浮動ベント
部分１０９０は、使用中に浮動ベント部分および／またはカバー部材１０７５の内側保持
面の接触面が摩耗しても、内側保持面ＩＲＳの部分との接触を常に保つことができる。こ
れらの表面間の一貫性のある密封によって、カバー部材の開通路に直接露出していないベ
ント部分の任意の開口孔から外に向かう意図しないベント流れが防がれることになる。任
意選択的に、浮動ベント部分１０９０は、孔からの流れに押されたときに、カバー部材の
開口との接触を維持するように撓み、これによって、カバー部材の１つまたは複数の開口
の縁と接触するために、柔軟材料から形成されているとよい。
【００８６】
このように、浮動ベント部分１０９０は、摩耗が容認されるので、内側ベント部材と一
体のベント部分と比較して、製品の有用寿命を延ばすことができる。同様に、この特定の
ベント部分は、内側ベント部材とは別体になっているので、その製造を簡素化することが
できる。また、このベント部分は、取替え可能になっているので、種々の換気特性を有す
るように構成することができる。このようなアセンブリは、構成部品の保守および洗浄を
容易に行うことができる。
【００８７】
図１１は、回転（矢印ＲＭ）および／または軸方向に沿った直線運動（矢印ＡＭ）によ
って作動されるベントアセンブリ装置の上面図である。この装置では、内側ベント部材７
０のベント部分９０は、楕円形状を有しており、例えば、発泡体または他の多孔性材料か
ら構成されているとよい。他の実施形態と同じように、構成部品の種々の方向における作
動によって、ベント流れを動的に調整することが可能である。
【００８８】
図１２Ａ，１２Ｂは、他のベントアセンブリの構成部品を示している。図１２Ａの内側
ベント部材１２７０は、そのベント部分１２９０に複数の開口を有している。内側ベント
部材１２７０は、図１２Ｂのカバー部材１２７５内に挿入されるとよい。このベントアセ
ンブリでは、カバー部材１２７５は、複数の換気開口１２９５−１，１２９５−２を備え
ており、これらの換気開口は、相対的な軸方向運動および／または相対的な回転によって
、可変面積換気をもたらすようになっている。
【００８９】
図１３Ａ，１３Ｂ，１３Ｃ，１３Ｄは、圧縮可能および／または拡張可能な可変面積式
ベントを示している。このベントアセンブリでは、円筒状ドラム１３０１は、シリコーン
のような柔軟材料から形成されている。このドラムは、その円筒面に沿って複数のスリッ
ト１３０３を備えている。これらのスリットは、ドラムの軸方向の拡張または圧縮によっ
て種々の程度に開閉するように、撓むようになっているとよい。スリットは、開いたとき
、可変面積式ベントの排気開口として機能する。この目的を達成するために、ロッド１３
０５またはピストンが、ドラムの両端の一方または両方に連結されているとよい。このロ
ッドは、例えば、ソレノイドによって電気機械的に作動され、ドラムを軸方向に延伸また
は短縮し、これによって、スリット１３０３の開通路を可変的に調整することができる。
例えば、図１３Ｃに示されているように、ドラムが延伸され、スリットからなる開通路を
拡張し、これによって、ベントの開面積を増大させることになる。図１３Ｄでは、ドラム
が短縮され、スリットからなる開通路を縮小し、これによって、ベントの開面積が減少す
ることになる。患者の呼気流れがドラムの一端に入り、スリットを通してドラムの内側か
ら外側に流れ、これによって、排気ベントとして作用するようになっているとよい。代替
的に、患者の呼気流れが、スリットを通してドラムの内側に入り、ドラムの端から流出し
、これによって、排気ベントとして作用するようになっていてもよい。一部の例では、円
筒の材料（例えば、薄膜または織物）のスリットまたは孔が、延伸または拡張時に、その
大きさが減少するかまたは収縮し、流れを低減させるようになっていてもよい。このよう
な場合、円筒の材料の孔は、材料が延伸した時に、流れを減少させるように形状を変化さ
せるようになっているとよい。例えば、弾性材料のような材料の孔は、図２２Ａに示され
ている形態から図２２Ｂに示されている形態に伸張されたとき、一軸に沿って縮小するよ
うになっているとよい。代替的に、孔の形状または大きさの変化は、他の刺激によって引
き起こされてもよい。例えば、温度、振動、電荷または電流、または磁場の変化のいずれ
か１つまたは複数をこのような材料に加えることによって、形状および／または大きさの
変化を制御するようになっていてもよい。
【００９０】
図１４，１５のベントアセンブリは、ベント導管内で作動する流れ制御スラグ（slug）
を用いている。スラグは、導管の気道通路の外側に全体的または部分的に位置する制御要
素によって作動されるようになっている。例えば、図１４は、ネジ付き導管１４６７を備
えている。このベントアセンブリでは、流れ制御スラグ１４６９は、導管のネジ山１４７
１−Ｃに関連して導管に沿って移動するためのネジ山も有している。導管の長さに沿った
流れ制御スラグの位置によって、導管を通る流れの量が決まることになる。例えば、図示
されている実施形態では、導管のネジ山１４７１−Ｃは、図１４に終端ＣＥとして示され
ているネジ山１４７１−Ｃの一端では、導管の一部の内面の全体を取り囲んでいる。スラ
グがこれらのネジ山にねじ込まれると、流れは、導管を通ることができない。何故なら、
スラグが導管の内部通路を塞いでいるからである。しかし、終端ＣＥから導管に沿って移
動した箇所では、ネジ山１４７１−Ｃは、１つまたは複数の（導管の内面がネジ山によっ
て完全に取り囲まれていない）破断部分ＢＰを備えている。この破断部分ＢＰは、導管の
ネジ山１４７１−Ｃの一部と略直交して延在する溝と考えられる。スラグが導管内で回転
し、ネジ山１４７１−Ｃの１つまたは複数の破断部分を含む箇所に隣接して位置すると、
導管は、少なくともいくらか開いているので、ガス流れが破断部分の溝内のスラグの近く
またはその周りを通り抜けることができ、これによって、流れが導管を通ることが可能に
なる。
【００９１】
任意選択的に、導管の長さに沿った破断部分の溝の位置、数、および幅を異ならせるこ
とによって、流れを変化させることができる。このように、流れの程度を変化させること
ができ、これによって、導管の流れを粗増減または微増減するように構成することができ
る。例えば、一組の溝に、導管の長さに沿ってテーパが付されていてもよい。流れ制御ス
ラグが回転し、溝の狭幅テーパに隣接して位置すると、導管を通るわずかな流れしか許容
されないことになる。同様に、流れ制御スラグが回転し、溝の広幅テーパに隣接して位置
すると、導管を通る多くの流れが許容されることになる。これらの溝のテーパ構造に基づ
いて、ネジ付きスラグが、狭幅テーパ部分の近くから広幅テーパ部分の近くまで導管に沿
って前進すると（従って、そのネジ山に沿って回転すると）、導管を通る流れが、徐々に
変化することになる。
【００９２】
流れ制御スラグをブラシレス電動モーターのロータとして駆動することによって、該ス
ラグが自動的に移動または回転されるようになっているとよい。任意選択的に、スラグの
移動は、導管の外面上に配置されたまたは導管壁内に埋設された電磁石のコイルによって
、行われてもよい。このような場合、スラグは、コイルの作動に応じてその回転を促進す
るために、部分的に磁性を有しているとよい。スラグは、電動ロッドによって回転駆動さ
れてもよい。任意選択的に、ネジ山は、導管を通るスラグの運動を容易にする多条ネジで
あってもよい。代替的に、スラグは、スラグに回転可能に連結されたソレノイドのロッド
によって、押し／引きされてもよい。任意選択的に、スラグおよび導管は、ネジ付き面を
備えていなくてもよい。
【００９３】
さらなる構成では、導管のネジ山１４７１−Ｃの大きさは、例えば、導管およびスラグ
のそれぞれのネジ山間の隙間を変化させることによって、導管の長さに沿って変化するよ
うになっていてもよい。このようにすれば、緩嵌合されたスラグのネジ山１４７１−Ｓと
導管のネジ山１４７１−Ｃとの間の空間によって、いくらかの空気流れがスラグの周りに
沿って導管内を通ることが可能になる。しかし、密嵌合されたネジ山は、流れを遮ること
になる。このような構成は、破断部分からなる溝を設けることなく、実施されてもよい。
例えば、導管の一部は、第１の大きさ、例えば、ある断面高さのネジ山１４７１−Ｓを有
しているとよい。導管の次の部分は、第２のより小さい大きさ（例えば、より小さい断面
高さ）のネジ山を有し、導管のさらに次の部分は、第３のさらに小さい大きさ（さらに小
さい断面高さ）のネジ山を有しているとよい。導管の第１の大きさのネジ山は、スラグの
ネジ山１４７１−Ｓと実質的に同じであるとよい。スラグが第１のネジ山に隣接するとき
、流れは、スラグを迂回して導管内を通れないことになる。何故なら、スラグは、導管の
ネジ山に密嵌合しているからである。スラグが回転し、第２の大きさのネジ山に隣接する
と、導管の一部の流れが、スラグを迂回して導管を通ることになる。何故なら、スラグの
ネジ山が導管のネジ山に緩嵌合しているからである。次いで、スラグが回転し、第３の大
きさのネジ山に隣接すると、さらに多くの流れがスラグを迂回して導管を通ることになる
。何故なら、スラグのネジ山が導管のネジ山にさらに緩嵌合しているからである。
【００９４】
このような構成では、導管の一端から他端までネジ山の大きさを徐々に変化させておく
と、スラグを種々のネジ山を介して導管に沿って前進させることによって、導管を通る流
れを連続的に微調整することができる。任意選択的に、ネジ山の大きさのこのような変化
は、破断部分からなる溝と共に実施されてもよい。
【００９５】
図１５は、ネジ山を有することなく段付き導管１５６７を通るガス流れを調整する移動
式流れ制御スラグ１５６９を示している。図１５Ｅは、段付き導管１５６７の上面図であ
る。図１５Ａ，１５Ｂ，１５Ｃは、各々、図１５Ｅの線ＡＢＣに沿って切断した段付き導
管１５６７の断面図を示している。図１５Ｄは、図１５Ａ，１５Ｂ，１５Ｃと同じ段付き
導管を図１５Ｅの線ＤＤに沿って切断した他の断面図を示している。段付き導管は、その
長さに沿って複数の互いに離間した段１５７３を用いている。これらの段は、導管の両側
に互い違いに配置されたものとして示されている。しかし、他の段構成、例えば、導管の
両側に対称的に配置された対称段が、設けられてもよい。図１５Ａに示されているように
、導管は、導管の流路内においてスラグ１５６８を作動させるために、電磁石１５７５を
用いている。例えば、図１５Ａに示されているように、磁石制御装置Ｃ１，Ｃ２にのみ連
結された電磁石を駆動することによって、スラグを図示された位置に維持している。磁石
制御装置（例えば、Ｃ１，Ｃ２，Ｃ３，Ｃ４）を連続的に駆動することによって、スラグ
は、導管に沿って移動することになる。（磁石制御装置Ｃ１，Ｃ４を駆動させずに）磁石
制御装置Ｃ２，Ｃ３を駆動させることによって、スラグを図１５Ａの位置から図１５Ｂに
示されているスラグ位置に移動させることができる。同様に、磁石制御装置Ｃ１，Ｃ２を
駆動させずに、磁石制御装置Ｃ３，Ｃ４を駆動することによって、スラグは、図１５Ｃに
示されているスラグ位置に移動することになる。この例では、静止電電磁石が、スラグを
移動させている、しかし、いくつかの実施形態では、導管の外部における可動磁石が導管
の外部に沿って機械的に移動し、導管内のスラグを段階的に移動させるようになっていて
もよい。
【００９６】
図１５Ｄの断面図に示されているように、導管には、広端ＷＥと狭端ＮＥを有するよう
にテーパが付されていてもよい。スラグがテーパの狭端に保持されていると、流れは、殆
どまたは全く、導管の流路１５７７を通ることができない。何故なら、スラグが通路を塞
いでいるからである。しかし、スラグが磁石の作動によってテーパの広い部分に前進する
と、より多くの流れがスラグの広い間隙の周りに沿って通路を通ることができる。これに
よって、スラグは、通路を通る流れを可変的に調整することができる。さらに、流れは、
スラグが導管に沿って前進するにつれて、徐々に変化することになる。
【００９７】
図１５Ｄに示されているような楕円状の形状を有するスラグが用いられるとよいが、導
管の輪郭に応じて、他の形状を有するスラグが用いられてもよい。例えば、図１５Ｆは、
プラグ部分１５６９Ｐおよび両端部分１５６９Ｅを備えるスラグ１５６９の上面図である
。図１５Ｆのスラグと共に用いられるのに適する導管の上面図が、図１５Ｇに示されてい
る。このような実施形態では、プラグ部分１５６９Ｐは、導管のテーパ部分の断面形状に
適するようになっているとよい。これによって、スラグが導管の狭端ＮＥに位置するとき
、プラグ部分の外面形状が、これらの表面間に間隙または公称間隙をもたらすことなく、
導管の内面形状に対応することになる。スラグが導管の広端ＷＥに位置するとき、プラグ
部分の外面形状は、導管の内面形状に対応しているが、これらの表面間に著しく大きい流
れ間隙が存在する。このように、プラグ部分は、導管の流路を可変的に阻止することにな
る。従って、プラグ部分１５６９Ｐは、図１５Ｆに示されているように略円形になってい
るとよいが、他の形状（例えば、矩形、球形、など）であってもよい。スラグの両端部分
は、導管の段と選択的に係合することを可能にするために、図１５Ｆに示されているよう
に、プラグ部分の表面を超えて延在しているとよい。これに関して、段１５７３は、任意
選択的に、導管の長さに沿って互いに向き合った溝ＳＣ内に形成されているとよい。両端
部分は、段と選択的に係合するために、段溝内において導管を横断するようになっている
とよい。
【００９８】
スラグは、どのような適切な材料から形成されていてもよい。具体的には、スラグ自体
は、１つの磁気材料から形成されているとよいが、多数の材料が用いられてもよい。例え
ば、プラグ部分は、導管の流路内において移動して流れを阻止するのに適する非磁気材料
（例えば、プラスチック材料）から形成されているとよい。両端部分は、特定の運動制御
要素によって導管の段溝ＳＣ内を段階的に運動するのに適する磁気材料（例えば、金属ま
たは磁石）から形成されているとよい。
【００９９】
図２３Ａ，２３Ｂの可変ベントアセンブリは、カバー部材２０７５および内側ベント部
材２０７０の両方に相補的な換気突起を用いている。図２３Ａ，２３Ｂの例では、上下プ
レートは、流れが選択的にプレートを通ることに可能にする開口を備えている。具体的に
は、カバー部材２０７５のプレートは、開口を有するベント部分と、ベント部分２０９０
の開口を通る流れを選択的に塞ぐかまたは遮るための嵌合突起２０７６と、を備えている
とよい。同様に、内側ベント部材２０７０のプレートは、ベント部分２０９０を形成する
開口と、換気開口２０９５の孔を選択的に塞ぐかまたは遮るための嵌合突起２０７１と、
を有しているとよい。任意選択的に、突起および嵌合開口は、それぞれ、円錐構造および
漏斗構造(funnel structure)によって形成されているとよい。１つまたは複数の付勢部材
、例えば、バネ機構２０９７が、プレートを互いに離れるようにまたは一緒にするように
付勢し、開位置または（図２３Ｂに示されているような）閉位置をもたらすようになって
いるとよい。任意選択的に、アセンブリの内側ベント部材への空圧が付勢部材を伸延させ
、図２３Ａに示されているように、流れＦがアセンブリを通ることを可能にするようにな
っていてもよい。このような場合、内側ベント部材側に十分な空圧が存在しないとき、付
勢部材の力に打ち勝つことができず、これによって、アセンブリを通る流れを遮断または
阻止することになる。種々のバネ定数および換気開口特性の選択によって、ベントを種々
の圧力によって換気作動を行うように構成することができる。さらに、１つのアセンブリ
の換気構造の長さにわたって種々のバネ定数を有するいくつかの異なる付勢部材を用いる
ことによって、ベントの種々の領域における圧力に対してさまざまに対応することができ
、これによって、種々の圧力条件に応じてアセンブリの流れ特性をさらに異ならせること
ができる。アセンブリの２つのプレート間の付勢または移動は、プレートの一方または両
方が磁性を有している場合、コイル（図示せず）を用いて１つまたは複数の磁場を選択的
に作動させることによって、制御することができる。このような場合、バネは、省略され
てもよいし、または省略されなくてもよい。
【０１００】
図２４Ａ，２４Ｂのベントアセンブリでは、内側ベント部材のベント部分２４９０の開
口を選択的に開閉するために、キャップ状構造がカバー部材２４７５として機能するよう
になっている。カバー部材自体は、換気開口を備えていない。しかし、カバー部材２４７
５と内側ベント部材２４７０との間の１つまたは複数の間隙によって、図２４Ｂに示され
ているように、内側ベント部材を通る流れが大気に放出されることになる。付勢部材、例
えば、バネ機構２４９７が、（間隙Ｇの有無に関係なく）、カバー部材２４７５を閉位置
または開位置のいずれかに付勢するようになっているとよい。任意選択的に、バネの付勢
を変更するために、電磁場を生成する１つまたは複数のコイル２４９９が設けられてもよ
い。例えば、電流または種々の強さの電流を１つまたは複数のコイル２４９９に選択的に
印加することによって、開口の大きさまたはベントを開けるのに必要な力を異ならせるこ
とができる。例えば、ベントは、内側ベント部材および／またはカバー部材に作用するバ
ネおよび／または電磁場の結果として常閉するようになっているとよい。患者が息を吐き
出すとき、および呼気によって十分な内部空圧が溜まったとき、その圧力がバネ力および
／または磁気力の一部に打ち勝ち、カバー部材を開くようになっているとよい。カバー部
材２４７５を内側ベント部材に引き付ける磁気力を増大または減少させることによって、
ベントを開くのに必要な内部空圧がそれぞれ増大または減少するようになっていてもよい
。代替的に、カバー部材２４７５を内側ベント部材から反発させる磁気力を増大または減
少させることによって、ベントを開くのに必要な内部空気圧力がそれぞれ減少または増大
するようになっていてもよい。
【０１０１】
図２５に示されているようないくつかの装置では、マスクの換気開口を通る流れは、マ
スクの換気開口内に含まれているマスクベントファン２５２５（例えば、モーターおよび
羽根付きディスク）の制御によって変更されるようになっている。ベントファンは、呼吸
治療装置ＲＴＡの制御装置によって制御されるとよい。また、制御装置、例えば、１つま
たは複数のプロセッサを有する制御装置は、圧力治療をもたらす呼吸治療装置の流れ発生
器ＦＧ（例えば、送風機）を制御するように構成されている。ベントファンは、マスク内
のベント出口として機能するようになっているとよい。例えば、ベントファンは、マスク
から呼気流れに対して内方流れおよび内方圧力を加える方向に回転するように、制御され
るとよい。このような制御によって、マスクからベントファンの開口を通って外に向かう
流れが阻止または遮断されることになる。ベントファンへの動力供給が遮断されると、マ
スクの圧力は、ベントファンの開口を通り、これによって、ベントファンを回転させるこ
とになる。ベントファンのこの呼気回転は、任意選択的に、エネルギー貯蔵部（例えば、
バッテリー）を誘導的に充電するようになっていてもよい。ベントからの外方流れは、ベ
ントファンのモーターに動力を可変的に供給することによって、変化させることができる
。例えば、患者呼気中、マスク内に内方流れを生成するように、ベントファンに動力が供
給されるとよい。一部の例では、容易な呼気流れをもたらすために、マスクから外方に向
かう流れを生成するように、マスクファンに動力が供給されてもよい。
【０１０２】
図２６Ａ，２６Ｂに示されているように、可変換気の制御は、１つまたは複数の制御可
能なダイアフラムが設けられた調整可能な呼気導管によって、行われてもよい。例えば、
図２６Ａ，２６Ｂに示されているように、呼気流れＥＦを通す呼気導管２６３３は、柔軟
材料から形成されているとよい。任意選択的に、呼気導管は、吸気流れＩＦを導く吸気導
管２６３５を含んでいてもよい。吸気導管は、呼気導管よりも剛性の材料から形成されて
いるとよい。１つまたは複数の調整可能なダイアフラム２６３７が、導管、例えば、呼気
導管の外周に施されているとよい。任意選択的に１つまたは複数の圧電セラミックまたは
電気作動ポリマーリングによって形成される調整可能なダイアフラム２６３７は、導管の
１つまたは複数の周面を選択的に調整するように、制御されるとよい。例えば、ダイアフ
ラム２６３７は、呼気導管の呼気通路を通る流れを大きくするために、図２６Ａに示され
ているように、拡張または弛緩するように、制御されてもよい。同様に、ダイアフラムは
、導管の表面を締め付けるようにその周囲を縮小し、これによって、導管の流路の大きさ
を制限するように、制御されてもよい。例えば、図２６Ｂに示されているように、ダイア
フラム２６３７は、種々の程度に締め付け、これによって、呼気導管の呼気流路の大きさ
を選択的に縮小させるように、制御されてもよい。制御装置２６４１のフィードバック制
御ループは、例えば、呼気通路と関連する圧力センサ２６３９によって圧力を監視するこ
とによって、および所望の圧力および測定された圧力の関数としてダイアフラムの大きさ
を調整することによって、この通路の大きさを調整するようになっているとよい。単一の
導管アセンブリが示されているが、多数のダイアフラムを有する多数の呼気導管が、この
ようなアセンブリによって形成される換気面積を選択的に制御するように構成されてもよ
いことを理解されたい。
【０１０３】
［可変面積式ガス洗い流しベントを含む呼吸治療装置］
【０１０４】
図３は、本技術の一態様による呼吸治療装置内への可変面積式ガス洗い流しベントアセ
ンブリの組込みを示す概略図である。
【０１０５】
図３の装置では、呼吸治療装置は、図１において前述したように略配置された流れ発生
器１０および加湿器１５を備えている。しかし、前述したように、加湿器１５の使用は、
省略されてもよい。空気送達導管３２０は、加圧空気を流れ発生器から患者インターフェ
イスに送達し、生じた空圧を患者の気道に加えるようになっている。図示されている実施
形態では、患者インターフェイスは、三角形状のフルフェイス型または鼻型の呼吸マスク
からなる患者インターフェイス３３０である。しかし、他の型の患者インターフェイスも
適用可能である。
【０１０６】
マスク型患者インターフェイス３３０は、空気供給源にマスクを接続するためのエルボ
ーまたは接続要素３２２を備えている。
【０１０７】
概して前述した態様のいずれか１つによるガス洗い流しベントアセンブリ３６０は、実
質的に患者インターフェイス３３０の近くに位置するように空気送達導管とエルボーとの
間の気道経路に配置されるために、空気送達導管３２０とエルボー接続要素３２２とに接
続される１つまたは複数の端コネクター（図示せず）を備えることができる。代替的な位
置（例えば、エルボーとマスクとの間の位置）に配置されてもよい。このようにして、ガ
ス洗い流しベントアセンブリ３６０は、患者から吐出されたガスを換気することができる
。
【０１０８】
ベントアセンブリ３６０および送達導管３２０は、以下にさらに説明するように、動力
取出しのための嵌合電気コネクタ、およびフィードバック信号および制御信号の伝送のた
めの嵌合電気コネクタをさらに備えているとよい。
【０１０９】
図４は、呼吸治療装置に設けられた本技術によるさらに他のガス洗い流しベントを示し
ている。この装置では、鼻下型患者インターフェイス、例えば、鼻クッション、鼻ピロー
、またはプロングが、ガス洗い流しベントを備えている。
【０１１０】
図４の装置は、流れ発生器（図示せず）から患者インターフェイス４３０に繋がる空気
送達導管４２０も備えている。患者インターフェイス４３０は、図示されている例では、
患者の鼻孔を密封するためのノズル４３５を備えている。
【０１１１】
図３の例と対照的に、図４では、ベントアセンブリ４６０は、患者インターフェイス４
３０に設けられている。具体的には、患者インターフェイス４３０の（枢動可能なエルボ
ー４２２の反対側の）遠位端に取り付けられている。ベントアセンブリ４６０は、図２Ａ
−２Ｃのベントアセンブリまたは円錐状アセンブリの修正形態として示されているが、代
替的に、本明細書に記載されるベントアセンブリ装置のいずれの形態、例えば、ディスク
式ベントの形態を取ることもでき、ガスを周囲よりもむしろアセンブリの端から放出する
ようになっていてもよい。一部の例では、ベントの騒音を低減するのを助長するために、
出口マフラーが追加的に設けられてもよい。例えば、患者のマスクまたは耳から騒音をさ
らに遠くに離すために、チューブまたは導管がベントの出口に追加的に設けられてもよい
。これによって、吐出された空気を患者の顔面から離れる方に送ることが可能になる。
【０１１２】
［ベント流れ調整の作動］
【０１１３】
その最も簡単な形態では、図２Ａ−２Ｃにおけるカバー部材７５および内側ベント部材
７０の相対位置は、ベント部分９０の可変面積を覆うかまたは露出させるように手動によ
って操作され、これによって、ベント流れ特性の調整制御を行うようになっている。ベン
トは、ベント面積に対する手動設定が可能になっている。この手動設定は、ベント流れに
対して偏り（ＤＣオフセット）をもたらすことになる。このようなベントのベント流れの
微調整または粗調整は、制御装置によって、手動によって設定したベント面積からベント
面積を増減することによって、制御されるとよい。ベント面積の調整は、内側ベント部材
に対するカバー部材の相対的な変位に依存して、連続的に可変になっているとよい。例え
ば、これらの２つの部材は、カバー部材の内面と内側ベント部材の外面との間の摩擦によ
って保持されているとよい。代替的に、保持部材を用いて、複数の不連続な設定位置から
特定位置を選択することによって、調整を行うことも可能である。図２Ｃの例に示されて
いるように、ベントアセンブリは、任意選択的にマーク９１を有していてもよい。マーク
９１は、カバー部材７５とベント部分９０の相対な回転位置に基づく可変ベント設定値を
示すものである。
【０１１４】
調整の範囲は、患者の治療の処方箋に従って可変ベント特性を設定するために、臨床医
によって予め設定されているとよい。
【０１１５】
ベントアセンブリは、ベント特性を調整するためのアクチュエータを備えているとよい
。
【０１１６】
例えば、ベントアセンブリは、例えば、トーションバネによって開位置に向かって付勢
され、これによって、常開ベントを形成するようになっているとよい。常開ベントは、患
者マスクに対して非窒息弁としても作用する。従って、アクチュエータは、付勢手段の力
に抗して作用し、ベントを完全にまたは比例的に閉鎖することになる。このような任意選
択的なバネ機構９７が、図２Ａに示されている。
【０１１７】
種々の形式の構成要素からなる適切なアクチュエータが用いられるとよい。例えば、ボ
イスコイルは、アクチュエータとして、例えば、線形アームボイスコイルアクチュエータ
および回転または揺動アームボイスコイルアクチュエータとして、機能するものであると
よい。ソレノイドまたはボイスコイルのようなアクチュエータのためのコイル９９の例示
的な配置が、図２Ａに示されている。代替的に、圧電アクチュエータ（直接作動式および
／または増幅式）が用いられてもよい。さらに他の代替物として、空圧アクチュエータ（
例えば、空圧増幅式アクチュエータ）が挙げられる。このような装置では、ピストンアク
チュエータに動力を供給するために、流れ発生器から圧力を取り出す導管がマスクに設け
られるとよい。ピストンは、１つまたは複数のサーボ弁、比例弁、または流量制御弁を介
して取出し導管に印加された圧力によって制御されることによって、回転または摺動し、
ベントアセンブリを所望の位置に移動させることになる。例示的な空圧ピストン３９９が
、図３の実施形態に象徴的に示されている。
【０１１８】
ソレノイドがアクチュエータとして利用されるとき、流れ発生器の制御装置によって、
電圧が適所に配置されたソレノイドに伝達され、これによって、例えば、カバー部材に対
する内側ベント部材の相対位置を調整することによって、ベントアセンブリを作動するよ
うになっている。ソレノイドに伝達される電圧によって、ソレノイドの位置、従って、ベ
ントアセンブリの位置が変更されるようになっている。例えば、第１の電圧が、ベントア
センブリを第１の位置に位置決めするために、（例えば、ベントアセンブリの半分を大気
に対して開くために）、ベントアセンブリに印加されるとよい。第２の電圧は、ベントア
センブリを第２の位置に位置決めするために、（例えば、ベントアセンブリの全てを大気
に対して開くために）、ベントアセンブリに印加されるとよい。ベントのこのような調整
可能な位置は、不連続であってもよいが、完全に開いた位置と完全に閉じた位置との間で
連続的に変化するようになっていてもよいし、または完全に開いた位置と完全に閉じた位
置との間のいくつかのその他の設定限界値であってもよい。
【０１１９】
ボイスコイルアクチュエータまたは圧電アクチュエータのような電動式アクチュエータ
の場合、このアクチュエータは、バッテリのようなそれ自体の電源を備えているとよい。
任意選択的に、このアクチュエータには、例えば、図１の空気送達導管２０の加熱回路か
らの電力取出しによって、電力が供給されてもよい。ベントアセンブリおよび空気送達導
管には、この目的のために、嵌合電気コネクタが形成されていてもよい。さらにまた、こ
のアクチュエータには、誘導カプリングまたは変圧器カプリングによって、動力が供給さ
れてもよい。
【０１２０】
ボイスコイルアクチュエータは、ベントアセンブリの相対的変位、例えば、ガス洗い流
しベント（例えば、ベントアセンブリ６０）の円錐構造体の変位を達成するように、構成
されているとよい、例えば、ワイヤのコイルは、１つの可動円錐（例えば、外側円錐また
は内側円錐の頂点）に取り付けられるとよい。磁石が、固定位置、例えば、ベントアセン
ブリに隣接する患者インターフェイスのフレームの部分に配置されるとよい。電圧がワイ
ヤに印加されると、磁気が円錐の再位置決めをもたらし、これによって、ベント開通路に
関連する整合性を変化させることになる。円錐の種々の位置は、コイルに印加される種々
の電圧または電流を制御することによって、設定されるとよい。
【０１２１】
さらに、アクチュエータは、ベント装置、例えば、ベント装置の円錐部材または円錐部
材の１つの一部に取り付けられた誘導コイルを備えていてもよい。任意選択的に、圧電モ
ーターのようなモーターが、誘導コイルに取り付けられてもよい。アクチュエータは、こ
のコイルのみによって、および／または圧電モーター／ドライバーによって作動されるこ
とになる。一部の例では、ベントアセンブリは、例えば、ソレノイドを制御し、ベント位
置よりもむしろベント流れを測定することによって、位置センサを設けることなく、作動
されてもよい。代替的に、ベントアセンブリは、ベントの位置を調整するモーターまたは
ドライバーのみによって作動されてもよい。
【０１２２】
ベント調整のための制御信号は、「学習（learn）」サイクルまたは「初期化（initiat
ion）」サイクルを実行することによって、学習されてもよい。このようなサイクルは、
任意選択的に流れ発生器の制御装置によって行われてもよい。このようなシステムは、ベ
ントを調整するのに必要な電力の量を学習し、任意選択的に、位置センサを必要とするこ
となく（または位置センサに経費を掛けることなく）、学習を行うことができる。このよ
うな学習サイクルは、治療の初期に開始されるとよい。このようなサイクルでは、一連の
電圧がモーターに送られ（例えば、電圧を変調し）、誘導コイルに一連の電圧を誘導し、
ベントアセンブリを、完全な閉位置から完全な開位置までの範囲内の多数のベント整合位
置に直線状にまたは段階的に移動させることになる。例えば、ベントがその端に到達し、
もはやベントを移動させるために電力を供給する必要がなくなったとき、システムは、停
止する。最小電圧および最大電圧に関するデータは、最小ベント位置および最大ベント位
置またはベントの線形位置に関連して、記録または保管されるとよい。同様に、ベントを
最初に移動させるのに必要な最小電圧が記録されるとよい。ベントを最小位置から最大位
置に（またはその逆に）移動させるのに必要または所望される電圧を表すデータも記録さ
れるとよい。電流が制御される場合、特定の電圧に関連してベントの移動を所望の位置に
設定するために必要な電流が、代替的に記録されてもよい。使用に際してベントアセンブ
リを設定する場合、流れ発生器の制御装置は、例えば、国際特許出願公開第２００２／０
５３２１７号公報に記載されている方法によって、所定のマスク特性に基づいて必要なベ
ント流れを計算するようになっているとよい。ベントの学習された値および既知の特性に
基づいて、制御装置は、ベントを所望の流れが得られるように位置決めするために、モー
ターまたはソレノイドへの電圧または電流の印加を制御するようになっているとよい。
【０１２３】
圧電モーターも有利である。何故なら、圧電モーターは、ベントを移動させるのに低電
力しか必要としないからである。例えば、圧電モーターは、ベントを移動させるのにわず
かな電力しか必要とせず、ベントを所定位置に保持するために付勢力を上回る電力を必要
としない。しかし、圧電モーターは、付勢力／ソレノイドアクチュエータよりも精度が劣
ることになる。何故なら、バネ／ソレノイド装置は、小さいストロークによってより正確
に作動することができるからである。
【０１２４】
図１８Ａ，１８Ｂは、ソレノイド構造内に組み込まれたベントアセンブリを示している
。カバー部材１８７５は、複数の孔によって形成された換気開口１８９５と、１つまたは
複数の巻線溝１８９１とを備えている。巻線溝１８９１は、カバー部材１８７５の内側孔
と略平行になるように、該孔に沿って延在している。任意選択的に、このような溝は、（
図示されていないが）、カバー部材の外面にも同様に設けられていてもよい。巻線溝は、
内側ベント部材を電磁気的に操作するように作用するコイル巻線１８９９のための溝をも
たらすものである。一部の例では、このような巻線は、カバー部材１８７５の構造内に封
入されているとよい。図１８Ｃの端面図に示されているように、カバー部材は、いくつか
の部分、例えば、２つ，３つ，４つ，または５つ以上の部分、具体的には、円筒をその長
さに沿って長手方向に分割した左半体カバー部材１８７５Ｌおよび右半体カバー部材１８
７５Ｒによって形成されているとよく、これによって、コイルをカバー部材１８７５のそ
れぞれの区域に設けることができ、ベントの組立を容易にすることができる。これらの部
分は、内側ベント部材がこれらの部分内に保持されるように、互いに接合されることにな
る。カバー部材のこれらの部分の接合によって、内側ベント部材は、回転可能に保持され
ることになる。
【０１２５】
使用にあたって、内側ベント部材１８７０は、カバー部材１８７５のコイル１８９９の
数に依存して、図１８ＢにＮ−ｍａｇおよびＳ−ｍａｇとして示されているように、チュ
ーブの長手方向における両側に磁極を有するように、磁化されるとよい。例えば、図１８
Ａ，１８Ｂ，１８Ｃに示されているアセンブリの実施形態では、内側ベント部材１８７０
は、２つの半体をなす複数の区域が磁化されている。しかし、図１８Ｄのアセンブリに示
されているように、内側ベント部材は、付加的なコイルに対応する付加的な区域が磁化さ
れていてもよい。図１８Ｄに示されているように、カバー部材は、３つのコイル溝１８９
１、および３つのコイル１８９９を備えており、内側ベント部材は、６つの磁極（例えば
、交互に配置されたＳ極，Ｎ極）を有する区域が磁化されているとよい。カバー部材のこ
のような実施形態は、任意選択的に、円筒をその長さに沿って長手方向に分割した３分割
体から形成されていてもよい。勿論、これらと異なる数のコイルが用いられてもよい。
【０１２６】
このような構成では、孔１８８０およびベント部分１８９０を有するチューブとして示
されている内側ベント部材は、いくつかの磁極を有している。次いで、外側カバー部材の
コイル巻線が、（例えば、電流を印加させることによって）励磁され、コイルの数に依存
して１つまたは複数の磁場を生成することになる。任意選択的に、内側ベント部材は、付
勢手段１８９７（例えば、バネ機構）を有するカバー部材に連結され、これによって、も
し装置に動力が供給されないなら、内側ベント部材の回転が、初期位置（例えば、開位置
、閉位置、または部分的な開位置）に戻るように付勢されるとよい。誘導巻線への電流を
制御することによって、生じた磁場が内側ベント部材の磁化された磁極に作用し、吸引力
および／または反発力によって内側ベント部材を移動または移行（例えば、回転）させる
ことになる。生じた磁場の強さは、回転の程度を制御するように調整されるとよい。従っ
て、この回転によって、回転チューブのベント面積の形態に依存して、孔がいくらか覆わ
れるかまたは開けられ、これによって、可変換気が可能になる。
【０１２７】
他のベントアセンブリ構造では、図２７Ａ，２７Ｂに示されているように、密封された
ソレノイドがマスクアセンブリの呼気チャンバ内に設けられ、これによって、可変面積式
ベントを形成している。円筒状マスクアセンブリ２７０１に形成された呼気チャンバＰ３
は、ピストン２７０３を含んでいる。呼気チャンバＰ３は、呼気チャンバＰ３から大気へ
の開通路をもたらす換気開口２７０５を備えている。任意選択的に、各換気開口の孔は、
微小孔、例えば、略０．４ｍｍから１ｍｍ、例えば、０．７ｍｍの直径を有する孔である
とよい。ピストンは、換気開口の１つまたは複数を選択的に塞ぐために、チャンバ内に摺
動可動に係合されている。ピストンは、ピストンチャンバＰ２を形成するように構成され
ており、ユーザーから生じた呼気流れＦは、マスク２７０９のユーザー側チャンバＰ１か
らこのピストンチャンバＰ２を通るようになっている。この目的を達成するために、ピス
トンは，呼気流れがピストンを通ることを可能にする１つまたは複数のピストン開口２７
１５も備えている。コイル２７９９が、呼気チャンバＰ３内のピストンの位置を選択的に
調整し、これによって、換気開口２７０５の面積を選択的にいくらか覆うように、制御さ
れるとよい。ピストンを引っ張り、および／またはピストンの移動の程度または範囲を制
限するために、任意選択的な手動調整機構２７１１、具体的には、ネジ付きポスト（例え
ば、ネジ２７１１ＳＷ）および付勢部材（例えば、バネ２７１１ＳＧ）が、ピストンに固
定されているとよい。このような手動の調整は、ベントの最小開面積を手動によって設定
するために行われるとよい。任意選択的な位置センサ２７１３が、ピストンを位置決めす
るためのソレノイドコイルへの電流を選択的に制御するため、制御装置（図示せず）にデ
ータをフィードバックするようになっているとよい。図２７Ａに示されているように、ピ
ストンは、呼気流れに対してより大きい換気面積をもたらすために開位置に配置されるよ
うに、制御されるとよい。また、図２７Ｂに示されているように、ピストンは、呼気流れ
の換気面積を少なくするために、換気開口２７０５の換気面積の一部を覆って摺動するよ
うに、電磁場によって制御されるとよい。
【０１２８】
図２７Ａ，２７Ｂのいくつかの構成では、ソレノイドが省略されてもよい。このような
場合、ピストンを所望の換気位置に移動させるために、（バネが省略されてもよい）調整
機構によって、手動によって調整されるとよい。同様に、いくつかの構成では、手動の調
整機構が省略されてもよく、換気面積調整は、ソレノイドの制御によってのみ行われても
よい。
【０１２９】
図２７Ａ，２７Ｂのベントアセンブリの１つの利点は、Ｐ１，Ｐ２，Ｐ３と呼ばれる多
数のチャンバを含んでいることである。多数のチャンバによって、呼気換気の騒音が低減
することになる。これらのチャンバによって、段階的な圧力降下のいくつか（例えば、Ｐ
１からＰ２、Ｐ２からＰ３、およびＰ３から大気）をもたらすことができ、これによって
、換気騒音を低減させることができる。
【０１３０】
可変面積換気のための調整可能なベントとして構成された他のマスクアセンブリ２８０
１が、図２８Ａ，２８Ｂに示されている。内側ベント部材２８７０は、マスクアセンブリ
２８０１の内側ユーザー側ＩＵＳに位置しているとよい。内側ベント部材は、マスクアセ
ンブリの換気開口２８０５を種々の程度に塞ぐように選択的に位置決めされるようになっ
ているとよい。これに関して、内側ベント部材は、換気開口の輪郭と相補的な輪郭または
外形を備えるプラグ１８１７Ｐのような１つまたは複数の突起を備えているとよい。例え
ば、突起は、円錐形状によって形成され、開口は、漏斗形状に形成されているとよい。こ
の場合、円錐形状は、漏斗形状内に延出するかまたは漏斗形状から引き出されるように移
動され、これによって、この漏斗を通る流れをより大きい程度またはより小さい程度に制
限することになる。また、開口を通る流れを変化させるために、他の形状の突起および開
口が用いられてもよい。
【０１３１】
図２８Ａ，２８Ｂに示されているように、内側ベント部材２８７０の移動は、コイル２
８９９を有するソレノイドによって制御されるとよい。代替的に、ソレノイドは、マスク
アセンブリ２８０１の内側ベント部材２８６０と換気部分のアクチュエータ支持体２８１
９との間に連結されたネジ付きポストを回転させるステッパモーターに置き換えられても
よい。任意選択的に、戻りバネのような付勢部材２８９７が、内側ベント部材２８７０を
開位置または閉位置のいずれかに付勢するようになっていてもよい。従って、例えば、ス
ラグまたはソレノイドのピストンによるベント部材の移動は、バネを圧縮するかまたは引
っ張ることになる。例えば、付勢部材が内側ベント部材を開位置に付勢している場合、コ
イルへの電力を印加しないと、内側ベント部材は、図２８Ａに示されている開位置に保持
され、ユーザー側から換気開口を通る最大呼気流れが可能になる。ソレノイドまたはステ
ッパモーターへの電流の供給を制御することによって、内側ベント部材を種々の程度にわ
たって換気開口に接近するように移動させ、ベントの面積を減少させ、これによって、マ
スクアセンブリの上側からの呼気流れＦを減少させることができる。
【０１３２】
図２８Ａ，２８Ｂのベントアセンブリの利点は、制御ユニット（例えば、ソレノイドお
よび／またはステッパモーター）の一部がマスクの外側に位置していることである。従っ
て、これらの制御ユニットを保守または交換のために容易に取り外すことができる。
【０１３３】
可変面積式ベントとして実施されるさらに他のベントアセンブリが、図１９Ａ，１９Ｂ
に示されている。カバー部材１９７５は、複数の柔軟なまたは枢動可能なフラップ１９７
５Ｆを備えている。これらのフラップは、フラップの枢動縁をなす一端が、内側ベント部
材１９７０に取り付けられている。内側ベント部材１９７０は、孔を備えており、これに
よって、フラップ１９７５Ｆの下またはそれらの間にベント部分１９９０を形成している
とよい。また、内側ベント部材１９７０は、１つまたは複数の電磁コイル１９９９のため
の１つまたは複数の導管を備えている。例えば、各フラップ１９７５Ｆは、それ自体のコ
イル１９９９に関連付けられているとよい。フラップは、流れＦが内側ベント部材を通っ
て、カバー部材１９７５のフラップ１９７５Ｆ間の空間によって形成された換気開口１９
９５を通ることを可能にするように、操作されるとよい。コイル１９９９に電流を印加す
ることによって、磁場を生成し、これによって、近接フラップ１９７５Ｆの磁気部分を磁
気的に吸引し、該フラップを枢動または屈曲させるように引っ張り、内側ベント部材のベ
ント部分１９９０の開口を覆って閉鎖することになる。このようにして、フラップは、図
１９Ａに示されているように、フラップに近接する内側ベント部材を通る流れを阻止また
は遮断するように、作動されるとよい。このように印加される電流が存在しないと、流れ
Ｆは、内側ベント部材１９７０を通過し、カバー部材１９７５のフラップ１９７５Ｆの側
を通り過ぎることになる。任意選択的に、これらのコイルは、共通電流によって操作され
、全てのフラップを同一操作によって閉鎖するようになっていてもよい。しかし、代替的
に、フラップは、コイル１９９９の１つまたは複数またはそれらの組の選択的な操作によ
って（例えば、１つずつの操作によって）、選択的に作動されてもよく、これによって、
フラップの増大する部分集合を開閉することによって、ベント開面積を変化させることが
できる。
【０１３４】
フラップは、磁気材料から形成されていてもよいし、または磁気的な部分を有していて
もよい。例えば、磁気フラップ縁ＭＦＥが、（図１９Ａに示されている）柔軟なプラスチ
ックまたはポリマーのような非磁性材料から形成された枢動フラップ縁ＰＦＥと反対側の
縁において磁気材料のフラップに沿って形成されているとよい。図１９Ｂは、フラップの
起立によるベントの開通路を示しているが、代替的に、磁気制御によるフラップの起立が
ベントを通る開口または通路を阻止するようになっていてもよい。
【０１３５】
加えて、布地の可動性布部分または糸が、ベントの面積を通る流れを調整するようにな
っていてもよい。例えば、多孔性布地が内側ベント部材の一部を覆うように設けられても
よい。磁場または物理的な刺激または布地の他の機械的な運動（例えば、伸張）を加える
ことによって、布地を通る空気の伝達を修正するための布地の流れ特性または多孔率を変
更するようになっているとよい。例えば、図２０Ａ，２０Ｂ，２１Ａ，２１Ｂに示されて
いるように、布地は、流れを制御するための可動性糸または層を有しているとよい。図２
０Ａ，２０Ｂに示されているように、任意選択的に翼形状を有する布地の層は、流れが布
地を通ることを可能にするように移動されるとよい。図２０Ａに示されているように、層
が直立すると、布地の流れ特性が増大する。図２０Ｂに示されているように、層が倒れる
と、布地の流れ特性が減少する。同様に、図２１Ａ，２１Ｂの布地の形態では、１つまた
は複数の磁場に選択的に露出した金属糸のような糸が、布地の流れ特性を選択的に増減さ
せるために、起伏するようになっているとよい。
【０１３６】
図２９Ａ−３５に示されているように、可変換気は、その手段として、調整可能なアイ
リス（iris）を用いてもよい。図３１，３２の構成部品の例に最もよく示されているよう
に、アイリスアセンブリ３２０２は、調整可能な開口３２０３を有するダイアフラムとし
て機能するようになっている。ブレード３２０４−１，３２０４−２，３２０４−３，３
２０４−４，３２０４−５，３２０４−６，３２０４−７，３２０４−８は、開口を形成
するように、第１および第２のブレードマウント３２０６−１，３２０６−２間に回転可
能に取り付けられている。図３１に示されているように、ブレードは、湾曲しており、そ
れらの略平坦な平面が、少なくとも部分的に互いに接触するように重なり合っている。各
ブレードは、ブレードの端の近くにおいてブレードの枢動開口３２０８に挿入された枢動
ピン（図示せず）を中心として回転するようになっている。これらの枢動ピンは、第２の
ブレードマウント３２０６−２の開口３２０９−１，３２０９−２，３２０９−３，３２
０９−４，３２０９−５，３２０９−６，３２０９−７，３２０９−８内にさらに係合さ
れている。一般的に、ブレードの狭縁は、互いに接触していない。むしろ、各ブレードの
表面は、部分的に１つまたは２つの他のブレードの表面と摺動可能に係合している。用い
られるブレード３２０４の数は、変更されてもよいことを理解されたい。例えば、２，３
，４，５，６，７，８，９、またはそれ以上のブレード３２０４が用いられてもよい。
【０１３７】
ブレードマウント３２０６−１の一部として形成されたアイリス駆動レバー３２１０は
、ブレードによって形成される開口３２０３の調整のためのアクチュエータとして機能す
るために、ブレードの全てと枢動可能に連結されている。駆動レバーが図３２に示されて
いる矢印ＤＤの方向に移動すると、ブレードが回転し、ブレードによって形成される調整
可能な開口３２０３の大きさを増減することができる。このように作動される駆動レバー
の運動によって、各ブレードは、アイリスの調整可能な開口３２０３の中心に向かう方に
（または中心から離れる方に）回転する。従って、駆動レバーの運動は、空気の流れを選
択的に阻止（または許容）することになる。また、駆動レバーの位置に応じて、アイリス
を通る空気流れの程度を選択的に変化させることができる。
【０１３８】
従って、アイリスアセンブリが換気部品、例えば、マスクまたは他の導管のポート内に
挿入されると、駆動レバーの手動調整によって、アイリスアセンブルを用いるベントを通
る所望レベルの空気流れを設定することができる。しかし、例えば、図２９Ａ−２９Ｄに
示されているように、アイリスアセンブリは、駆動レバーをさらに自動的に制御するため
に、従って、調整可能な開口３２０３の可変サイズを自動的に制御するために、アクチュ
エータ部品を装置内にさらに備えていてもよい。
【０１３９】
例えば、アイリスアセンブリには、ヨーク３３１２が装着されるとよい。図３３に示さ
れているように、ヨーク３３１２は、リングとして構成されている。任意選択的に、この
リングは、磁気材料および／またはプラスチック材料から形成されているとよい。ヨーク
は、駆動レバーキャッチ３３１４、例えば、アイリスアセンブリがヨーク３３１２内に挿
入されたときに駆動レバーに重ねられる一組の突起３３１６−１，３３１６−２を有する
駆動レバーキャッチを備えているとよい。リングの周囲に交互の磁極を有する一組の磁気
区域を形成するために、ヨークの周面は、磁気区域３３１８−１，３３１８−２または取
り付けられた磁石を有するように形成されているとよい。区域の数は、ヨークにとって望
ましい運動の範囲に依存して、必要に応じて、選択されるとよい。例えば、２つの磁極構
成、４つの磁極構成、などが用いられるとよい。
【０１４０】
ヨークリングは、制御コイルリングアセンブリ、例えば、図３４に示されているコイル
アセンブリ３３１９内に回転可能に取り付けられるとよい。制御コイルリングアセンブリ
は、典型的には、例えば、リング形態にある一組のコイル３３２０−１，３３２０−２を
備えているとよい。具体的には、コイルは、周囲に配置されており、ヨークリングが配置
される箇所の近くにおいて、制御コイルアセンブリの内面に近接しているとよい。これら
の磁場コイルには、制御装置によって、電力が一組のリード３３２２を介して選択的に供
給されるようになっているとよい。従って、制御装置によって動力をコイルに選択的に供
給すると、磁場コイルの磁気力およびヨークの磁気区域によって、（図３２に示されてい
る矢印ＤＤの方向における）ヨークの選択的な回転が可能になる。例えば、ヨークおよび
コイルアセンブリは、ヨークがコイルアセンブリ内において略９０°の範囲内の運動を可
能にするように、構成されているとよい。このようにして、アイリスアセンブリがヨーク
内に装着されると、ヨーク３３１２は、ヨークの長孔内の駆動レバーを駆動レバーキャッ
チ３３１４を介して移動させるように、制御されることになる。従って、磁場コイルへの
電力供給の制御によって、調整可能な開口３２０３の大きさを選択的に制御し、その結果
、アイリスを通る換気流れを制御することができる。これに関して、ベントの空気流れは
、ブレードによって形成された開口内を通過すると共に、コイルアセンブリおよびヨーク
によって形成されたリング内を通過することになる。いくつかの例示的な構成では、呼吸
治療装置の制御装置またはプロセッサは、本明細書にさらに詳細に記載される制御手順の
いずれかを用いて、このようなアイリスによって、ベント流れを制御するようになってい
るとよい。
【０１４１】
任意選択的に、いくつかの実施形態では、ヨークは、ヨークを所定の方向に付勢する１
つまたは複数の付勢部材を用いてもよい。例えば、ヨークは、ヨークの駆動レバーの付勢
された位置によって、アイリスアセンブリが完全な開位置に固定されるように、１つまた
は複数のバネによって付勢されるとよい。次いで、コイルへの電力供給によって、アイリ
スアセンブリをそのバネ付勢された位置から離れる方に、従って、より閉位置に向かう方
に、付勢力に抗して移動させるようになっているとよい。コイルへの電力供給が遮断され
ると、このように付勢されたアイリスアセンブリは、付勢部材（例えば、バネ）の付勢力
によって完全な開位置に戻ることになる。同様に、ヨークは、ヨークの駆動レバーの付勢
された位置によって、アイリスアセンブリが完全な閉位置に固定されるように、１つまた
は複数のバネ部品によって付勢されてもよい。コイルへの電力供給によって、アイリスア
センブリをそのバネ付勢された位置から離れる方に、従って、より開位置に向かう方に、
付勢力に抗して移動するようになっているとよい。コイルへの電力供給が遮断されると、
このように付勢されたアイリスアセンブリは、バネの付勢力によって完全な閉位置に戻る
ことになる。
【０１４２】
さらにまた、１つまたは複数のバネ部品を用いて、アイリスアセンブリを半開／半閉位
置に固定するように、ヨークおよびヨーク内の駆動ピンの位置を付勢するようになってい
てもよい。コイルへの選択的な電力供給によって、アイリスアセンブリをそのバネ付勢さ
れた位置から離れる方に、従って、より開位置またはより閉位置に向かう方に、少なくと
も１つの付勢力に対抗して移動させるようになっているとよい。コイルへの電力供給が遮
断されると、アイリスアセンブリは、バネ部品の付勢力によって半開／半閉位置に戻るこ
とになる。
【０１４３】
図３０，３５に示されているように、アイリスアセンブリおよび制御機構（例えば、ヨ
ークおよび制御コイルアセンブリ）は、ハウジング３５３５内に挿入されるとよい。ハウ
ジング３５３５は、マスク用の排気ベントまたは洗い流しベントの導管の一部として機能
するものである。例えば、図３５に示されているように、ハウジング３５３５は、ハウジ
ングの導管３５３７を通る空気の流れを調整するために、アイリス機構３６３６に連結さ
れているとよい。任意選択的に、図３０に示されているように、アイリス機構３６３６が
挿入されたハウジング３５３５は、それ自体、導管アダプターとして形成されているとよ
い。従って、空気送達導管は、アイリス機構がアダプターに接続された導管を通る流れを
制御するように、ハウジング３５３５に連結されているとよい。このような場合、アダプ
ター開口３１３８−１，３１３８−２は、例えば、開口と導管との間の締り嵌めによって
、付加的な導管（例えば、空気送達チューブ）用のカプラーとして機能するようになって
いるとよい。一部の例では、ヨークおよびコイルアセンブリを有するアイリス機構は、洗
い流しベントとして機能するために、患者マスクの排気ポート内に挿入されるように寸法
決めされていてもよい。例えば、図２９Ｄのアダプターアセンブリの直径線ＤＩＡの長さ
は、１５ｍｍ−３０ｍｍ、例えば、約２２ｍｍであるとよく、線ＬＴＨによって示される
長さは、１２ｍｍ−２５ｍｍ、例えば、約１７ｍｍであるとよい。従って、アイリス機構
自体の直径は、２２ｍｍよりも小さくなっているとよく、その長さは、１７ｍｍよりも小
さくなっているとよい。このような部品寸法によって、マスクをそれほど大きくすること
なく、アイリス機構をマスク内に挿入して用いることができる。従って、このアイリス機
構を用いる患者に、睡眠中、より快適さをもたらすことになる。
【０１４４】
図１において、ベントアセンブリ６０，３６０、４６０は、１つまたは複数のセンサ、
例えば、ベントの制御に用いられる流れまたは圧力を測定する圧力センサまたは流量セン
サをさらに備えているとよい。例えば、マスクの圧力は、ベントを制御する関数として測
定され、かつ用いられるとよい。同様に、ベント内の流れまたはベントを通る流れは、ベ
ントを制御するために、測定され、かつ用いられるとよい。さらに、患者流れの測定値は
、ベントの切換を制御するための関数の入力値として用いられてもよい。任意選択的に、
ベント部材およびカバー部材の相対的な位置を検出するために、位置センサが用いられて
もよい。このようなセンサの１つまたは複数に基づいて、ベントの換気特性が、例えば、
流れ発生器の制御装置またはプロセッサによって、作動中に評価されるようになっている
とよい。
【０１４５】
流れ発生器のプロセッサ４０、ベントアセンブリアクチュエータ、およびセンサの間の
通信は、専用ワイヤを介して行われてもよいし、または代替的に、他のセンサワイヤによ
る多重送信によって行われてもよいし、チューブヒータワイヤによる多重送信によって行
われてもよいし、またはヒータワイヤへの誘導結合によって行われてもよい。代替的に、
通信は、例えば、ブルートゥース（登録商標）・リンクによる無線によって行われてもよ
い。
【０１４６】
アクチュエータアセンブリは、ベントアセンブリの方向に赤外線をパルス放射する赤外
線ライトを備えていてもよい。ベントアセンブリは、赤外線をアクチュエータアセンブリ
に向かって反射し、アクチュエータアセンブリにおいて、マイクロプロセッサが、赤外線
の放射と反射された赤外線の受信との間の時間遅れを計算する。この時間遅れが、ベント
アセンブリの位置の指標にされるとよい。代替的に、例えば、受信した光の振幅によって
、反射率が測定され、この反射率がベント位置の指標にされてもよい。何故なら、種々の
振幅は、ベントの種々の位置と関連するからである。いったんベントアセンブリの位置が
知られたら、流れ発生器のプロセッサは、マスクにおける圧力および／または流れを計算
し、これに応じて、流れ発生器の設定値を調整するようになっているとよい。加えて、ア
クチュエータまたはモーターは、もし流れ発生器が代替的なベント位置が必要であること
を算出したなら、ベントアセンブリの位置を調整するようになっているとよい。
【０１４７】
［ベント流れの制御］
【０１４８】
本技術の可変面積式ベント装置は、ガス洗い流しの制御を改良することができる。これ
によって、患者治療の改良および／または呼吸治療装置の機能化が可能になる。例えば、
マスクの状態に対する流れ発生器のより迅速な対応をもたらすように、ベントを作動させ
ることができる。より迅速な立ち上がり時間および立ち下がり時間をもたらすように、ベ
ントを流れ発生器によって作動させることもできる。一部の例では、ベントの作動によっ
て、単一圧で作動する送風機を用いながら、換気面積の変化を制御することによって、マ
スクの圧力を変化させることもできる。一部の例では、ベント導管のインピーダンスを変
化させることによって、マスク内の圧力レベルを調整することも可能である。例えば、図
１４，１５の導管の実施形態が、ベントの出口に連結されるとよい。この場合、流れ制御
スラグの操作によって生じる導管インピーダンスの変化によって、ベントの圧力または流
れを変化させることができる。
【０１４９】
例えば、ベント面積の制御は、患者の圧力治療と協働するために、患者の呼吸サイクル
と同期して行われるとよい。例えば、能動ベントの作動は、図６Ａ，６Ｂに示されている
ように、ベント流れが患者の呼吸流れサイクルの流れを反映するように、行われるとよい
。図６Ａ，６Ｂに示されているように、ベント流れは、患者の呼吸と位相がずれている。
具体的には、最小ベント流れがピーク吸気に設定されており、これによって、患者は、（
流れ発生器からのガスの一部がベントから直に排出される典型的な非調整型ガス洗い流し
ベントと対照的に）より多くのガスを流れ発生器から吸入することができ、その一方、最
大ベント流れがピーク呼気に設定されている。図に示されているように、ベント流れの振
幅の変化を設定するために、種々の関数（例えば、正弦波関数、鮫ヒレ状関数、など）が
用いられてもよい。
【０１５０】
任意選択的に、換気面積およびその結果としてのベント流れの制御は、患者の睡眠状態
（例えば、患者が目覚めているか、または睡眠しているかどうか）に依存して、その位相
またはタイミングが調整されるようになっているとよい。例えば、患者が目覚めている（
例えば、睡眠しようとしているとき）、ベントは、流れ発生器と協働して、より開いた位
置またはより大きい流れ位置、例えば、患者の呼吸サイクルに対して略一定に保持された
より大きい流れ位置に作動されるように制御されるとよく、これによって、患者が吸い込
むときのインピーダンスが小さくなる。患者が睡眠状態に入ると、システムの制御装置は
、図６Ａまたは６Ｂに示されているような方法に準じて、ベントの作動を開始するとよい
。任意選択的に、もし装置が目覚め状態または非睡眠状態を検出したなら、ベントは、流
れ発生器と協働して、より大きい流れ位置、例えば、より一定の大きい流れ位置に戻るよ
うに制御されるとよい。睡眠状態の決定は、どのような適切なプロセスによって行われて
もよいが、いくつかの実施形態では、２０１０年７月１４日に出願された国際特許出願第
ＰＣＴ／ＡＵ２０１０／０００８９４号公報に記載されている睡眠状態検出技術によって
なされるとよい。なお、この文献の開示内容は、参照することによって、ここに含まれる
ものとする。
【０１５１】
ベントの制御は、検出された患者の疾患、例えば、睡眠呼吸障害事象に応じて、行われ
るようになっていてもよい。例えば、流れ発生器の制御装置のプロセッサによる流れデー
タおよび／または圧力データの解析が、呼吸疾患、例えば、中枢性無呼吸または閉塞型無
呼吸、中枢性低呼吸または閉塞型低呼吸、および／またはいびき、などを検出するように
なっているとよい。このような疾患を検出するための例示的な方法は、２０１０年５月１
７日に出願された米国特許出願第１２／７８１，０７０号公報に記載されている。この文
献の開示内容は、参照することによって、ここに含まれるものとする。次いで、制御装置
は、患者の検出された疾患の解析に基づいて、ベント面積を設定することになる。例えば
、中枢性無呼吸（気道が閉塞せずに生じる無呼吸）または中枢性低呼吸が検出されたなら
、プロセッサは、患者がＣＯ２を再呼吸することが可能になるように、換気面積を閉じる
かまたは減少させるように、ベントを制御するとよい。これによって、患者の脳を体内に
おけるＣＯ２の増大を検出するように誘発し、これによって、患者が自発的に呼吸を行う
ことになる。その後、もし制御装置が患者の呼吸を検出したなら、またはもし安全な時期
が連続的に経過したなら、ベントは、その標準的な作動、例えば、図６Ａまたは６Ｂの多
様な手順と関連する作動に戻るか、または呼吸中に必要なベント流れをもたらすより一定
の開位置に戻るように、制御されるとよい。有利には、ベント面積の変化に起因する圧力
または流れ調整は、流れ発生器の調整によって制御されるこのような変化よりも迅速に効
果をもたらすことができる。従って、ベントの作動によるマスク状態の初期の調整は、流
れ発生器による変化が行われる前に行われるとよい。これによって、流れ発生器の制御装
置は、そのセンサによって、いかに患者の気道が反応を示したかおよび／またはいかに流
れ発生器がその後に応答するべきかを決定する機会を得ることができる。
【０１５２】
さらに、換気面積の調整は、患者の快適さを改良するためにまたは不適切に配置された
マスクによる潜在的な漏れを相殺するために、行われてもよい。本質的に、これらの手順
によって、患者のマスクの位置の調整が可能になる。例えば、流れ発生器の制御装置は、
マスクの変位した配置に起因する意図しない漏れの生成を検出することができる。もしこ
のような漏れが検出されたなら、制御装置は、ベントアセンブリを閉鎖するようにまたは
迅速に閉鎖するように、ベント面積の調整を制御するとよい。任意選択的に、ベントのこ
のような閉鎖に伴って、流れ発生器は、マスクに送達される空気流れまたは圧力を一時的
に増大させるために、空気の流速を高めるように制御するとよい。ベントアセンブリの閉
鎖によるマスクの圧力増大によって、患者の顔面からのマスクの「跳躍（jump）」、振動
、または位置ずれが生じる。マスクのこの跳躍または移動の結果として、マスクは、患者
の顔面を密封するように再位置決めされ、場合によっては、検出された漏れ経路を密封す
ることになる。
【０１５３】
代替的な制御アプローチとして、制御装置は、次いで、ベント装置を開くように制御し
、（および／または同時に流れ発生器によって生じる圧力を減少するように制御し、）こ
れによって、所定の期間にわたって、マスク圧力を実質的に（例えば、所定の圧力または
大気圧に）低下させるとよい。マスク圧力のこの大きい低下によって、マスクは、患者の
ある程度の運動によって再位置決めされ、または自動調整マスクの場合には、マスクが位
置変化し、これによって、場合によっては、密封の問題を修正することも可能になる。任
意選択的に、この制御された開口アプローチは、マスク漏れが前述した「跳躍」の試み後
にさらに検出された場合、この「跳躍」の試みの後に行われるとよい。このような制御手
順は、漏れがもはや検出されなくなるまで、または所定の回数にわたって、（順序に関わ
りなく）繰り返されるとよい。さらに、ベントの開口および閉鎖は、流れ発生器による圧
力の増減に対応して迅速に繰り返されるとよい。このような揺動プロセスによって、検出
される漏れを修正するようにマスク位置を再設定するのを助長する程度に、マスクを振動
させることができる。
【０１５４】
他のベント面積制御手順が、漏れ検出、例えば、制御装置によって行われる意図しない
漏れ検出に応じて、行われてもよい。例えば、換気の程度は、意図しない漏れおよび／ま
たは（例えば、鼻のみのマスクの場合における）口漏れの検出の関数として可変的に制御
されるとよい。その結果、流れ発生器からの圧力および流れの出力が決定されることにな
る。加えて、ベント漏れは、ベントアセンブリまたはその近傍の圧力または流れを検出す
ることによって、計算されてもよい。流れ発生器によって生じた空気流れとベント漏れの
流れとの差は、意図しない漏れおよび（もし存在するなら）口漏れの合計として決定され
ることになる。口漏れは、例えば、２０１０年７月３０日に出願された米国仮特許出願第
６１／３６９２４７号公報に記載されているように、決定されるとよい。この文献の開示
内容は、参照することによって、その全体がここに含まれるものとする。この文献によれ
ば、意図しない漏れ流れは、（例えば、流れ意図しない漏れ＝流れ全流れ−（流れ口漏れ
＋流れベント漏れ）によって計算されることになる。
【０１５５】
ベントアセンブリのベント面積は、流れ発生器のプロセッサによって、意図しない漏れ
量のこのような決定に基づいて制御されるとよい。一例では、流れ発生器のプロセッサが
大きいまたは過剰な意図しない漏れを検出したとき、ガス洗い流しに必要な流れを示す閾
値に対する定量化された漏れとの比較によって、プロセッサは、ベントアクチュエータを
ベント開面積を減少させるように制御するとよい。何故なら、患者の顔面における意図し
ない漏れの増大によって、わずかのガス洗い流しの換気しか必要としないからである。同
様に、もしこのような漏れがもはや検出されないなら、プロセッサは、その後、ガス洗い
流しベントの流れがガス洗い流しの要求を満たすために、ベント開面積を増大するように
制御することになる。
【０１５６】
さらに、ベントアセンブリの圧力特性に対する開面積を知ることによって、プロセッサ
は、ベントの検出または計算された圧力に基づいて、ベントアクチュエータを制御し、ベ
ント流れを一定になるように制御するかまたは所定のパターンに準じるように制御するよ
うになっていてもよい。
【０１５７】
加えて、換気は、患者の呼吸サイクルまたは治療の要求に応じて、制御されるようにな
っていてもよい。
【０１５８】
吸気と呼気との間の循環を決定するためのアルゴリズムは、周知であり、例えば、２０
０６年１２月２１日に出願された米国特許出願公開第２００８／０２８３０６０号公報に
記載されている。このようなアルゴリズムを用いることによって、可変面積式ベントの制
御装置は、例えば、患者の呼吸サイクルの一部においてベント開面積を減少させるかまた
はベントを完全に閉じるために、呼吸サイクルと同期して制御されるとよい。例えば、ベ
ント面積は、ガス洗い流しを必要としない吸気に対応する時期において減少されるかまた
は閉じられ、患者呼気に対応する時期において開けられることになる。
【０１５９】
吸気中にガス換気を低減させることによって、流れ発生器によって生成される必要のあ
る平均流量またはピーク流量が低減され、その結果、流れ発生器の能力および大きさ、空
気送達導管の直径、および加湿器の能力を小さくすることができると考えられる。さらに
、装置の電力消費および水消費を低減させることができる。
【０１６０】
能動ベントの作動は、ソフトウエアによって制御されるとよい。ソフトウエアは、特定
の患者の要求または臨床医の意図によって、改良可能または再設定可能になっているとよ
い。例えば、患者（例えば、チェーン・ストークス呼吸ＣＳＲを患っている患者）に対し
て、第１の治療期間（例えば、第１の月、第１の週、第１の年、日数、など）における第
１のベント流れ要件が決められ、次いで、第２の治療期間（例えば、第２の月、第２の週
、第２の年、それに続く日数）における第２のベント流れ要求が決められるとよい。ソフ
トウエアは、体内時計をチェックし、それに応じて設定値を調整することによって、特定
の期間（例えば、年）に従ってベント流れの設定値のこの変化を制御するようになってい
るとよい。代替的に、ソフトウエアのデータは、ベントが第２のベント流れ要件を達成す
るために、第２の治療期間において能動ベントを再プログラム化するように改良されても
よい。以下にさらに詳細に説明するように、ベントの制御される調整は、検出された患者
の状態、例えば、睡眠段階または治療時期に応じて、治療セッション中になされてもよい
。さらに、ベント調整は、任意選択的に、血液ガス測定値またはその代用物、例えば、治
療中の患者の経皮的ｐＣＯ２センサからの値に基づいて、なされてもよい。例えば、制御
装置は、１つまたは複数の閾値に対して正常なｐａＣＯ２よりも低い値を検出したとき、
ＣＯ２の再呼吸を生じるようにベントの大きさを減少させるとよい。次いで、血液のガス
測定値が正常化したとき、制御装置は、ベントの大きさを正常なＣＯ２洗い流しに適する
ように戻すとよい。
【０１６１】
一部の例では、非窒息弁は、もはや必要ではない。能動ベントが非窒息弁としても作用
することになる。例えば、ベントが付勢部材を備えているとよい。もし制御装置がベント
に電力を供給していないなら、および／または制御装置が流れ発生器を作動させていない
なら、ベントを通る呼吸をもたらすように、付勢部材がベントを常開位置に維持するよう
になっている。流れ発生器に電力が供給され、流れ発生器が作動されると、制御装置は、
任意の所望のＣＯ２洗い流しレベルにベント流れを制限するように、ベントを制御するこ
とになる。
【０１６２】
ＯＳＡ治療、例えば、ＣＰＡＰおよびＡＰＡＰを順守している患者は、多くの因子によ
って影響されることになる。有効な治療を受けているＯＳＡ患者の成功に影響を与える著
しく大きい因子の１つは、まだ目覚めている期間中における装置およびマスクの着用に関
連する快適さのレベルである。もし患者の快適さが睡眠の開始まで続くなら、ＣＰＡＰま
たはＡＰＡＰ治療の全体にわたって、患者は、ＣＰＡＰまたはＡＰＡＰ治療を厳守する傾
向にある。同様に、もし睡眠中になんらかの理由によって目覚めたなら、患者は、治療の
継続に逆らうことになる。目覚めは、患者の状態には関係がない場合があり、例えば、他
の家族の一員の帰宅が患者を目覚めさせる場合がある。いったん目覚めると、患者は、不
快さを覚え、ＣＰＡＰシステムを取外す可能性がある。
【０１６３】
特に睡眠していないときまたは覚醒状態にあるときの患者の快適さを低下させる１つの
因子は、ＡＰＡＰ機における覚醒状態における低圧設定にあると考えられる。典型的には
、ＡＰＡＰ機は、着用者が閉塞気道を生じていないときには、低圧を用いるようになって
いる。固定式開口ベントを有するマスクシステムの場合、低圧を用いることによって、低
い内部漏れ（または低いベント流れ）が生じ、その結果、ＣＯ２洗い流しが低下すること
になる。患者は、いくらかの再呼吸をする可能性があり、これは、それほど臨床的な問題
にならないが、患者にとっては十分に不快であり、マスクシステムの使用を思いとどまる
可能性がある。
【０１６４】
可能性として、洗い流しのレベル、および追加的な導管およびマスク内の患者気道の近
くにおける湿度および空気の加熱レベルが低いことによって、患者は、不快さを感じるこ
とがある。
【０１６５】
治療中、眠りに入るのを待つ期間中、および潜在的な覚醒中、患者は、閉じ込められて
いるような感覚を覚え、この場合、ＣＰＡＰ／ＡＰＡＰシステムを取り外すことを望むこ
とになる。
【０１６６】
可変ベントシステム、例えば、前述した導管およびベントを用いる可変ベントシステム
は、治療を必要としない（覚醒を含む）睡眠状態期間における快適さを改良することがで
きる。例えば、調整可能なベントの制御装置は、患者の適切な睡眠に関連する期間、例え
ば、覚醒、場合によっては、軽睡眠を検出するようになっているとよい。これらの検出に
応じて、制御装置は、制御装置によって設定される空圧設定値、湿度設定値、および熱設
定値を変更するようになっているとよい。
【０１６７】
例えば、制御装置は、呼吸治療装置が低圧を生成するように設定されているとき、ベン
ト流れを増大させるようになっているとよい。同様に、制御装置は、呼吸治療装置が高圧
を生成するように設定されているとき、ベント流れを減少させるようになっているとよい
。これは、もしこれらの圧力設定値が、覚醒をもたらし、その結果、患者を目覚めさせる
事象の原因になっている場合に、適している。
【０１６８】
低圧のベント流れを増大させるとき、ＡＰＡＰ／ＣＰＡＰ呼吸治療装置は、流れ発生器
からの流量の供給を増大させるように制御することによって、補うことができ、これによ
って、導管およびマスクを通ってベントの外に向かう流れを増大させながら、患者インタ
ーフェイスにおける設定圧を保持することができる。その結果、所望の圧力設定値にある
ＣＯ２洗い流しを著しく増大させることができる。
【０１６９】
また、この制御された調整は、患者の感覚を変化させることになる。何故なら、顔面の
皮膚および鼻孔の近くの流れが冷却効果および乾燥効果をもたらすからである。同様に、
ベント流れを減少させることによって、患者への空気の温度および湿度の感覚を高めるこ
とになる。
【０１７０】
ベント流れを変化させることによって、感じやすい皮膚および鼻組織の近くの空気の流
量を変化させ、これによって、患者は、より暑い／より冷たい感覚、および／またはより
湿った／より乾いた感覚を容易に感じることができる。従って、ベント流れの調整は、患
者の快適さを調整する基礎をもたらすことができる。
【０１７１】
睡眠状態の検出は、患者の快適さを改良するためにベント流れを切り換える基礎をなす
ものである。同様に、呼吸治療装置の制御装置が加湿器および暖房要素も制御する場合、
湿度および送達される空気の温度も、このような状態における患者に適応させるために、
最適化されるとよい。
【０１７２】
もし正常なまたは深い睡眠状態が制御装置によって検出されたなら、処方された患者治
療値（例えば、ＣＰＡＰおよびＡＰＡＰ治療設定値）、湿度設定値、および温度設定値が
設定され、装置によって実施されるとよい。
【０１７３】
しかし、装置が軽睡眠または覚醒状態を検出したとき、処方された治療設定値は、快適
さのための設定値に切り換えられるとよい。これらの状態では、医者によって処方された
設定値は、必要ではない。何故なら、ＯＳＡは、このような睡眠状態（または覚醒状態）
にある段階では、生じにくいからである。従って、軽睡眠または覚醒状態が検出された場
合、患者にとって好ましい設定値が自動的に実施されるとよい。
【０１７４】
現在のＣＰＡＰ機の「ランプ（ramp）」などのような特徴は、圧力を治療レベルまで除
々に増大させ、少しの間だけ、治療レベルの圧力の送達を遅らせることによって、患者が
正しい睡眠状態にあることが予測されるまで、処方された漸増レベルの圧力を送達しない
ようになっている。
【０１７５】
さらに他の特徴は、軽睡眠または覚醒状態において治療圧が不要であることを活かし、
患者が、このような状態においてベントを通る流れを調整することが可能になっているこ
とである。正常な治療設定値は、該設定値を必要とする通常の睡眠状態中に再開されるこ
とになる。例えば、「ランプ」特徴が作動したとき、呼吸治療装置は、処方された治療設
定値よりもむしろ「患者の快適さ」のための設定値によって特定されるベント流れのレベ
ルを設定することになる。従って、装置は、患者が（例えば、許容される範囲内における
）「患者の快適さ」のための設定値をこれらの制御された特徴に対して装置に入力または
調整することが可能である。
【０１７６】
加えて、「患者の快適さ」のための設定値の一部として、装置は、漸増中に臨床スタッ
フによって設定された安全制限値内において、または検出された覚醒または軽睡眠期間中
に安全であることが分かっている範囲内において、患者がＣＰＡＰ／ＡＰＡＰ圧力を調整
することを許容するようになっている。
【０１７７】
同様に、「患者の快適さ」のための設定値の一部として、患者は、このような睡眠相中
に湿度設定値および熱設定値を優先的に取り込むことができるが、これらの設定値は、他
の睡眠状態では、必要に基づく設定値に戻されることになる。
【０１７８】
一部の例では、設定値は、検出された環境条件、例えば、装置の外の温度および／また
は湿度に基づいて、呼吸治療装置によって自動的に制御または調整されるようになってい
てもよい。例えば、寒気設定値が温暖季節中に利用されるとよく、温暖設定値が寒気季節
中に利用されるとよい。
【０１７９】
患者、さらには臨床スタッフまたは処方するスタッフによって選択される多数の設定値
および／または「患者の快適さ」を表す設定値が設けられてもよい。一人の患者に対して
も、種々の形態の設定値が、種々の検出された状態、例えば、特定の睡眠状態、環境条件
、などに依存して、装置によって実施されてもよい。
【０１８０】
例えば、装置は、空気送達パラメータの特定の好ましい形態の設定値を実施するように
構成されていてもよく、これによって、好ましい無意識のまたは特定の睡眠状態における
患者の快適さが改良されることになる。
【０１８１】
快適さ、圧力、流れ（ＣＯ２洗い流し）、湿度、熱、バッテリまたは電源の寿命、騒音
、機械／消耗部品の寿命、または好ましい他のシステムパラメータに対して、制御または
設定値の形態の優先順位が設けられてもよい。
【０１８２】
特定の例では、ＯＳＡ呼吸治療装置は、患者の好みに合わせて、装置のユーザーインタ
ーフェイスによって「患者の快適さ」のための設定値として設定された圧力、ベント流れ
（ＣＯ２洗い流し）、湿度／湿気、および／または熱を送達するように、構成されていて
もよい。送達される空気の圧力、流れ、湿度、温度などのパラメータの任意の組合せが、
個別にまたは組合せて設定されてもよい。次いで、患者の快適さのための設定値が、機械
の特定の検出された状態、例えば、睡眠状態（例えば、覚醒または軽睡眠）および／また
は環境条件に依存して、実施されるとよい。例えば、検出された睡眠状態において処方さ
れた治療が必要とされる場合、医者に処方された「治療のための設定値」が実施されとよ
く、この場合、快適さのための設定値のいくつかまたは全てが実施されないことになる。
【０１８３】
チェーン・ストークス呼吸（ＣＳＲ）、複合性睡眠時無呼吸、および中枢性睡眠時無呼
吸の他の形態は、概して、睡眠中の過換気によって特徴付けられている。この過換気は、
正常な値よりも低い日中のＰａＣＯ２が兆候として現れることが多い。しかし、過換気は
、主に日中のＰａＣＯ２から予期し得るＣＨＦ（鬱血性心不全）または高所に関連する周
期的な呼吸である。複合性睡眠時無呼吸は、典型的には、日中のＰａＣＯ２から予期する
ことができない。図１６のグラフは、ＣＰＡＰ呼吸治療装置によってＣＰＡＰ治療を受け
ている患者における典型的なＣＳＲの漸増／漸減するパターンを示している。このパター
ンは、低換気（低呼吸）または中枢性無呼吸の期間によって挟まれた過換気（過呼吸）の
期間によって特徴付けられている。このパターンは、各サイクルの長さまたは各サイクル
の成分の長さのいずれも殆ど変動することがなく、著しく周期的である。
【０１８４】
ＰａＣＯ２を正常な範囲に戻す治療法は、正常な呼吸パターンへの回復に重点が置かれ
ている。例えば、ResMed AutoSet CS （またはVPAP Adapt）は、無呼吸または低呼吸の期
間中に圧力サポートを高め、超過または標準の換気の期間中に圧力サポートを低下させる
ことによって、ＰａＣＯ２を安定化させる非侵襲性圧力制御換気装置である。この方法は
、悪性サイクルを破断するように作用し、これによって、過換気が患者のＰａＣＯ２を無
呼吸閾値未満にし、過換気の新しいサイクルがもたらされることになる。短期の換気を長
期の換気の一部である目標値にサーボ換気することによって、ＣＳＲパターンがなくなる
ことが多い。この換気装置は、周知のマスクベント流れおよび変化し易い意図しないマス
ク漏れの存在下において患者呼吸流れを確実に測定するセンサおよび方法を有している。
換気の測定値は、患者呼吸流れの評価値から導かれるようになっている。
【０１８５】
ＣＳＲパターンを消失させるかまたは改善する他の方法は、患者に患者自身の呼気ＣＯ
２の一部を再呼吸させることである。再呼吸されたＣＯ２は、過換気相中に患者のＰａＣ
Ｏ２を高めるかまたはＰａＣＯ２が低下するのを防ぐように作用する。これによって、過
換気の動因を低減させることができる。これを行う便利な方法は、マスクの能動的に制御
されるベント、例えば、前述した実施形態の１つを用いることである。既存のベントを有
する呼吸システムでは、ベントは、固定式オリフィスから構成されている。固定式オリフ
ィスは、予期されるマスク圧の範囲にわたって十分な流れをもたらし、各呼吸サイクルに
おいて呼気ＣＯ２をマスクから十分に排出するようになっている。ベントオリフィスを制
御することができれば、患者によって再呼吸されるＣＯ２の量を制御することができる。
このような能動的に制御されるベントは、呼吸治療装置のサーボ制御システムの一部をな
すことができる。
【０１８６】
一例では、換気装置のような呼吸治療装置は、例えば、リットル／分（ＬＰＭ）で表さ
れる所定の過換気閾値の設定値を定めるようになっているとよい。この設定値は、治療の
開始の前に臨床医によって設定されるとよい。もし（例えば、３分間にわたって測定され
た）患者の平均換気測定値が閾値を超えていたなら、ベントは、例えば、そのベントの大
きさを減少させることによって流れを低下させるように、制御装置によって能動的に制御
されるとよく、これによって、患者は、自身のＣＯ２のわずかな部分を再呼吸し始めるこ
とになる。もし検出された過換気が実質的に解消されたなら、例えば、もし閾値をもはや
超えていないなら、ベントは、制御装置によって正常な位置に戻るように制御されるとよ
い。
【０１８７】
他の代替的アプローチでは、制御装置のサーボ制御機構は、予め定められた閾値に基づ
いて、新鮮なガス換気を保つようにベントの大きさを連続的に調整するようになっていて
もよい。このようなサーボ制御システムは、ＰＩＤ式制御装置を利用するとよい。ＰＩＤ
制御では、換気が閾値を超えた程度に応じて誤差信号が生じ、対応するベントの大きさを
出力するようになっている。また、制御装置は、ベントの大きさを所定の最大値から最小
値の範囲内にとどめるように、調整することができる。
【０１８８】
他の例では、所定の換気閾値に代わって、換気不安定性の指数が用いられてもよい。例
えば、以下の指数が、換気不安定性の単一の基準または組み合わされた基準として用いら
れてもよい。
【０１８９】
ａ．制御装置によって評価された換気の移動窓標準偏差によって決定される換気不安定
性
【０１９０】
ｂ．制御装置によって検出される中枢性無呼吸指数、中枢性低呼吸指数、または中枢性
無呼吸−低呼吸指数
【０１９１】
ｃ．制御装置によって検出される（上側気道閉塞を消失させるための呼気陽圧(ＥＰＡ
Ｐ)の自動調整に関わらずに持続する）無呼吸−低呼吸指数
【０１９２】
ｄ．制御装置によって検出される呼吸障害指数（例えば、覚醒指数、例えば、流れ、Ｓ
ｐＯ２および／または光電式指尖容積脈波から導かれる覚醒指数）
【０１９３】
このような指数の検出および自動定量のための方法は、２００９年７月１６日に出願さ
れた米国仮特許出願第６１／２２６，０６９号に基づく２０１０年７月１４日に出願され
た国際特許出願第ＰＣＴ／ＡＵ２０１０／０００８９４号公報に記載されている内容の観
点から、検討されるとよい。これらの文献の開示内容は、参照することによって、ここに
含まれるものとする。
【０１９４】
いずれの場合にも、ベントオリフィスの大きさは、換気不安定性の程度を最小限に抑え
るために、段階的に調整されてもよいし、または連続的に調整されてもよい。任意選択的
に、ベントの大きさの制御される変化は、「正常な」呼吸および「再呼吸」に対して選択
された２つの大きさの間にあればよく、または予め設定された一定の制限値の範囲内にお
いて多くの値を取るように連続的に調整可能になっていてもよい。
【０１９５】
図１７Ａ，１７Ｂは、シミュレートされたＣＳＲ流れパターン、および共通時間尺度上
にプロットされたいくつかのフィルター出力を示している。図１７Ａのトレースは、ＣＳ
Ｒ呼吸が２つの正常な呼吸期間によって挟まれているシミュレートされた患者流れである
。図１７Ｂのプロットは、図１７Ａのシミュレートされた患者流れから取った（時定数を
３分としてフィルター処理された）換気測定値ＶＭおよび該換気測定値の移動窓標準偏差
ＳＤを示している。時間を初期化するために（開始時に穏やかな立ち上がりをもたらすた
めに）フィルター処理することによって、ＣＳＲ期間中の換気がａ）平均して大きく、か
つｂ）変動していることが分かる。標準偏差ＳＤのトレースは、換気の不安定性が移動窓
ＳＤの測定基準によって評価されることを示している。
【０１９６】
前述したように、いくつかの実施形態では、調整可能なベントは、アクチュエータによ
って制御され、呼吸障害指数を最小限に抑えるようにサーボ制御されるとよい。例えば、
図１７Ｂのプロットにおいて、換気の移動窓標準偏差ＳＤにおいて決定されている立ち上
がりによって、制御装置は、吸入されるＣＯ２の比率を増大させるようにベントの大きさ
を減少させるとよい。次いで、移動窓標準偏差ＳＤが減少したとき、制御装置は、ベント
を再び開くかまたはベントの面積を増大させ始めるとよい。
【０１９７】
他の例では、呼吸治療装置の制御装置は、ＣＳＲサイクルに「位相ロック」するように
なっていてもよい。このプロセスは、位相ロックされたループを介してＣＳＲサイクルを
学習し、次いで、ＣＳＲサイクルに対して最適な位相関係を保ちながら、最適な時間にわ
たって再呼吸サイクルを開始するように、ベント面積を調整することを含んでいる。これ
によって、一定レベルまたは擬似静止調整レベルと比較して、再呼吸の平均的な量を低下
させることができる。
【０１９８】
このような場合、ＣＳＲサイクルは、代表的には、６０秒であり、典型的には、４０秒
から９０秒の範囲内にある。一般的に、このサイクル長さは、心臓疾患ＨＦの悪化（例え
ば、悪質ＳｐＯ２値）と共に大きくなり、過呼吸の長さも同じように大きくなる。サイク
ル長さは、夜間において急速に変化せず、または実質的に変化しない。従って、いったん
システムがＣＳＲサイクルに位相ロックされると、ＣＳＲ振幅の変調の程度が小さくなっ
ても位相ロックを維持することができる。代替的に、もしＣＳＲ信号が完全に消失したな
ら（すなわち、正常な呼吸に回復したなら）、装置は、すでに学習したサイクル長さ、過
呼吸長さ、無呼吸長さまたは低呼吸長さ、またはこれらの特徴を示す測定基準に基づいて
、位相ロックを迅速に再設定するとよい。
【０１９９】
もし患者が際立った無呼吸を伴うＣＳＲパターンを呈しているなら、過呼吸相（すなわ
ち、患者が実際に自発的に呼吸する相）においてのみ、再呼吸を開始することが可能であ
る。しかし、いったん無呼吸が装置によって消失され、呼吸サイクルの全体にわたって連
続的な自発的呼吸を伴うＣＳＲが検出されたなら、サイクル内の最適な点において、不安
定さを可能な限り抑える最適な長さにわたって、制御可能な再呼吸プロセスを行うように
変更すると有利である。再呼吸サイクルのこの位相遅れおよび長さは、予めプログラム化
されてもよいし、予め決められた「最も有利に推測された（best guess）」開始点におい
て開始した後に、学習されてもよい。
【０２００】
一部の例では、装置は、前述したＣＳＲの測定基準を記録することによって、時間と共
に患者を簡単に監視するようになっているとよい。次いで、装置は、測定基準を評価し、
もしＣＳＲが残っているなら、換気流れをわずかしか通さないようにベントを用いること
を指示するとよい。例えば、装置は、一列に並んだ標準的ベンドの内から特定のベント流
れ特性を有するベントを選択するとよい。この場合、装置は、より小さいベントへのステ
ップダウンが警告またはテキスト命令を発することによって実施されるべきであることを
定めているとよい。任意選択的に、一定流れ換気を行う場合、装置は、ベントの調整、例
えば、手動調整、または代替的なマイラータブの挿入、またはベントの流れ特性を変化さ
せ、換気開口の選定を指示するようになっているとよい。
【０２０１】
上記の例では、能動ベント制御システムは、各治療セッションにおいて（例えば、夜間
ごとに）、実時間検出に基づきおよび／または患者の要求に応じて、患者に治療をもたら
すことができるようになっている。しかし、いくつかの実施形態では、能動ベント制御シ
ステムは、１つまたは複数の夜間において、（例えば、ベント流れ漸増プロトコルを実施
することによって）患者の後続の治療に適する一定のベントの大きさを決定するために用
いられてもよい。
【０２０２】
上記の例において、再呼吸のための能動ベントシステムおよび関連する制御システムは
、順応性サーボ換気装置（例えば、ResMed AutoSet CS2）と併せて用いられてもよい。こ
のような組合せシステムでは、圧力制御調整プロセスがＣＳＲ呼吸を抑制する主駆動機構
として用いられ、前述したような再呼吸制御プロセスが、（もし検出されたなら）任意の
残留する不安定性をなくすために、並行して、このプロセスを補うようになっているとよ
い。代替的に、２つのシステムは、換気を著しく安定化させることを目的とし、より同時
期に作動するために、圧力サポートおよび能動ベントを介する再呼吸の両方を制御するマ
スタープロセスと協働して作動するようになっていてもよい。例えば、このようなシステ
ムは、「早い（fast）」時定数で作用する圧力サポート制御ループと「遅い（slow）」時
定数で作用する再呼吸制御プロセスを行うようになっているとよい。
【０２０３】
他の例では、再呼吸制御プロセスが、ＣＳＲ呼吸を抑制する主手段とされ、換気装置の
圧力サポート構成要素が、バックアップ呼吸の介入によって、際立った無呼吸を抑制する
ように作用するようになっていてもよい。
【０２０４】
ＣＳＲを治療するために、位相性換気が換気プロトコルによって行われてもよい。例え
ば、検出された過呼吸期間中に、制御装置は、検出された患者呼気中にのみ、過呼吸を治
療するために換気面積を開閉するようにベントを調整するようになっていてもよい。この
ような場合、ベント面積は、吸気中に大きくなるようになっているとよい。
【０２０５】
代替的に、制御装置のプロセスは、ベントを通る流れの量を計算または評価し、この流
れの量を所望の量または所望の割合に制御することによって、再呼吸を直接調整するよう
になっていてもよい。
【０２０６】
制御手順の一例では、ＣＯ２再呼吸の存在が、センサ測定値の解析を用いて評価され、
ベントは、この評価値を許容レベルに低減させるように調整されるとよい。段落「０００
４」において説明したように、もし患者の呼気量が次の吸気の時期に呼吸回路にまだ残っ
ていたなら、再呼吸が生じることになる。次の吸気においてチューブ内に残存している呼
気量を追跡するために、患者の呼吸流れの情報（または評価）および現在のベント流れの
情報（または評価）によって、ＣＯ２再呼吸の量が推定されるとよい。図１７Ｃに示され
ているように、これは、患者に送達される全流れＴＦＬＷおよびマスク圧の評価値を利用
することによって、達成されることになる。例えば、呼吸治療装置の空気送達経路内の流
れセンサからの測定信号は、２つの成分、すなわち、交互成分である患者呼吸流れＰＦＬ
Ｗと、ベント流れおよび呼吸治療装置の呼吸回路からの意図しない漏れ流れ（例えば、マ
スク漏れまたは口漏れ）の合計である圧力依存性バイアス流れと、からなっている。呼吸
装置は、種々の方法、例えば、２０１２年７月３０日に出願された国際特許出願第ＰＣＴ
／ＡＵ２０１１／０００９５０号公報および／または２００１年７月１０日に出願された
米国特許第６，６５９，１０１号公報に記載されている方法のいずれかによって、各成分
を評価することができる。これらの文献は、参照することによって、それらの全体がここ
に含まれるものとする。例えば、組み合わされた漏れは、一定の大きさのオリフィスとし
てモデル化され、該オリフィスを通る流れをマスク圧およびオリフィスのインピーダンス
から予想することができる。この場合、オリフィスのインピーダンスは、長期的に平均化
された（多重呼吸サイクルにおける）マスク圧と長期的に平均化された全流れとの関係を
用いて、評価することができる。オリフィスのインピーダンスをこのように評価すること
によって、任意の瞬間における全漏れ流れＶＦＬＷ（意図した漏れおよび意図しない漏れ
の両方）を評価することができる。呼気相中に回路に停滞する逆流の全体が、潜在的に再
呼吸可能な呼気量ＰＲＢＶＬＭを表している。吸気の開始時に残っているこの量のいくら
かが、実際に再呼吸されることになるが、この再呼吸される量は、呼気相から吸気相にわ
たって、評価された全漏れ流れＶＦＬＷから全流れＴＦＬＷを引いた全体よりも小さい（
図１７Ｃにおいて参照符号ＲＰＲＢＶＬＭで示されている）潜在的な再呼吸量として計算
されることになる。従って、この計算された差は、実際に再呼吸される量ＡＲＢＶＬＭを
表すことになり、この再呼吸される量は、呼吸ごとに、このように計算され、制御装置ま
たはプロセッサによって決定される実際に再呼吸される量を表す信号ＡＲＢＶＬＭとして
表されるとよい。  
【０２０７】
このようにすることによって、ベントは、ＰＥＥＰ／ＥＰＡＰ値、一回換気量、および
呼吸パターンとは無関係に、実際に再呼吸される量のこの評価値を許容レベルに低減する
ように調整することができる。すなわち、ベントを開くようにまたはベントアセンブリの
換気、すなわち、換気面積を増大させるように、ベントを作動させることができる。ベン
トのこのような調整は、典型的には、時系列において漏れインピーダンス計算によって用
いられる平均化期間よりも長期にわたって、多数回行われてもよい。制御装置によるベン
トアセンブリの作動は、損失を最小限に抑えながら再呼吸を防ぐようにベントをサーボ制
御するために、閉ループ制御手順によって行われるとよい。いくつかの態様では、制御装
置は、所望の範囲、例えば、２つの閾値によって画定された範囲内にベントの流れを保つ
ために、一組の閾値を有しているとよい。
【０２０８】
上記のプロセスの場合、圧力治療は、換気制御装置も含む呼吸治療装置によってもたら
されている。しかし、いくつかの実施形態では、換気制御装置を有するマスク（例えば、
シュノーケル）が、圧力治療をもたらす流れ発生器を設けることなく、用いられてもよく
、場合によっては、圧力治療は、換気制御装置が作動されている間停止されるようになっ
ていてもよい。
【０２０９】
本技術の可変面積式ベントアセンブリの制御作動に適する呼吸治療装置の制御装置の例
示的なシステム設計概念が、図７のブロック図に示されている。図示されているように、
呼吸治療装置の制御装置７０６は、１つまたは複数のプロセッサ７０８を備えている。ま
た、システムは、ディスプレイインターフェイス７１０も備えている。ディスプレイイン
ターフェイス７１０は、事象検出報告（例えば、中枢性無呼吸、閉塞性無呼吸、中枢性低
呼吸、閉塞性低呼吸、など）、またはモニターまたはＬＣＤパネル上に表示されている本
明細書に記載されているようなベントアセンブリに関連するデータ（設定値、ベント流れ
対時間プロット、ベント面積、など）を出力するものである。これは、治療セッション中
にベント特性の性能または制御された変化を記録および／または監視するために用いられ
ることになる。本明細書に記載されている制御手順を作動または修正するために、ユーザ
ー制御／入力インターフェイス７１２、例えば、キーボード、タッチパネル、調節ボタン
、ボタン、ダイアル、マウス、なども設けられている。また、システムは、データ、例え
ば、プログラム化命令、圧力／流れ信号、位置決め信号、アクチュエータ制御信号などを
受信／送信するために、アクチュエータ、センサ、またはバスのようなデータインターフ
ェイス７１４も備えている。また、装置は、典型的には、前述の手順の制御命令を含む記
憶／データ貯蔵要素７２０を備えている。これらの記憶／データ貯蔵要素７２０は、セン
サ信号処理（例えば、流れおよび／または圧力の信号処理およびフィルター処理、ベント
アセンブリ位置決定、ベントアセンブリの流れ決定、ベントアセンブリの圧力決定、など
）のためのプロセッサ制御命令７２２を含んでいる。また、これらの記憶／データ貯蔵要
素７２０は、本明細書において詳細に説明したような可変ベント面積式ベントアセンブリ
の作動／設定（例えば、患者疾患検出、漏れ検出、患者呼吸サイクル検出、学習サイクル
、睡眠検出、マスク調整手順、関連する閾値との比較、など）を制御するためのプロセッ
サ制御命令７２４も含んでいる。また、これらの記憶／データ貯蔵要素７２０は、治療制
御（例えば、呼吸治療制御、圧力調整、ＣＰＡＰ圧力制御、バイレベル圧力制御、または
他の流れ発生制御手順、など）のためのプロセッサ制御命令７２６も含んでいる。最後に
、これらの記憶／データ貯蔵要素７２０は、制御装置の手順（例えば、ベントアセンブリ
の設定値、ベントアセンブリの電圧および／または電流データ、ベントアセンブリの位置
、ガス洗い流しの流れ要求データ、記録されたベント流れデータ、など）に対して送受信
される貯蔵データ７２８も含んでいる。
【０２１０】
いくつかの実施形態では、前述した手順を制御するためのこれらのプロセッサ制御命令
およびデータは、汎用コンピュータに用いられるソフトウエアとして、コンピュータ読み
取り記録媒体に含まれるようになっているとよい。従って、汎用コンピュータは、ソフト
ウエアを汎用コンピュータにロードすることによって、本明細書に記載されている手順の
いずれかに準じる専用コンピュータとして機能することになる。さらにまた、これらの手
順は、集積チップ、メモリおよび／または他の制御命令、データまたは情報貯蔵媒体を備
える装置または機器に含まれてもよい。例えば、このような検出手順を含むプログラム化
された命令は、装置または機器のメモリ内の集積チップに符号化され、特定用途向け集積
チップ（ＡＳＩＣ）を形成するようになっていてもよい。このような命令は、代替的に、
適切なデータ貯蔵媒体を用いてソフトウエアまたはファームウエアとしてロードされても
よい。
【０２１１】
本明細書において、「〜を備える（comprising）」という用語は、その「オープン（op
en）」の意味、すなわち、「〜を備える（including）」の意味に理解されるべきであり
、「そのクローズド（closed）」の意味、すなわち、「〜のみからなる（consisting onl
y of）」の意味に制限されるべきではない。「comprise」、「comprised」、および「com
prises」という対応する用語が用いられる場合、これらの用語も対応する意味に理解され
るべきである。
【０２１２】
本技術の特定の実施形態について説明してきたが、本技術がその本質的な特性から逸脱
することなく他の特定の形態で実施されてもよいことは、当業者には明らかであろう。従
って、本実施形態および実施例は、あらゆる観点において、例示にすぎず、制限的とみな
されるべきはない。本技術の範囲は、前述の説明というよりもむしろ添付の請求項によっ
て示されており、請求項の意味内にある変更およびその等価の範囲内にある変更は、全て
、請求項に含まれることが意図されている。さらに、当技術分野において周知の主題に対
するどのような引用も、反する示唆がない限り、このような主題が本技術の関連する技術
分野における当業者によって一般的に知られていることの承認を構成するものではないこ
とを理解されたい。
【図１】
2020142098.tif 000003
【図２Ａ．２Ｂ．２Ｃ】
2020142098.tif 000004
【図３】
2020142098.tif 000005
【図４】
2020142098.tif 000006
【図５Ａ．５Ｂ．５Ｃ】
2020142098.tif 000007
【図６Ａ】
2020142098.tif 000008
【図６Ｂ】
2020142098.tif 000009
【図７】
2020142098.tif 000010
【図８Ａ．８Ｂ】
2020142098.tif 000011
【図９Ａ．９Ｂ．９Ｃ】
2020142098.tif 000012
【図１０．１０Ａ．１０Ｂ．１０Ｃ】
2020142098.tif 000013
【図１１】
2020142098.tif 000014
【図１２Ａ．１２Ｂ】
2020142098.tif 000015
【図１３Ａ．１３Ｂ．１３Ｃ．１３Ｄ】
2020142098.tif 000016
【図１４】
2020142098.tif 000017
【図１５Ａ．１５Ｂ．１５Ｃ．１５Ｄ．１５Ｅ．１５Ｆ．１５Ｇ】
2020142098.tif 000018
【図１６】
2020142098.tif 000019
【図１７Ａ．１７Ｂ】
2020142098.tif 000020
【図１７Ｃ】
2020142098.tif 000021
【図１８Ａ．１８Ｂ．１８Ｃ．１８Ｄ】
2020142098.tif 000022
【図１９Ａ．１９Ｂ】
2020142098.tif 000023
【図２０Ａ．２０Ｂ】
2020142098.tif 000024
【図２１Ａ．２１Ｂ】
2020142098.tif 000025
【図２２Ａ．２２Ｂ】
2020142098.tif 000026
【図２３Ａ．２３Ｂ】
2020142098.tif 000027
【図２４Ａ．２４Ｂ】
2020142098.tif 000028
【図２５】
2020142098.tif 000029
【図２６Ａ．２６Ｂ】
2020142098.tif 000030
【図２７Ａ．２７Ｂ】
2020142098.tif 000031
【図２８Ａ．２８Ｂ】
2020142098.tif 000032
【図２９Ａ．２９Ｂ．２９Ｃ．２９Ｄ】
2020142098.tif 000033
【図３０】
2020142098.tif 000034
【図３１】
2020142098.tif 000035
【図３２】
2020142098.tif 000036
【図３３】
2020142098.tif 000037
【図３４】
2020142098.tif 000038
【図３５】
2020142098.tif 000039
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
呼吸治療装置の患者インタ−フェイスのガス洗い流しを自動的に制御するための装置に
おいて、
可変排気面積を有するベントアセンブリであって、前記可変排気面積は、前記ベントア
センブリの１つまたは複数の開口によって画定されており、前記ベントアセンブリは、呼
気ガスを換気するために、患者インターフェイスに付随的に設けられている、ベントアセ
ンブリと、
前記ベントアセンブリの前記１つまたは複数の開口を操作するアクチュエータと、
を備えている装置。
【請求項２】
プロセッサを備える制御装置をさらに備えており、前記制御装置は、前記アクチュエー
タに連結されており、前記制御装置は、前記ベントアセンブリの前記排気面積を変化させ
るように前記アクチュエータを作動させるように、構成されている請求項１に記載の装置
。
【請求項３】
前記制御装置は、前記可変排気面積の治療のための設定値と前記可変排気面積の快適さ
のための設定値との間で切り換えられるように、構成されている請求項２に記載の装置。
【請求項４】
前記制御装置は、前記可変排気面積の設定値を含む快適さのための設定値を入力するた
めのユーザーインターフェイスを有するように構成されている請求項２に記載の装置。
【請求項５】
前記快適さのための設定値は、湿度設定値、圧力設定値、および温度設定値の１つまた
は複数をさらに含んでいる請求項３に記載の装置。
【請求項６】
前記制御装置は、患者換気の程度を測定し、前記患者換気の程度の関数として、前記可
変排気面積を調整するように、構成されている請求項２に記載の装置。
【請求項７】
前記可変排気面積は、もし前記患者換気の程度が閾値を満たすかまたはそれを超える場
合、減少するようになっている請求項６に記載の装置。
【請求項８】
前記患者換気の程度は、不安定性指数を含んでいる請求項６に記載の装置。
【請求項９】
前記不安定性指数は、換気の移動窓標準偏差、中枢性無呼吸指数、中枢性低呼吸指数、
中枢性無呼吸―低呼吸指数、持続性無呼吸−低呼吸指数、および呼吸障害指数の少なくと
も１つを含んでいる請求項８に記載の装置。
【請求項１０】
前記制御装置は、患者流れ信号および前記可変排気面積の位相ロック調整からチェーン
・ストークス呼吸サイクルを検出し、前記位相ロックによる再呼吸サイクルを制御するよ
うに、構成されている請求項２に記載の装置。
【請求項１１】
前記制御装置は、流れ発生器の作動を制御するようにさらに構成されている請求項２に
記載の装置。
【請求項１２】
前記制御装置は、意図しない漏れの有無を検出し、前記意図しない漏れの有無の検出に
基づいて、前記排気面積を変化させるように制御するように、構成されている請求項２に
記載の装置。
【請求項１３】
前記制御装置は、前記意図しない漏れの存在の検出に応じて、前記排気面積を閉じるよ
うになっている請求項１２に記載の装置。
【請求項１４】
前記制御装置は、前記意図しない漏れの存在の検出に応じて、前記排気面積を開き、マ
スク圧力を大気圧まで低下させるようになっている請求項１２に記載の装置。
【請求項１５】
前記制御装置は、前記意図しない漏れの存在の連続した検出に応じて、前記排気面積を
開閉するようになっている請求項１２に記載の装置。
【請求項１６】
前記制御装置は、前記意図しない漏れの定量化の関数として、前記排気面積を変化させ
るようになっている請求項１２に記載の装置。
【請求項１７】
前記制御装置は、前記定量化の値と閾値との比較に基づいて、前記排気面積を減少させ
るようになっている請求項１６に記載の装置。
【請求項１８】
前記制御装置は、睡眠状態を検出し、前記睡眠状態の検出に基づいて、前記排気面積を
変化させるように制御するように、構成されている請求項２に記載の装置。
【請求項１９】
前記制御装置は、前記睡眠状態の検出に応じて、前記排気面積の周期的な変動を開始す
るようになっている請求項１８に記載の装置。
【請求項２０】
前記制御装置は、睡眠の不在の検出に応じて、略一定の排気面積を保持するようになっ
ている請求項１８に記載の装置。
【請求項２１】
前記制御装置は、呼吸疾患を検出し、前記呼吸疾患の検出に基づいて、前記排気面積を
変化させるように制御するように、構成されている請求項２に記載の装置。
【請求項２２】
前記検出した呼吸疾患は、中枢性無呼吸または中枢性低呼吸を含んでおり、前記制御装
置は、前記中枢性無呼吸または中枢性低呼吸の検出に基づいて、前記排気面積を減少させ
るように制御するように、構成されている請求項２１に記載の装置。
【請求項２３】
前記制御装置は、中枢性無呼吸または中枢性低呼吸の不在のさらなる検出に基づいて、
前記排気面積を増大させるように制御するように、構成されている請求項２１に記載の装
置。
【請求項２４】
前記制御装置は、検出した患者呼吸に同期して、前記排気面積を変化させるように制御
するようになっている請求項２に記載の装置。
【請求項２５】
前記制御装置は、圧力の大きさの関数として、前記排気面積を変化させるように制御す
るようになっている請求項２に記載の装置。
【請求項２６】
前記制御装置は、前記排気面積を通る流れの大きさの関数として、前記排気面積を変化
させるように制御するようになっている請求項２に記載の装置。
【請求項２７】
前記制御装置は、前記排気面積のベント流れが患者流れを反映することを可能にするよ
うに、前記排気面積を変化させるように制御するようになっている請求項２に記載の装置
。
【請求項２８】
前記制御装置は、患者流れの程度の関数として、前記排気面積を変化させるように制御
するようになっている請求項２に記載の装置。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
呼吸治療装置の患者インタ−フェイスのガス洗い流しを自動的に制御するための装置において、
可変排気面積を有するベントアセンブリであって、前記可変排気面積は、前記ベントアセンブリの１つまたは複数の開口によって画定されており、前記ベントアセンブリは、呼気ガスを換気するために、患者インターフェイスに付随的に設けられている、ベントアセンブリと、
前記ベントアセンブリの前記１つまたは複数の開口を操作するアクチュエータと、
プロセッサを備える制御装置であって、前記アクチュエータに連結されており、前記制御装置は、前記ベントアセンブリの前記排気面積を変化させるために前記アクチュエータを作動させるように、構成されている、制御装置とを備え、
前記制御装置は、前記可変排気面積の治療のための設定値と前記可変排気面積の快適さのための設定値との間で切り換えられるように構成され、
前記快適さのための設定値は、湿度設定値、圧力設定値、および温度設定値の１つまたは複数をさらに含んでいる、装置。
【請求項２】
前記制御装置は、前記可変排気面積の設定値を含む快適さのための設定値を入力するためのユーザーインターフェイスを有するように構成されている、請求項１に記載の装置。
【請求項３】
前記制御装置は、少なくとも１つの環境条件に基づいて、前記治療のための設定値と前記快適さのための設定値との間で切り換えられるように構成されている、請求項１に記載の装置。
【請求項４】
前記少なくとも1つの環境条件が前記呼吸治療装置の外の温度である、請求項３に記載の装置。
【請求項５】
前記少なくとも1つの環境条件が前記呼吸治療装置の外の湿度である、請求項３に記載の装置。
【請求項６】
前記制御装置は、検出された睡眠状態に基づいて、前記治療のための設定値と前記快適さのための設定値との間で切り換えられるように構成されている、請求項１に記載の装置。
【請求項７】
正常なまたは深い睡眠状態が前記制御装置によって検出された場合、前記制御装置が治療のための設定値に切り換えられるように構成されている、請求項６に記載の装置。
【請求項８】
軽睡眠または覚醒状態が前記制御装置によって検出された場合、前記制御装置が快適さのための設定値に切り換えられるように構成されている、請求項６に記載の装置。
【請求項９】
呼吸治療装置の「ランプ」特徴が作動した場合、前記制御装置が快適さのための設定値に切り換えられるように構成されている、請求項１に記載の装置。
【請求項１０】
前記制御装置は、流れ発生器の作動を制御するようにさらに構成されている請求項１に記載の装置。
【請求項１１】
前記制御装置は、睡眠状態を検出し、前記睡眠状態の検出に基づいて、前記排気面積を変化させるように制御するように、構成されている、請求項１に記載の装置。
【請求項１２】
前記制御装置は、前記睡眠状態の検出に応じて、前記排気面積の周期的な変動を開始するように、構成されている、請求項１１に記載の装置。
【請求項１３】
前記制御装置は、睡眠の不在の検出に応じて、略一定の排気面積を保持するように構成されている、請求項１１に記載の装置。
【請求項１４】
前記制御装置が前記可変排気面積を複数の開位置で設定するように構成され、前記複数の開位置が、前記可変排気面積を通過する呼気ガスの流量の増減を提供するように適合された異なるベント流れ面積をもたらす、請求項１に記載の装置。
【請求項１５】
呼吸治療装置の患者インタ−フェイスのガス洗い流しを設定するために、前記呼吸治療装置の制御装置を自動的に制御するための方法であって、
可変排気面積を有するベントアセンブリの１つまたは複数の開口を操作するアクチュエータの動作を制御するステップであって、前記可変排気面積は、前記ベントアセンブリの１つまたは複数の開口によって画定され、前記ベントアセンブリは、呼気ガスを換気するために、患者インターフェイスに付随的に設けられており、前記作動が、前記ベントアセンブリの前記排気面積の変化を含むようにしてなるステップと、
前記可変排気面積の治療のための設定値と前記可変排気面積の快適さのための設定値との間で、切り換えを行うステップとを備え、
前記快適さのための設定値は、湿度設定値、圧力設定値、および温度設定値の１つまたは複数を含んでいる、方法。
【請求項１６】
前記制御装置は、前記可変排気面積の設定値を含む快適さのための設定値の入力を、ユーザーインターフェイスで受ける、請求項１５に記載の方法。
【請求項１７】
前記制御装置は、少なくとも１つの環境条件に基づいて、前記治療のための設定値と前記快適さのための設定値との間で切り換える、請求項１５に記載の方法。
【請求項１８】
前記少なくとも1つの環境条件が前記呼吸治療装置の外の温度である、請求項１７に記載の方法。
【請求項１９】
前記少なくとも1つの環境条件が前記呼吸治療装置の外の湿度である、請求項１７記載の方法。
【請求項２０】
前記制御装置は、検出された睡眠状態に基づいて、前記治療のための設定値と前記快適さのための設定値との間で切り換わる、請求項１５に記載の方法。
【請求項２１】
正常なまたは深い睡眠状態を前記制御装置が検出すると、前記制御装置が治療のための設定値に切り換わる、請求項２０に記載の方法。
【請求項２２】
軽睡眠または覚醒状態を前記制御装置が検出すると、前記制御装置が快適さのための設定値に切り換わる、請求項２０に記載の方法。
【請求項２３】
呼吸治療装置の「ランプ」特徴が作動すると、前記制御装置が快適さのための設定値に切り換わる、請求項１５に記載の方法。
【請求項２４】
前記制御装置が、流れ発生器の作動を制御する、請求項１５に記載の方法。
【請求項２５】
前記制御装置が、睡眠状態を検出し、前記睡眠状態の検出に基づいて、前記排気面積の変化を制御する、請求項１５に記載の方法。
【請求項２６】
前記制御装置が、前記睡眠状態の検出に応じて、前記排気面積の周期的な変動を開始する、請求項２５に記載の方法。
【請求項２７】
前記制御装置が、睡眠の不在の検出に応じて、略一定の排気面積を保持する、請求項２５に記載の方法。
【請求項２８】
前記制御装置が前記可変排気面積を複数の開位置で設定し、前記複数の開位置が、前記可変排気面積を通過する呼気ガスの流量の増減を提供するように適合された異なるベント流れ面積をもたらす、請求項１５に記載の方法。
【手続補正２】
【補正対象書類名】明細書
【補正対象項目名】０２１２
【補正方法】変更
【補正の内容】
【０２１２】
本技術の特定の実施形態について説明してきたが、本技術がその本質的な特性から逸脱することなく他の特定の形態で実施されてもよいことは、当業者には明らかであろう。従って、本実施形態および実施例は、あらゆる観点において、例示にすぎず、制限的とみなされるべきはない。本技術の範囲は、前述の説明というよりもむしろ添付の請求項によって示されており、請求項の意味内にある変更およびその等価の範囲内にある変更は、全て、請求項に含まれることが意図されている。さらに、当技術分野において周知の主題に対するどのような引用も、反する示唆がない限り、このような主題が本技術の関連する技術分野における当業者によって一般的に知られていることの承認を構成するものではないことを理解されたい。
出願当初の特許請求の範囲に記載されていた各請求項は、以下の通りであった。
請求項１：
呼吸治療装置の患者インタ−フェイスのガス洗い流しを自動的に制御するための装置において、
可変排気面積を有するベントアセンブリであって、前記可変排気面積は、前記ベントアセンブリの１つまたは複数の開口によって画定されており、前記ベントアセンブリは、呼気ガスを換気するために、患者インターフェイスに付随的に設けられている、ベントアセンブリと、
前記ベントアセンブリの前記１つまたは複数の開口を操作するアクチュエータと、
を備えている装置。
請求項２：
プロセッサを備える制御装置をさらに備えており、前記制御装置は、前記アクチュエータに連結されており、前記制御装置は、前記ベントアセンブリの前記排気面積を変化させるように前記アクチュエータを作動させるように、構成されている請求項１に記載の装置。
請求項３：
前記制御装置は、前記可変排気面積の治療のための設定値と前記可変排気面積の快適さのための設定値との間で切り換えられるように、構成されている請求項２に記載の装置。
請求項４：
前記制御装置は、前記可変排気面積の設定値を含む快適さのための設定値を入力するためのユーザーインターフェイスを有するように構成されている請求項２に記載の装置。
請求項５：
前記快適さのための設定値は、湿度設定値、圧力設定値、および温度設定値の１つまたは複数をさらに含んでいる請求項３に記載の装置。
請求項６：
前記制御装置は、患者換気の程度を測定し、前記患者換気の程度の関数として、前記可変排気面積を調整するように、構成されている請求項２に記載の装置。
請求項７：
前記可変排気面積は、もし前記患者換気の程度が閾値を満たすかまたはそれを超える場合、減少するようになっている請求項６に記載の装置。
請求項８：
前記患者換気の程度は、不安定性指数を含んでいる請求項６に記載の装置。
請求項９：
前記不安定性指数は、換気の移動窓標準偏差、中枢性無呼吸指数、中枢性低呼吸指数、中枢性無呼吸―低呼吸指数、持続性無呼吸−低呼吸指数、および呼吸障害指数の少なくとも１つを含んでいる請求項８に記載の装置。
請求項１０：
前記制御装置は、患者流れ信号および前記可変排気面積の位相ロック調整からチェーン・ストークス呼吸サイクルを検出し、前記位相ロックによる再呼吸サイクルを制御するように、構成されている請求項２に記載の装置。
請求項１１：
前記制御装置は、流れ発生器の作動を制御するようにさらに構成されている請求項２に記載の装置。
請求項１２：
前記制御装置は、意図しない漏れの有無を検出し、前記意図しない漏れの有無の検出に基づいて、前記排気面積を変化させるように制御するように、構成されている請求項２に記載の装置。
請求項１３：
前記制御装置は、前記意図しない漏れの存在の検出に応じて、前記排気面積を閉じるようになっている請求項１２に記載の装置。
請求項１４：
前記制御装置は、前記意図しない漏れの存在の検出に応じて、前記排気面積を開き、マスク圧力を大気圧まで低下させるようになっている請求項１２に記載の装置。
請求項１５：
前記制御装置は、前記意図しない漏れの存在の連続した検出に応じて、前記排気面積を開閉するようになっている請求項１２に記載の装置。
請求項１６：
前記制御装置は、前記意図しない漏れの定量化の関数として、前記排気面積を変化させるようになっている請求項１２に記載の装置。
請求項１７：
前記制御装置は、前記定量化の値と閾値との比較に基づいて、前記排気面積を減少させるようになっている請求項１６に記載の装置。
請求項１８：
前記制御装置は、睡眠状態を検出し、前記睡眠状態の検出に基づいて、前記排気面積を変化させるように制御するように、構成されている請求項２に記載の装置。
請求項１９：
前記制御装置は、前記睡眠状態の検出に応じて、前記排気面積の周期的な変動を開始するようになっている請求項１８に記載の装置。
請求項２０：
前記制御装置は、睡眠の不在の検出に応じて、略一定の排気面積を保持するようになっている請求項１８に記載の装置。
請求項２１：
前記制御装置は、呼吸疾患を検出し、前記呼吸疾患の検出に基づいて、前記排気面積を変化させるように制御するように、構成されている請求項２に記載の装置。
請求項２２：
前記検出した呼吸疾患は、中枢性無呼吸または中枢性低呼吸を含んでおり、前記制御装置は、前記中枢性無呼吸または中枢性低呼吸の検出に基づいて、前記排気面積を減少させるように制御するように、構成されている請求項２１に記載の装置。
請求項２３：
前記制御装置は、中枢性無呼吸または中枢性低呼吸の不在のさらなる検出に基づいて、前記排気面積を増大させるように制御するように、構成されている請求項２１に記載の装置。
請求項２４：
前記制御装置は、検出した患者呼吸に同期して、前記排気面積を変化させるように制御するようになっている請求項２に記載の装置。
請求項２５：
前記制御装置は、圧力の大きさの関数として、前記排気面積を変化させるように制御するようになっている請求項２に記載の装置。
請求項２６：
前記制御装置は、前記排気面積を通る流れの大きさの関数として、前記排気面積を変化させるように制御するようになっている請求項２に記載の装置。
請求項２７：
前記制御装置は、前記排気面積のベント流れが患者流れを反映することを可能にするように、前記排気面積を変化させるように制御するようになっている請求項２に記載の装置。
請求項２８：
前記制御装置は、患者流れの程度の関数として、前記排気面積を変化させるように制御するようになっている請求項２に記載の装置。
請求項２９：
前記制御装置は、再呼吸される量の計算値の関数として、前記排気面積を変化させるように制御するようになっている請求項２に記載の装置。
請求項３０：
前記排気面積は、重なり合う開口によって画定されるようになっている請求項１に記載の装置。
請求項３１：
前記ベントアセンブリは、入れ子になった第１および第２の円錐構造体を備えており、前記円錐構造体の各々は、前記重なり合う開口からなる開通路を有している請求項３０に記載の装置。
請求項３２：
前記ベントアセンブリは、入れ子になった第１および第２の円筒構造体を備えており、前記円筒構造体の各々は、前記重なり合う開口からなる開通路を有している請求項３０に記載の装置。
請求項３３：
前記第１の円筒構造体は、前記円筒構造体の長さに沿って延在するコイル溝を備えており、前記コイル溝は、コイルを備えている請求項３２に記載の装置。
請求項３４：
前記第２の円筒構造体は、磁化されている請求項３３に記載の装置。
請求項３５：
前記第１の円筒構造体は、その長さに沿って長手方向に分割された２分割体から形成されており、各２分割体は、コイル溝を備えている請求項３４に記載の装置。
請求項３６：
前記第１の円筒構造体は、その長さに沿って長手方向に分割された３分割体から形成されており、各３分割体は、コイル溝を備えている請求項３４に記載の装置。
請求項３７：
前記開口からなる開通路は、一組の溝を備えている請求項１に記載の装置。
請求項３８：
前記ベントアセンブリは、入れ子になった第１および第２の構造体を備えており、前記構造体の各々は、前記重なり合う開口からなる開通路を有しており、前記アクチュエータは、モーターと前記第１の構造体に連結された誘導コイルとを備えており、前記構造体は、前記第１の構造体の回転によって、前記重なり合う開口の大きさを調整するように、構成されている請求項３０に記載の装置。
請求項３９：
前記アクチュエータは、ボイスコイルおよび磁石の１つまたは複数を含んでいる請求項１に記載の装置。
請求項４０：
前記アクチュエータは、空圧ピストンを含んでいる請求項１に記載の装置。
請求項４１：
前記アクチュエータは、モーターを含んでいる請求項１に記載の装置。
請求項４２：
前記アクチュエータは、圧電モーターである請求項４１に記載の装置。
請求項４３：
前記ベントアセンブリの前記可変排気面積を常開位置に戻すように構成されたバネ機構をさらに備えている請求項３２に記載の装置。
請求項４４：
前記バネ機構は、トーションバネを含んでいる請求項４３に記載の装置。
請求項４５：
前記ベントアセンブリは、浮動開口部分を備えている請求項１に記載の装置。
請求項４６：
前記浮動開口部分は、柔軟材料から構成されている請求項４５に記載の装置。
請求項４７：
前記ベントアセンブリは、発泡体ベント部分を備えている請求項１に記載の装置。
請求項４８：
前記発泡体は、その長さに沿って可変有効多孔率を有している請求項４７に記載の装置。
請求項４９：
前記ベントアセンブリは、複数のスリットを有する柔軟円筒を備えており、前記複数のスリットは、前記柔軟円筒の拡張および収縮によって拡張および収縮するように構成されている請求項１に記載の装置。
請求項５０：
前記ベントアセンブリは、第１および第２のプレートを備えている請求項１に記載の装置。
請求項５１：
前記ベントアセンブリは、複数の調整可能なフラップを備えている請求項１に記載の装置。
請求項５２：
前記複数のフラップの部分集合の選択的な移動が、前記ベントの前記排気面積を変化させるようになっている請求項５１に記載の装置。
請求項５３：
前記フラップを作動させる磁場を生成する複数のコイルをさらに備えている請求項５２に記載の装置。
請求項５４：
前記フラップは、柔軟である請求項５３に記載の装置。
請求項５５：
各フラップは、磁化された縁部分を備えている請求項５４に記載の装置。
請求項５６：
前記ベントアセンブリは、複数の柔軟糸を備える布地を備えている請求項１に記載の装置。
請求項５７：
前記糸の部分集合の選択的な移動が、前記ベントの排気面積を変化させるようになって
いる請求項５６に記載の装置。
請求項５８：
前記糸を作動させる磁場を生成する複数のコイルをさらに備えている請求項５７に記載の装置。
請求項５９：
前記ベントアセンブリは、複数の柔軟層を備える布地を備えている請求項１に記載の装置。
請求項６０：
前記層の部分集合の選択的な移動が、前記ベントの前記排気面積を変化させるようになっている請求項５９に記載の装置。
請求項６１：
前記層を作動させる磁場を生成する複数のコイルをさらに備えている請求項６０に記載の装置。
請求項６２：
前記ベントアセンブリは、第１および第２のプレートを備えており、前記第１のプレートは、前記第２のプレートの対応する開口を選択的に塞ぐための複数の突起を備えている請求項１に記載の装置。
請求項６３：
前記第２のプレートは、前記第１のプレートの対応する開口を選択的に塞ぐための複数の突起を備えている請求項６２に記載の装置。
請求項６４：
前記突起は、円錐形状に形作られており、前記開口は、漏斗形状に形作られている請求項６２に記載の装置。
請求項６５：
前記第１および第２のプレートに連結された付勢部材をさらに備えている請求項６２に記載の装置。
請求項６６：
前記付勢部材は、前記第１および第２のプレートを開形状に付勢するようになっている請求項６５に記載の装置。
請求項６７：
前記ベントアセンブリは、キャップを備えており、前記キャップは、内側ベント部材の複数の開口を選択的に覆いかつ露出させるように構成されており、前記装置は、前記キャップを前記内側ベント部材に対して選択的に吸引または反発させる磁場を生成するコイルをさらに備えている請求項１に記載の装置。
請求項６８：
前記ベントアセンブリは、ベントファンを備えており、前記ベントファンは、前記ベントアセンブリの開口に組み合わされており、前記ベントファンは、前記開口を通る排気を調整するように前記ファンを制御する制御装置を備えている請求項１に記載の装置。
請求項６９：
前記アクチュエータは、調整可能なダイアフラムを備えており、前記調整可能なダイアフラムは、前記ダイアフラムを通る呼気流れを選択的に増減するように構成されている請求項１に記載の装置。
請求項７０：
前記調整可能なダイアフラムは、圧電セラミックリングを含んでいる請求項６９に記載の装置。
請求項７１：
複数の調整可能なダイアフラムが、複数のベント開口を通る流れを調整するようになっている請求項６９に記載の装置。
請求項７２：
前記調整可能なダイアフラムは、柔軟な呼気導管の表面上に配置されるように適合されている請求項６９に記載の装置。
請求項７３：
前記柔軟な呼気導管は、吸気導管を含んでいる請求項７２に記載の装置。
請求項７４：
前記ベントアセンブリは、呼気チャンバおよびピストンを備えており、前記ピストンは、前記呼気チャンバの表面の１つまたは複数の換気開口を選択的に塞ぐように、前記呼気チャンバ内において移動するように配置されている請求項１に記載の装置。
請求項７５：
前記アクチュエータは、前記ピストンを選択的に位置決めする磁場を生成するコイルを備えている請求項７４に記載の装置。
請求項７６：
前記ベントアセンブリは、前記ピストンの移動の範囲を制限する手動調整機構を備えている請求項７４に記載の装置。
請求項７７：
前記手動調整機構は、前記ピストンの移動の範囲に張力を加えるように構成されている請求項７６に記載の装置。
請求項７８：
前記調整機構は、ネジ付きポストおよびバネを備えている請求項７７に記載の装置。
請求項７９：
患者インターフェイスのガス洗い流しを自動的に制御するためのシステムにおいて、
可変排気面積を有するベントアセンブリであって、前記可変排気面積は、前記ベントアセンブリの重なり合う開口によって画定されており、前記ベントアセンブリは、患者インターフェイスに取付け可能になっている、ベントアセンブリと、
前記ベントアセンブリの開口を操作するアクチュエータであって、前記ベントアセンブリの前記排気面積を変化させるように制御装置によって制御されるように構成されている、アクチュエータと、
を備えているシステム。
請求項８０：
前記ベントアセンブリは、入れ子になった第１および第２の円錐構造体を備えており、前記円錐構造体の各々は、前記重なり合う開口からなる開通路を有している請求項７９に記載のシステム。
請求項８１：
前記ベントアセンブリは、入れ子になった第１および第２の円筒構造体を備えており、前記円筒構造体の各々は、前記重なり合う開口からなる開通路を有している請求項７９に記載のシステム。
請求項８２：
前記第１の円筒構造体は、前記円筒構造体の長さに沿って延在するコイル溝を備えており、前記コイル溝は、コイルを備えている請求項８１に記載のシステム。
請求項８３：
前記第２の円筒構造体は、磁化されている請求項８２に記載のシステム。
請求項８４：
前記第１の円筒構造体は、その長さに沿って長手方向に分割された２分割体から形成されており、各２分割体は、コイル溝を備えている請求項８３に記載のシステム。
請求項８５：
前記第１の円筒構造体は、その長さに沿って長手方向に分割された３分割体から形成されており、各３分割体は、コイル溝を備えている請求項８３に記載のシステム。
請求項８６：
前記ベントアセンブリは、複数の調整可能なフラップを備えている請求項７９に記載のシステム。
請求項８７：
前記複数のフラップの部分集合の選択的な移動が、前記ベントの前記排気面積を変化させるようになっている請求項８６に記載のシステム。
請求項８８：
前記フラップを作動させる磁場を生成する複数のコイルをさらに備えている請求項８７に記載のシステム。
請求項８９：
前記フラップは、柔軟である請求項８８に記載のシステム。
請求項９０：
各フラップは、磁化された縁部分を備えている請求項８９に記載のシステム。
請求項９１：
前記ベントアセンブリは、複数の柔軟糸を備える布地を備えている請求項７９に記載のシステム。
請求項９２：
前記糸の部分集合の選択的な移動が、前記ベントの排気面積を変化させるようになっている請求項９１に記載のシステム。
請求項９３：
前記糸を作動させる磁場を生成する複数のコイルをさらに備えている請求項９２に記載のシステム。
請求項９４：
前記ベントアセンブリは、複数の柔軟層を備える布地を備えている請求項７９に記載のシステム。
請求項９５：
前記層の部分集合の選択的な移動が、前記ベントの前記排気面積を変化させるようになっている請求項９４に記載のシステム。
請求項９６：
前記層を作動させる磁場を生成する複数のコイルをさらに備えている請求項９５に記載のシステム。
請求項９７：
前記ベントアセンブリは、第１および第２のプレートを備えており、前記第１のプレートは、前記第２のプレートの対応する開口を選択的に塞ぐための複数の突起を備えている請求項７９に記載のシステム。
請求項９８：
前記第２のプレートは、前記第１のプレートの対応する開口を選択的に塞ぐための複数の突起を備えている請求項９７に記載のシステム。
請求項９９：
前記突起は、円錐形状に形作られており、前記開口は、ファンネル形状に形作られている請求項９７に記載のシステム。
請求項１００：
前記第１および第２のプレートに連結された付勢部材をさらに備えている請求項９９に記載のシステム。
請求項１０１：
前記付勢部材は、前記第１および第２のプレートを開形状に付勢するようになっている請求項１００に記載のシステム。
請求項１０２：
前記ベントアセンブリは、キャップを備えており、前記キャップは、内側ベント部材の複数の開口を選択的に覆いかつ露出させるように構成されており、前記システムは、前記キャップを前記内側ベント部材に対して選択的に吸引または反発させる磁場を生成するコイルをさらに備えている請求項７９に記載のシステム。
請求項１０３：
前記ベントアセンブリは、ベントファンを備えており、前記ベントファンは、前記ベントアセンブリの開口に組み合わされており、前記ベントファンは、前記開口を通る排気を調整するように前記ファンを制御する制御装置を備えている請求項７９に記載のシステム。
請求項１０４：
前記アクチュエータは、調整可能なダイアフラムを備えており、前記調整可能なダイアフラムは、前記ダイアフラムを通る呼気流れを選択的に増減するように構成されている請求項７９に記載のシステム。
請求項１０５：
前記調整可能なダイアフラムは、圧電セラミックリングを含んでいる請求項１０４に記載のシステム。
請求項１０６：
複数の調整可能なダイアフラムが、複数のベント開口を通る流れを調整するようになっている請求項１０４に記載のシステム。
請求項１０７：
前記調整可能なダイアフラムは、柔軟な呼気導管の表面上に配置されるように適合されている請求項１０４に記載のシステム。
請求項１０８：
前記柔軟な呼気導管は、吸気導管を含んでいる請求項１０７に記載のシステム。
請求項１０９：
前記ベントアセンブリは、呼気チャンバおよびピストンを備えており、前記ピストンは、前記呼気チャンバの表面の１つまたは複数の換気開口を選択的に塞ぐように、前記呼気チャンバ内において移動するように配置されている請求項７９に記載のシステム。
請求項１１０：
前記アクチュエータは、前記ピストンを選択的に位置決めする磁場を生成するコイルを備えている請求項１０９に記載のシステム。
請求項１１１：
前記ベントアセンブリは、前記ピストンの移動の範囲を制限する手動調整機構を備えている請求項１０９に記載のシステム。
請求項１１２：
前記手動調整機構は、前記ピストンの移動の範囲に張力を加えるように構成されている、ことを特徴とする請求項１１１に記載のシステム。
請求項１１３：
前記調整機構は、ネジ付きポストおよびバネを備えている請求項１１２に記載のシステム。
請求項１１４：
前記重なり合う開口からなる開通路は、一組の溝を備えている請求項７９に記載のシステム。
請求項１１５：
前記ベントアセンブリは、入れ子になった第１および第２の構造体を備えており、前記構造体の各々は、前記重なり合う開口からなる開通路を有しており、前記アクチュエータは、モーターと前記第１の構造体に連結された誘導コイルとを備えており、前記構造体は、前記第１の構造体の回転によって、前記重なり合う開口の大きさを変化させるように、構成されている請求項７９に記載のシステム。
請求項１１６：
前記アクチュエータは、ボイスコイルを含んでいる請求項７９記載のシステム。
請求項１１７：
前記アクチュエータは、空圧ピストンを含んでいる請求項７９に記載のシステム。
請求項１１８：
前記アクチュエータは、誘導コイルを含んでいる請求項７９に記載のシステム。
請求項１１９：
前記アクチュエータは、圧電モーターを含んでいる請求項７９に記載のシステム。
請求項１２０：
前記ベントアセンブリの前記可変排気面積を常開位置に戻すように構成されたバネ機構をさらに備えている請求項７９に記載のシステム。
請求項１２１：
前記バネ機構は、トーションバネを含んでいる請求項１２０に記載のシステム。
請求項１２２：
前記ベントアセンブリは、入れ子になった第１および第２の構造体を備えており、前記構造体の各々は、前記重なり合う開口からなる開通路を有しており、前記システムは、前記アクチュエータを作動させるように構成された制御装置をさらに備えている請求項７９に記載のシステム。
請求項１２３：
前記制御装置は、意図しない漏れの有無を検出し、前記意図しない漏れの有無の検出に基づいて、前記排気面積を変化させるように制御するように、構成されている請求項１２２に記載のシステム。
請求項１２４：
前記制御装置は、前記意図しない漏れの存在の検出に応じて、前記排気面積を閉じるようになっている請求項１２３に記載の装置。
請求項１２５：
前記制御装置は、前記意図しない漏れの存在の検出に応じて、前記排気面積を開き、マスク圧力を大気圧まで低下させるようになっている請求項１２３に記載のシステム。
請求項１２６：
前記制御装置は、前記意図しない漏れの存在の連続した検出に応じて、前記排気面積を開閉するようになっている請求項１２３に記載のシステム。
請求項１２７：
前記制御装置は、前記意図しない漏れの定量化の関数として、前記排気面積を変化させるようになっている請求項１２３に記載のシステム。
請求項１２８：
前記制御装置は、前記定量化の値と閾値との比較に基づいて、前記排気面積を減少させるようになっている請求項１２７に記載のシステム。
請求項１２９：
前記制御装置は、睡眠状態を検出し、前記睡眠状態の検出に基づいて、前記排気面積を変化させるように制御するように、構成されている請求項１２２に記載のシステム。
請求項１３０：
前記制御装置は、検出した睡眠状態の関数として、前記排気面積の周期的な変動を開始するようになっている請求項１２９に記載のシステム。
請求項１３１：
前記制御装置は、睡眠の不在の検出に応じて、略一定の排気面積を保持するようになっている請求項１２９に記載のシステム。
請求項１３２：
前記制御装置は、呼吸疾患を検出し、前記呼吸疾患の検出に基づいて、前記排気面積を変化させるように制御するように、構成されている請求項１２２に記載のシステム。
請求項１３３：
前記検出した呼吸疾患は、中枢性無呼吸または中枢性低呼吸を含んでおり、前記制御装置は、前記中枢性無呼吸または中枢性低呼吸の検出に基づいて、前記排気面積を減少させるように制御するように、構成されている請求項１３２に記載のシステム。
請求項１３４：
前記制御装置は、中枢性無呼吸または中枢性低呼吸の不在のさらなる検出に基づいて、前記排気面積を増大させるように制御するように、構成されている請求項１３２に記載のシステム。
請求項１３５：
前記制御装置は、患者流れの程度の関数として、前記排気面積を変化させるように制御するようになっている請求項１２２に記載の装置。
請求項１３６：
前記制御装置は、再呼吸される量の計算値の関数として、前記排気面積を変化させるように制御するようになっている請求項１２２に記載のシステム。
請求項１３７：
前記制御装置は、前記排気面積のベント流れが患者流れを反映することを可能にするように、検出した患者呼吸と同期して、前記排気面積を変化させるように制御するようになっている請求項１２２に記載のシステム。
請求項１３８：
プロセッサを備える制御装置をさらに備えており、前記制御装置は、前記アクチュエータに連結されており、前記制御装置は、前記ベントアセンブリの前記排気面積を変化させるように前記アクチュエータを作動させるように、構成されている請求項７９に記載のシステム。
請求項１３９：
前記制御装置は、前記可変排気面積の治療のための設定値と前記可変排気面積の快適さのための設定値との間で切り換えられるように、構成されている請求項１３８に記載のシステム。
請求項１４０：
前記制御装置は、前記可変排気面積の設定値を含む快適さのための設定値を入力するためのユーザーインターフェイスを有するように構成されている請求項１３８に記載のシステム。
請求項１４１：
前記快適さのための設定値は、湿度設定値、圧力設定値、および温度設定値の１つまたは複数をさらに含んでいる請求項１３９または１４０に記載のシステム。
請求項１４２：
前記制御装置は、患者換気の程度を測定し、前記患者換気の程度の関数として、前記可変排気面積を調整するように、構成されている請求項１３８に記載のシステム。
請求項１４３：
前記可変排気面積は、もし前記患者換気の程度が閾値を満たすかまたはそれを超える場合、減少するようになっている請求項１４２に記載のシステム。
請求項１４４：
前記患者換気の程度は、不安定性指数を含んでいる請求項１４２または１４３に記載のシステム。
請求項１４５：
前記不安定性指数は、換気の移動窓標準偏差、中枢性無呼吸指数、中枢性低呼吸指数、中枢性無呼吸―低呼吸指数、持続性無呼吸−低呼吸指数、および呼吸障害指数の少なくとも１つを含んでいる請求項１４４に記載のシステム。
請求項１４６：
前記制御装置は、患者流れ信号および前記可変排気面積の位相ロック調整からチェーン・ストークス呼吸サイクルを検出し、前記位相ロックによる再呼吸サイクルを制御するように、構成されている請求項１３８に記載のシステム。
請求項１４７：
前記制御装置は、流れ発生器の作動を制御するようにさらに構成されている請求項１３８に記載のシステム。
請求項１４８：
呼吸治療装置の患者インターフェイスの洗い流しのためにガス流量を自動的に制御するための装置において、
ガス流路を有する導管と、
前記導管の前記ガス流路のガスが通過する大きさを変化させるために前記導管内において移動するように構成されたスラグと、
を備えている装置。
請求項１４９：
前記ガス流路は、前記スラグのための複数の段を備えている請求項１４８に記載の装置。
請求項１５０：
前記ガス流路には、テーパが付されている請求項１４９に記載の装置。
請求項１５１：
前記複数の段は、対称的な段を含んでいる請求項１４９に記載の装置。
請求項１５２：
前記スラグは、磁性を有している請求項１４９に記載の装置。
請求項１５３：
前記スラグのためのアクチュエータをさらに備えており、前記アクチュエータは、前記スラグを作動させるように構成された複数の電磁石を備えている請求項１５２に記載の装置。
請求項１５４：
前記導管は、一組の導管ネジ山を備えており、前記スラグは、一組のスラグネジ山を備えている請求項１４８に記載の装置。
請求項１５５：
前記一組の導管ネジ山は、破断部分溝を備えている請求項１５４に記載の装置。
請求項１５６：
前記破断部分溝は、テーパ付き溝である請求項１５５に記載の装置。
請求項１５７：
前記一組の導管ネジ山は、複数のネジ山サイズを備えている請求項１５４に記載の装置。
請求項１５８：
前記一組の導管ネジ山は、破断部分溝をさらに備えている請求項１５７に記載の装置。
請求項１５９：
前記スラグのためのアクチュエータをさらに備えており、前記アクチュエータは、前記スラグを作動させるように構成されており、前記アクチュエータは、前記ガス流路の外に配置された複数のコイルを備えている請求項１５４に記載の装置。
請求項１６０：
プロセッサを備える制御装置をさらに備えており、前記制御装置は、前記アクチュエータに連結されており、前記制御装置は、より大きいまたはより少ないガス流れが前記ガス流路を通ることを可能にするために、前記ガス流路の大きさを変化させるように前記アクチュエータを作動させるように、構成されている請求項１５９に記載の装置。
請求項１６１：
前記導管は、呼吸マスクのガス洗い流しベントに連結されている請求項１６０に記載の装置。
請求項１６２：
呼吸治療装置の患者インターフェイスのガス洗い流しを制御するための装置において、
可変排気面積を有するベントアセンブリであって、前記可変排気面積は、前記アセンブリの複数の重なり合うブレードによって画定されている、ベントアセンブリと、
前記ベントアセンブリの開口を操作するアクチュエータであって、前記ブレードに連結されている、アクチュエータと、
を備えている装置。
請求項１６３：
前記ベントアセンブリは、第１および第２のブレードマウントを備えている請求項１６２に記載の装置。
請求項１６４：
前記アクチュエータは、前記複数のブレードに連結された駆動レバーを備えている請求項１６２または１６３に記載の装置。
請求項１６５：
前記アクチュエータは、前記駆動レバー用の長孔を備えている請求項１６４に記載の装置。
請求項１６６：
前記アクチュエータは、前記駆動レバーに連結されたヨークをさらに備えている請求項１６４または１６５に記載の装置。
請求項１６７：
前記アクチュエータは、磁気区域を有するリングを備えている請求項１６２−１６６のいずれか１つに記載の装置。
請求項１６８：
前記アクチュエータは、一組の磁場コイルを備えている請求項１６２−１６７のいずれか１つに記載の装置。
請求項１６９：
前記アクチュエータは、駆動レバーに連結されたヨークをさらに備えており、前記ヨークは、磁気区域を有するリングから構成されており、前記アクチュエータは、前記リングの回転を制御するように構成された一組の磁場コイルを備えている請求項１６２に記載の装置。
請求項１７０：
前記磁場コイルを作動させるように構成された制御装置をさらに備えている請求項１６８または１６９に記載の装置。
請求項１７１：
付勢部材をさらに備えており、前記付勢部材は、前記アクチュエータの移動を予め設定された位置に向かって付勢するように構成されている請求項１６２−１７０のいずれか１つに記載の装置。
請求項１７２：  前記予め設定された位置は、前記複数の重なり合うブレードによって画定された開排気面積である請求項１７１に記載の装置。
請求項１７３：
ハウジングをさらに備えており、前記ハウジングは、前記アセンブリおよびアクチュエータに連結されている請求項１６２〜１７２のいずれか１つに記載の装置。
請求項１７４：
前記ハウジングは、呼吸治療装置のガス送達導管用の導管アダプターを構成するようになっている請求項１７３に記載の装置。
請求項１７５：
前記ハウジングは、呼吸治療装置用のマスクの換気ポートを構成するようになっている請求項１７３に記載の装置。
請求項１７６：
前記調整可能なダイアフラムは、電気的活性ポリマーリングを備えている請求項６９に記載の装置。
請求項１７７：
前記調整可能なダイアフラムは、電気的活性ポリマーリングを備えている請求項１０４に記載のシステム。
【外国語明細書】
2020142098000001.pdf